(57)【要約】  スポーツ引き合わせシステムは、見知らぬ人々の間におけるスポーツイベントおよび非スポーツイベントの手配のための改善された方法を提供する。特定のスポーツまたは社交イベントへの参加を公に提案している人々と類似のスポーツまたは社交イベントへの参加を希望している他の人々を引き合わせるシステムが提供される。またこのシステムは、イベントを遂行するために提案する当事者と受け入れる当事者の間における連絡のための多様な手段を提供する。またこのシステムは、スポーツおよび社交イベント用のイベント開催場所を手配するための方法も提供する。
2012500426.tif 000002
【特許請求の範囲】
【請求項１】
ａ）少なくとも１つのコンピュータネットワークの少なくとも１つ複数の登録済みユーザに関連する個人プロファイルデータをサーチ可能に格納するコンピュータ個人プロファイルデータベース手段と、
ｂ）前記少なくとも１つのコンピュータネットワークの少なくとも１つの登録済みユーザに関連する、少なくとも１つの活動タイプの少なくとも１つの提案された複数人活動に関連する活動データをサーチ可能に格納するコンピュータ提案活動データベース手段と
を含み、
ｃ）上記少なくとも１つの提案された複数人活動は、上記少なくとも１つの提案された複数人活動に関連する複数の人の少なくとも１つの最小人数の出席を必要とし、
ｄ）上記少なくとも１つの提案された複数人活動に関連する上記活動データは、
ｉ）少なくとも１つの上記活動タイプと、
ｉｉ）必要な前記複数の人の少なくとも１つのプロファイル記述と、
ｉｉｉ）少なくとも１つの地理的区域と、
ｉｖ）少なくとも１つの時間枠と
を含み、
ｅ）上記少なくとも１つの複数人の提案された活動に参加するための少なくとも１つの上記登録済みユーザからの少なくとも１つの要求を受信するのを助けるコンピュータ活動参加要求インターフェース手段と、
ｆ）上記少なくとも１つの複数人の提案された活動に参加するための上記少なくとも１つの上記登録済みユーザからの上記少なくとも１つの要求を自動的にサーチ可能に格納するコンピュータ参加要求データベース手段と、
ｇ）上記少なくとも１つの提案された複数人活動を管理するコンピュータ活動マネージャプロセッサ手段と、
を含み、
ｈ）前記コンピュータ活動マネージャプロセッサ手段は、
ｉ）上記少なくとも１つの複数人の提案された活動に参加するための、上記少なくとも１つの要求に応答する少なくとも１つの応答を管理するコンピュータ活動参加応答マネージャプロセッサ手段と、
ｉｉ）少なくとも１つのスケジューリングされた活動を形成するために、上記少なくとも１つの複数人の提案された活動への十分な参加を確認するのを助けるコンピュータ活動参加マネージャプロセッサ手段と、
ｉｉｉ）上記少なくとも１つのスケジューリングされた活動に関連する情報を上記少なくとも１つのスケジューリングされた活動に参加するためにスケジューリングされた登録済みユーザに自動的に通信するコンピュータスケジューリング済み活動コミュニケータプロセッサ手段と、
を含む、
ことを特徴とするコンピュータシステム。
【請求項２】
請求項１に記載のコンピュータシステムであって、
上記コンピュータ活動参加マネージャプロセッサ手段は、少なくとも１つの上記提案された複数人活動への参加を少なくとも１つのコンピュータネットワークの上記少なくとも１つ複数の登録済みユーザの指定されたユーザに制限するのを助けるコンピュータ活動参加サブネットワークプロセッサ手段を含む、
ことを特徴とするコンピュータシステム。
【請求項３】
請求項１に記載のコンピュータシステムであって、
上記コンピュータ活動参加マネージャプロセッサ手段は、少なくとも１つのコンピュータネットワークの上記少なくとも１つ複数の登録済みユーザの個人プロファイルデータに関連する少なくとも１つの上記提案された複数人活動への参加を制限するのを助けるコンピュータ活動参加サブネットワークプロセッサ手段を含む、
ことを特徴とするコンピュータシステム。
【請求項４】
請求項１に記載のコンピュータシステムであって、
ａ）少なくとも１つの登録済みユーザサブネットワークを形成するために、前記少なくとも１つのコンピュータネットワークの少なくとも１つの登録済みユーザを前記少なくとも１つのコンピュータネットワークの少なくとも１つの他の登録済みユーザに関連付けるのを助けるコンピュータユーザ関連付けインターフェース手段と、
ｂ）上記少なくとも１つの登録済みユーザサブネットワークの格納を助けるコンピュータユーザサブネットワークデータベース手段と、
をさらに含み、
ｃ）上記コンピュータ活動参加マネージャプロセッサ手段は、少なくとも１つの上記提案された複数人活動への参加を少なくとも１つの指定された少なくとも１つの登録済みユーザサブネットワーク内の人に制限するのを助けるコンピュータ活動参加サブネットワークプロセッサ手段を含む、
ことを特徴とするコンピュータシステム。
【請求項５】
請求項１に記載のコンピュータシステムであって、
ａ）上記少なくとも１つの提案された複数人活動ヘの参加が望まれる出席者の人数を設定するコンピュータ出席数設定インターフェース手段、
をさらに含み、
ｂ）前記コンピュータ活動参加マネージャプロセッサ手段は、上記少なくとも１つのスケジューリングされた活動への参加のためにスケジューリングされた登録済みユーザの人数が上記少なくとも１つの提案された複数人活動への参加が望まれる出席者の人数と等しいときに、追加の登録済みユーザが上記少なくとも１つの提案された複数人活動への参加を確認するのを防ぐコンピュータ活動参加クロージングプロセッサ手段を含む、
ことを特徴とするコンピュータシステム。
【請求項６】
請求項５に記載のコンピュータシステムであって、
参加状況情報を上記少なくとも１つの提案された複数人活動への参加を確認することを防がれた上記登録済みユーザに自動的に通信するコンピュータ参加状況通信プロセッサ手段をさらに含む、
ことを特徴とするコンピュータシステム。
【請求項７】
請求項１に記載のコンピュータシステムであって、
前記コンピュータ活動参加マネージャプロセッサ手段は、少なくとも１つの登録済みユーザによってクリックされる時に、上記少なくとも１つの複数人の提案された活動へのその登録済みユーザの参加を確認する少なくとも１つのクリック可能ハイパーリンクを生成するのを助けるコンピュータハイパーリンク生成インターフェース手段を含む、
ことを特徴とするコンピュータシステム。
【請求項８】
請求項１に記載のコンピュータシステムであって、
ａ）上記少なくとも１つの提案された複数人活動に関連する少なくとも１つの電話送信される信号を受信するのを助けるコンピュータインターフェース手段と、
ｂ）上記少なくとも電話送信される信号を少なくとも１つの登録済みユーザに関連付けるコンピュータ電話送信信号対ユーザプロセッサ手段と、
ｃ）上記少なくとも１つの電話送信される信号を上記少なくとも１つの複数人の提案された活動に参加するための少なくとも１つの上記登録済みユーザからの上記少なくとも１つの要求に応答する上記少なくとも１つの提案された複数人活動への参加の拒否または参加の確認として解釈するコンピュータ電話送信信号解釈プロセッサ手段と、
をさらに含むことを特徴とするコンピュータシステム。
【請求項９】
請求項１に記載のコンピュータシステムであって、
少なくとも１つの複数人の提案された活動に参加するための少なくとも１つの要求を承認するコンピュータ参加承認プロセッサ手段をさらに含む、
ことを特徴とするコンピュータシステム。
【請求項１０】
請求項１に記載のコンピュータシステムであって、
前記コンピュータ活動マネージャプロセッサ手段は、少なくとも１つの複数人の提案された活動に参加するための少なくとも１つの要求を取り消すコンピュータ活動取消プロセッサ手段をさらに含む、
ことを特徴とするコンピュータシステム。
【請求項１１】
請求項１に記載のコンピュータシステムであって、
前記コンピュータ活動マネージャプロセッサ手段は、クロージング条件が満足されるときに参加者要求受入を防ぐために少なくとも１つの複数人の提案された活動をクローズするコンピュータ活動クロージングプロセッサ手段をさらに含む、
ことを特徴とするコンピュータシステム。
【請求項１２】
請求項１に記載のコンピュータシステムであって、
前記コンピュータ活動マネージャプロセッサ手段は、再オープニング条件が満足されるときに少なくとも１つの複数人の提案された活動での参加要求受入を再オープンするコンピュータ活動再オープニングプロセッサ手段をさらに含む、
ことを特徴とするコンピュータシステム。
【請求項１３】
請求項１２に記載のコンピュータシステムであって、
前記コンピュータ活動マネージャプロセッサ手段は、上記少なくとも１つの複数人の提案された活動の上記再オープニングを上記少なくとも１つの複数人の提案された活動に関連する前記複数の人に自動的に通信するためにコンピュータ再オープニングコミュニケータプロセッサ手段をさらに含む、
ことを特徴とするコンピュータシステム。
【請求項１４】
請求項１３に記載のコンピュータシステムであって、
上記クロージング条件は、少なくとも１つの時間的条件および／または少なくとも１つの出席条件を含む、
ことを特徴とするコンピュータシステム。
【請求項１５】
請求項１４に記載のコンピュータシステムであって、
上記再オープニング条件は、少なくとも１つのスケジューリングされた参加者の取消を含む、
ことを特徴とするコンピュータシステム。
【請求項１６】
ａ）少なくとも１つのコンピュータネットワークの少なくとも１つ複数の登録済みユーザに関連する個人プロファイルデータをサーチ可能に格納するように構造化され、配置された少なくとも１つのコンピュータ個人プロファイルデータベースと、
ｂ）前記少なくとも１つのコンピュータネットワークの少なくとも１つの登録済みユーザに関連する、少なくとも１つの活動タイプの少なくとも１つの提案された複数人活動に関連する活動データをサーチ可能に格納するように構造化され、配置された少なくとも１つのコンピュータ提案活動データベースと、
を含み、
ｃ）上記少なくとも１つの提案された複数人活動は、上記少なくとも１つの提案された複数人活動に関連する複数の人のすべての出席を必要とし、
ｄ）上記少なくとも１つの提案された複数人活動に関連する上記活動データは、
ｉ）少なくとも１つの上記活動タイプと、
ｉｉ）必要な前記複数の人の少なくとも１つのプロファイル記述と、
ｉｉｉ）少なくとも１つの地理的区域と、
ｉｖ）少なくとも１つの時間枠と
を含み、
ｅ）上記少なくとも１つの複数人の提案された活動に参加するための少なくとも１つの上記登録済みユーザからの少なくとも１つの要求の受信を助けるように構造化され、配置された少なくとも１つのコンピュータ活動参加要求インターフェースと、
ｆ）上記少なくとも１つの複数人の提案された活動に参加するための上記少なくとも１つの登録済みユーザからの上記少なくとも１つの要求を自動的にサーチ可能に格納するように構造化され、配置された少なくとも１つのコンピュータ参加要求データベースと、
ｇ）上記少なくとも１つの複数人の提案された活動に参加するための上記少なくとも１つの要求に応答する少なくとも１つの応答を管理するように構造化され、配置された少なくとも１つのコンピュータ活動参加応答マネージャと、
ｈ）少なくとも１つのスケジューリングされた活動を形成するために上記少なくとも１つの複数人の提案された活動への十分な参加を確認するのを助けるように構造化され、配置された少なくとも１つのコンピュータ活動参加マネージャプロセッサと、
ｉ）上記少なくとも１つのスケジューリングされた活動に関連する情報を上記少なくとも１つのスケジューリングされた活動に参加するためにスケジューリングされた登録済みユーザに自動的に通信するように構造化され、配置された少なくとも１つのコンピュータスケジューリングされた活動コミュニケータプロセッサと、
を含むことを特徴とするコンピュータシステム。
【請求項１７】
請求項１６に記載のコンピュータシステムであって、
上記少なくとも１つのコンピュータ活動参加マネージャプロセッサは、少なくとも１つの上記提案された複数人活動への参加を少なくとも１つのコンピュータネットワークの少なくとも１つ複数の登録済みユーザの指定されたユーザに制限するのを助けるように構造化され、配置された少なくとも１つのコンピュータ活動参加サブネットワークプロセッサを含む、
ことを特徴とするコンピュータシステム。
【請求項１８】
請求項１６に記載のコンピュータシステムであって、
上記少なくとも１つのコンピュータ活動参加マネージャプロセッサは、少なくとも１つのコンピュータネットワークの上記少なくとも１つ複数の登録済みユーザの個人プロファイルデータに関連する少なくとも１つの上記提案された複数人活動への参加を制限するのを助けるように構造化され、配置された少なくとも１つのコンピュータ活動参加サブネットワークプロセッサを含む、
ことを特徴とするコンピュータシステム。
【請求項１９】
請求項１６に記載のコンピュータシステムであって、
ａ）前記少なくとも１つのコンピュータネットワークの少なくとも１つの登録済みユーザを前記少なくとも１つのコンピュータネットワークの少なくとも１つの他の登録済みユーザに関連付け、少なくとも１つの登録済みユーザサブネットワークを形成するのを助けるように構造化され、配置された少なくとも１つのコンピュータユーザ関連付けインターフェースと、
ｂ）上記少なくとも１つの登録済みユーザサブネットワークの格納を助けるように構造化され、配置された少なくとも１つのコンピュータユーザサブネットワークデータベースと、
をさらに含み、
ｃ）上記コンピュータ活動参加マネージャプロセッサは、少なくとも１つの上記提案された複数人活動への参加を少なくとも１つの指定された少なくとも１つの登録済みユーザサブネットワーク内の人に制限するのを助けるように構造化され、配置された少なくとも１つのコンピュータ活動参加サブネットワークプロセッサを含む、
ことを特徴とするコンピュータシステム。
【請求項２０】
請求項１６に記載のコンピュータシステムであって、
ａ）上記少なくとも１つの提案された複数人活動に参加することが望まれる出席者の人数を設定するように構造化され、配置された少なくとも１つのコンピュータ出席数設定インターフェース
をさらに含み、
ｂ）前記少なくとも１つのコンピュータ活動参加マネージャプロセッサは、上記少なくとも１つのスケジューリングされた活動に参加するためにスケジューリングされた登録済みユーザの人数が上記少なくとも１つの提案された複数人活動に参加することが望まれる出席者の人数と等しいときに、追加の登録済みユーザが上記少なくとも１つの提案された複数人活動に参加することを確認するのを防ぐように構造化され、配置された少なくとも１つのコンピュータ活動参加クロージングプロセッサを含む、
ことを特徴とするコンピュータシステム。
【請求項２１】
請求項２０に記載のコンピュータシステムであって、
参加状況情報を上記少なくとも１つの提案された複数人活動への参加の確認を防がれた上記登録済みユーザに自動的に通信するように構造化され、配置された少なくとも１つのコンピュータ参加状況通信プロセッサをさらに含む、
ことを特徴とするコンピュータシステム。
【請求項２２】
請求項１６に記載のコンピュータシステムであって、
前記少なくとも１つのコンピュータ活動参加マネージャプロセッサは、少なくとも１つの登録済みユーザによってクリックされる時に、上記少なくとも１つの複数人の提案された活動へのその登録済みユーザの参加を確認する少なくとも１つのクリック可能ハイパーリンクを生成するのを助けるように構造化され、配置された少なくとも１つのコンピュータハイパーリンク生成インターフェースを含む、
ことを特徴とするコンピュータシステム。
【請求項２３】
請求項１６に記載のコンピュータシステムであって、
ａ）上記少なくとも１つの提案された複数人活動に関連する少なくとも１つの電話送信される信号を受信するのを助けるように構造化され、配置された少なくとも１つのコンピュータインターフェースと、
ｂ）上記少なくとも１つの電話送信される信号を少なくとも１つの登録済みユーザに関連付けるように構造化され、配置された少なくとも１つのコンピュータ電話送信信号対ユーザプロセッサと、
ｃ）上記少なくとも１つの複数人の提案された活動に参加するための少なくとも１つの上記登録済みユーザからの上記少なくとも１つの要求に応答する上記少なくとも１つの提案された複数人活動への参加の拒否または参加の確認として上記少なくとも１つの電話送信される信号を解釈するように構造化され、配置された少なくとも１つのコンピュータ電話送信信号解釈プロセッサと、
をさらに含むことを特徴とするコンピュータシステム。
【請求項２４】
請求項１６に記載のコンピュータシステムであって、
少なくとも１つの複数人の提案された活動に参加するための少なくとも１つの要求を承認するように構造化され、配置された少なくとも１つのコンピュータ参加承認プロセッサをさらに含む、
ことを特徴とするコンピュータシステム。
【請求項２５】
請求項１６に記載のコンピュータシステムであって、
前記少なくとも１つのコンピュータ活動マネージャプロセッサは、少なくとも１つの複数人の提案された活動に参加するための少なくとも１つの要求を取り消すように構造化され、配置された少なくとも１つのコンピュータ活動取消プロセッサを含む、
ことを特徴とするコンピュータシステム。
【請求項２６】
請求項１６に記載のコンピュータシステムであって、
前記コンピュータ活動マネージャプロセッサは、クロージング条件が満足されるときに参加者要求受入を防ぐために少なくとも１つの複数人の提案された活動をクローズするように構造化され、配置された少なくとも１つのコンピュータ活動クロージングプロセッサをさらに含む、
ことを特徴とするコンピュータシステム。
【請求項２７】
請求項１６に記載のコンピュータシステムであって、
前記コンピュータ活動マネージャプロセッサは、再オープニング条件が満足されるときに少なくとも１つの複数人の提案された活動での参加要求受入を再オープンするように構造化され、配置された少なくとも１つのコンピュータ活動再オープニングプロセッサをさらに含む、
ことを特徴とするコンピュータシステム。
【請求項２８】
請求項２７に記載のコンピュータシステムであって、
前記コンピュータ活動マネージャプロセッサは、上記少なくとも１つの複数人の提案された活動の上記再オープニングを上記少なくとも１つの複数人の提案された活動に関連する前記複数の人に自動的に通信するように構造化され、配置された少なくとも１つのコンピュータ再オープニングコミュニケータプロセッサをさらに含む、
ことを特徴とするコンピュータシステム。
【請求項２９】
請求項２８に記載のコンピュータシステムであって、
上記クロージング条件は、少なくとも１つの時間的条件および／または少なくとも１つの出席条件を含む、
ことを特徴とするコンピュータシステム。
【請求項３０】
請求項２９に記載のコンピュータシステムであって、
上記再オープニング条件は、少なくとも１つのスケジューリングされた参加者の取消を含む、
ことを特徴とするコンピュータシステム。
【請求項３１】
ａ）少なくとも１つのソシアルネットワークウェブサイトによって少なくとも１つの他のウェブサイトに、上記少なくとも１つの他のウェブサイトでの表示のために前記少なくとも１つのソシアルネットワークウェブサイトの少なくとも１つのソシアルネットワークウェブサイト特徴の統合を提供するステップと、
ｂ）上記提供の受入時に、上記少なくとも１つの他のウェブサイトでの表示のために前記少なくとも１つのソシアルネットワークウェブサイトの少なくとも１つのソシアルネットワークウェブサイト特徴を統合するステップと、
を含み、
ｃ）前記少なくとも１つの他のウェブサイトのユーザは、前記少なくとも１つの他のウェブサイトにある間に上記少なくとも１つのソシアルネットワークウェブサイト特徴にアクセスすることを許可される、
ことを特徴とする方法。
【発明の詳細な説明】
【技術分野】
【０００１】
本発明は、見知らぬ人々の間に、および社会的ネットワークにおける人々の間に、出会いを手配するための改善された方法のためのシステムを提供することに関する。より詳細に述べれば、本発明は、特定のスポーツまたは社会活動への参加を提案している人々および／またはチームと類似のスポーツまたは社会活動への参加を希望している人々および／またはチームを引き合わせるためのシステムを提供することに関する。
【背景技術】
【０００２】
アメリカ合衆国等の国々内へのインターネットの爆発的な普及には、インターネット−ベースの独身者縁組みシステムの急増が伴っている。これらの縁組みシステムは、概してロマンチックな関係を構築する目的のために、他の独身の男女との出会いを希望する独身の男女に主として向けられている。これらの縁組みシステムの成功は、今日インターネット上で利用できる縁組みに充てられている多数のインターネットウェブサイトによって立証される。インターネット−ベースのデート・システムの例は、マッチ・ドットコム（Ｍａｔｃｈ．ｃｏｍ）、イーハーモニー・ドットコム（ｅＨａｒｍｏｎｙ．ｃｏｍ）およびキッス・ドットコム（Ｋｉｓｓ．ｃｏｍ）を含む。
【０００３】
通常、これらの縁組みシステムは、独身者および彼らの互いに出会いたいという希望に排他的に焦点を当てている。言い換えるとこれらの縁組みシステムは、「デート」以外の何かで出会いたい、または一緒に参加したいと希望している残りの人々のソシアルネットワークのニーズを無視している。これらのサイトを利用してゴルフまたはテニスに興味を持つ者を見つけることは可能であるが、これらの「出会系」ウェブサイト上において、ゴルフまたはテニスの、特定のまたは特別な競技で対戦する相手を探し、見つけ出すことは不可能である。その結果として、非常に大きな人々のグループが、効果的にインターネットを通じて社交的にネットワークすることができない。たとえばカップル、子供、およびチームは、イベント指向の、すなわち、場所、時間、および日にちに依存するイベントの、活動への参加を希望する他の人々を識別するための手段を持たない。たとえば、地元から離れている間の土曜日にゴルフをプレイしたいと希望している旅行者は、あるゴルフの試合を行うゴルファーのグループに加わる機会があるか否かを決定するために、その地域内のゴルフ・コースに電話することに頼らなければならない。逆に言えば、この旅行者は、ゴルフのプレイを提案するために同一の方法に頼らなければならない。加えて、その旅行者は、先行して他の参加者と知り合う機会を持たない。
【０００４】
したがって、コンピュータネットワークを利用して、イベント（特にスポーツ）指向の活動を提案し、参加を受け入れることを希望する他の人々の識別を容易にすることによって人々のためのソシアルネットワーク作りを効果的に可能にすることができるシステムについての大きなニーズが存在する。
【先行技術文献】
【特許文献】
【０００５】
【特許文献１】米国特許第６３２２４５１号明細書
【特許文献２】米国特許第６６４１４８１号明細書
【発明の概要】
【発明が解決しようとする課題】
【０００６】
本発明の主要な目的および特徴は、特定のスポーツおよび社会活動の参加の提案を行っている人々と特定のスポーツおよび社会活動への参加を希望している人々を引き合わせるためのシステムを提供することである。
【０００７】
本発明のさらなる目的および特徴は、参加者が特定のスポーツまたは社会活動への参加の提案を掲げることを可能にするためのシステム等を提供することである。
【０００８】
本発明のさらなる目的および特徴は、特定のスポーツまたは社会活動への参加の提案を掲げている個人を参加者が探すことを可能にするためのシステム等を提供することである。
【０００９】
本発明のさらなる目的および特徴は、参加者のスポーツおよび社交の関心および関連する習熟レベルのプロファイルを参加者が探すことを可能にするためのシステム等を提供することである。
【００１０】
本発明のさらなる目的および特徴は、参加者が互いにコンピュータネットワークを通じてコミュニケーションすることを可能にするためのシステム等を提供することである。
【００１１】
本発明のさらなる主要な目的および特徴は、効率的であり、高価でなく、かつ手頃であるシステム等を提供することである。本発明のこの他の目的および特徴は、以下の説明を参照することによって明らかになるであろう。
【課題を解決するための手段】
【００１２】
ここでの好ましい実施態様によれば、本発明は、少なくとも１人の第２の参加者による少なくとも１人の第１の参加者の参加者個人プロファイル情報の表示を援助するための少なくとも１つの提案合同イベントを見つけることに関係するインターネット・コンピュータシステム用のコンピュータ・プログラム・システムを提供し、当該コンピュータ・プログラム・システムは、提案イベント情報をサーチ可能にストアするステップであって、前記提案イベント情報が、少なくとも、少なくとも１つのタイプの提案合同イベント、前記提案合同イベントのための少なくとも１つの提案地理的エリア、および前記少なくとも１つの提案合同イベントのための少なくとも１つの提案時間評価基準、を包含する、ステップと、前記少なくとも１つの提案合同イベントについて前記少なくとも１人の第１の参加者のために入力を可能にするステップと、前記参加者個人プロファイル情報をサーチ可能にストアするステップであって、前記参加者個人プロファイル情報が、少なくとも、少なくとも１つの一意的な識別子、前記少なくとも１つのタイプの前記提案合同イベント、前記少なくとも１つのタイプの提案合同イベントの少なくとも１つの第１の習熟レベルの事物、人口学的情報、および連絡情報を包含する、ステップと、前記少なくとも１人の第１の参加者の前記参加者個人プロファイル情報のために入力を可能にするステップと、前記入力された提案合同イベントと前記入力された参加者個人プロファイル情報を関連させることを可能にするステップと、前記少なくとも１つの提案合同イベントの提案される整合のための前記少なくとも１人の第２の参加者の第１のサーチ可能な評価基準のために入力を可能にするステップと、前記コンピュータ・データベースから前記第１のサーチ可能な評価基準に整合する前記ストアされた提案イベント情報を検索するステップと、前記検索された提案イベント情報に関連付けされる前記入力された参加者プロファイル情報を表示するステップと、を包含する。さらにそれは、前記少なくとも１つのタイプの提案合同イベントが、少なくとも１つのスポーツイベントを包含する、この種のコンピュータ・プログラム・システムを提供する。加えてそれは、前記少なくとも１人の第１の参加者および前記少なくとも１人の第２の参加者のうちの少なくとも１人が少なくとも１つのチームを構成する、この種のコンピュータ・プログラム・システムを提供する。またそれは、前記少なくとも１人の第１の参加者および前記少なくとも１人の第２の参加者のうちの少なくとも１人が少なくとも１つのカップルを構成する、この種のコンピュータ・プログラム・システムを提供する。加えてそれは、さらに、前記少なくとも１人の第１の参加者のために、前記少なくとも１つのタイプの提案合同イベントの少なくとも１つの第１の習熟レベルの入力を可能にするステップと、前記少なくとも１つのタイプの提案合同イベントの前記少なくとも１つの習熟レベルとの提案される整合のための前記少なくとも１人の第２の参加者の少なくとも１つの第２のサーチ可能な評価基準のために入力を可能にするステップと、前記コンピュータ・データベースから前記第２のサーチ可能な評価基準に整合する前記提案イベント情報を検索するステップと、前記検索された提案イベント情報に関連付けされる前記入力された参加者プロファイル情報を表示するステップを包含する、この種のコンピュータ・プログラム・システムを提供する。またそれは、さらに、前記少なくとも１人の第１の参加者のために前記コンピュータ・データベースから前記提案イベント情報を検索するステップを包含する、この種のコンピュータ・プログラム・システムを提供する。さらにまたそれは、さらに、前記個人プロファイル情報の提案される整合のための前記少なくとも１人の第２の参加者の少なくとも１つの第３のサーチ可能な評価基準のために入力を可能にするステップと、前記コンピュータ・データベースから前記第３のサーチ可能な評価基準に整合する前記個人プロファイル情報を検索するステップと、を包含する、この種のコンピュータ・プログラム・システムを提供する。さらにまたそれは、前記個人プロファイル情報が、さらに、子供の情報、参加者の背景情報、個人的特徴の情報、好きな食べ物の情報、好みの音楽の情報、および少なくとも１つの画像のうちの少なくとも２つを包含する、この種のコンピュータ・プログラム・システムを提供する。ほかにもそれは、さらに、少なくとも１つの掲示板投稿をサーチ可能にストアするステップと、前記少なくとも１つの掲示板投稿について前記少なくとも１人の第１の参加者のために入力を可能にするステップと、前記少なくとも１つの前記掲示板投稿と前記少なくとも１人の第１の参加者を関連させるステップと、前記個人プロファイル情報との提案される整合のための前記少なくとも１人の第２の参加者の少なくとも１つの第４のサーチ可能な評価基準のために入力を可能にするステップと、前記第４のサーチ可能な評価基準に整合する前記個人プロファイル情報に関連付けされた前記少なくとも１つの掲示板投稿を検索するステップを包含する、この種のコンピュータ・プログラム・システムを提供する。加えてそれは、前記第４のサーチ可能な評価基準が、少なくとも１つのタイプの提案合同イベントと、前記提案合同イベントのための少なくとも１つの提案地理的エリアと、前記少なくとも１つの提案合同イベントのための少なくとも１つの提案時間評価基準と、を包含する、この種のコンピュータ・プログラム・システムを提供する。またそれは、さらに、前記少なくとも１人の第２の参加者の前記少なくとも１人の第１の参加者との連絡を援助するステップを包含する、この種のコンピュータ・プログラム・システムを提供する。加えてそれは、前記少なくとも１人の第２の参加者の前記少なくとも１人の第１の参加者との連絡を援助するステップが、前記第２の参加者に対する前記第１の参加者の第１の連絡情報の非開示を援助するステップと、前記第１の参加者に対する前記第２の参加者の第２の連絡情報の非開示を援助するステップと、を包含する、この種のコンピュータ・プログラム・システムを提供する。またそれは、前記少なくとも１人の第２の参加者の前記少なくとも１人の第１の参加者との連絡を援助するステップが、ディジタル携帯電話上のテキストメッセージングを用いて達成される、この種のコンピュータ・プログラム・システムを提供する。
【００１３】
ここでの別の好ましい実施態様によれば、本発明は、インターネットウェブサイトを利用するビジネスを行うことに関係するシステムを提供し、当該システムは、提案スポーツイベント情報を含むべく適合された少なくとも１つの第１のサーチ可能なデータベースを提供するステップと、少なくとも１人の第１の参加者から前記提案スポーツイベント情報を受け取るステップと、参加者個人プロファイル情報を含むべく適合された少なくとも１つの第２のサーチ可能なデータベースを提供するステップと、前記少なくとも１人の第１の参加者から前記参加者個人プロファイル情報を受け取るステップと、少なくとも１人の第２の参加者が、前記少なくとも１つの第１のサーチ可能なデータベースをサーチすることに関係づけられた第１のサーチ可能な評価基準を記述することを可能にするステップと、前記第１のサーチ可能な評価基準が、少なくとも、少なくとも１つのタイプの提案スポーツイベント、前記少なくとも１つの提案スポーツイベントに関係づけられた少なくとも１つの提案地理的エリア、および前記少なくとも１つの提案スポーツイベントに関係づけられた少なくとも１つの提案時間枠、を包含し、前記第１のサーチ評価基準に整合する前記提案スポーツイベント情報を検索するステップと、前記少なくとも１人の第２の参加者に、前記少なくとも１人の第１の参加者からの前記参加者個人プロファイル情報を呈示するステップと、を包含する。さらにそれは、さらに、ウェブサイト広告収益を受け取るステップを包含する、この種のシステムを提供する。さらにまたそれは、前記ウェブサイト広告収益を受け取るステップが、少なくとも１つの広告主に対してウェブサイト広告を提案するステップと、前記少なくとも１つの広告主から少なくとも１つのウェブサイト広告を受け取るステップと、前記少なくとも１つの広告主から支払いを受け取るステップと、前記支払いを受け取るステップの後、前記少なくとも１つのウェブサイト広告を承認するステップと、前記承認した前記少なくとも１つのウェブサイト広告を表示するステップと、を包含する、この種のシステムを提供する。その上それは、さらに、前記少なくとも１人の第１の参加者および前記少なくとも１人の第２の参加者のうちの少なくとも１人が前記少なくとも１人の広告主に対する少なくとも１つのリンクを選択することを可能にするステップを包含する、この種のシステムを提供する。加えてそれは、前記少なくとも１つの広告主が少なくとも１つのスポーツ開催場所を包含する、この種のシステムを提供する。またそれは、さらに、会費を受け取るステップを包含する、この種のシステムを提供する。加えてそれは、前記会費を受け取るステップが、前記少なくとも１人の第１の参加者および前記少なくとも１人の第２の参加者のうちの少なくとも１人からの支払いを受け取るステップを包含する、この種のシステムを提供する。またそれは、さらに、前記少なくとも１人の第１の参加者および前記少なくとも１人の第２の参加者のうちの少なくとも１人に対して販売するために少なくとも１つの製品を提案するステップと、前記少なくとも１人の第１の参加者および前記少なくとも１人の第２の参加者のうちの少なくとも１人からの支払いを受け取るステップと、を包含する、この種のシステムを提供する。さらにそれは、さらに、少なくとも１つのイベント提供者とともに前記少なくとも１人の第１の参加者および前記少なくとも１人の第２の参加者のうちの少なくとも１人のために少なくとも１つのグループ・イベントを促進するステップと、それぞれの参加する、前記少なくとも１人の第１の参加者および前記少なくとも１人の第２の参加者のうちの少なくとも１人に少なくとも１つの料金を課するステップと、および前記少なくとも１つのイベント提供者に支払うステップと、を包含する、この種のシステムを提供する。さらにまたそれは、さらに、前記少なくとも１人の第１の参加者および前記少なくとも１人の第２の参加者のうちの少なくとも１人が、前記少なくとも１つの旅行提供者に対する少なくとも１つのリンクを選択することを可能にするステップと、前記少なくとも１つの旅行提供者から紹介料を受け取るステップと、を包含する、この種のシステムを提供する。ほかにもそれは、さらに、少なくとも１つの実際のテレビジョン番組提供者とともに少なくとも１つの実際のテレビジョン番組を促進するステップと、前記少なくとも１人の第１の参加者および前記少なくとも１人の第２の参加者のうちの少なくとも１人から前記少なくとも１つの実際のテレビジョン番組に参加する少なくとも１つの提案を受け入れるステップと、を包含する。加えてそれは、さらに、前記少なくとも１人の第１の参加者および前記少なくとも１人の第２の参加者の間における連絡を援助するステップを包含する、この種のシステムを提供する。またそれは、さらに、少なくとも１つのアフィリエイトに少なくとも１人の新しい参加者の紹介のための支払いを提案するステップを包含する、この種のシステムを提供する。加えてそれは、さらに、前記少なくとも１人の第２の参加者が、前記少なくとも１つの第２のサーチ可能なデータベースをサーチすることに関係づけられた第２のサーチ可能な評価基準を記述することを可能にするステップと、前記少なくとも１人の第２の参加者が、前記第２のサーチ評価基準に整合する前記個人プロファイル情報を見ることを可能にするステップと、を包含する、この種のシステムを提供する。またそれは、さらに、掲示板メッセージ情報を含むべく適合された少なくとも１つの第３のサーチ可能なデータベースを提供するステップと、前記少なくとも１人の第１の参加者から前記掲示板メッセージ情報を受け取るステップと、前記少なくとも１人の第２の参加者が、前記少なくとも１つの第３のサーチ可能なデータベースを、前記少なくとも１つの第２のサーチ可能なデータベースと併せてサーチすることに関係づけられた第３のサーチ可能な評価基準を記述することを可能にするステップと、前記少なくとも１人の第２の参加者が前記第３のサーチ評価基準に整合する前記掲示板メッセージ情報を見ることを可能にするステップと、前記少なくとも１人の第２の参加者が前記少なくとも１人の第１の参加者に関係づけられた前記参加者個人プロファイル情報を見ることを可能にするステップと、を包含する、この種のシステムを提供する。
【００１４】
ここでの別の好ましい実施態様によれば、本発明は、少なくとも１人の第２の参加者による少なくとも１人の第１の参加者を見つける援助を行うことに関係するインターネット・コンピュータシステム用のコンピュータ・プログラム・システムを提供し、当該コンピュータ・プログラム・システムは、参加者個人プロファイル情報をサーチ可能にストアするステップであって、前記参加者個人プロファイル情報が、少なくとも、少なくとも１つの一意的な識別子、人口学的情報、連絡情報を包含する、ステップと、前記少なくとも１人の第１の参加者の前記個人プロファイル情報のために入力を可能にするステップと、少なくとも１つの掲示板投稿をサーチ可能にストアするステップと、前記少なくとも１つの掲示板投稿について前記少なくとも１人の第１の参加者のために入力を可能にするステップと、前記少なくとも１つの前記掲示板投稿と前記少なくとも１人の第１の参加者を関連させるステップと、を包含する。さらにそれは、さらに、前記掲示板投稿と併せ、前記個人プロファイル情報との提案される整合のための前記少なくとも１人の第２の参加者の少なくとも１つの第１のサーチ可能な評価基準のために入力を可能にするステップと、前記サーチ評価基準に整合する前記個人プロファイル情報に関連付けされた前記少なくとも１つの掲示板投稿を検索するステップと、を包含する、この種のコンピュータ・プログラム・システムを提供する。さらにまたそれは、さらに、前記個人プロファイル情報の提案される整合のための前記少なくとも１人の第２の参加者の少なくとも１つの第２のサーチ可能な評価基準のために入力を可能にするステップと、コンピュータ・データベースから前記第３のサーチ可能な評価基準に整合する前記第１の個人プロファイル情報を検索するステップと、を包含する、この種のコンピュータ・プログラム・システムを提供する。さらにまたそれは、前記少なくとも１人の第１の参加者および前記少なくとも１人の第２の参加者のうちの少なくとも１人が少なくとも１つのチームを構成する、この種のコンピュータ・プログラム・システムを提供する。さらにまたそれは、前記少なくとも１人の第１の参加者および前記少なくとも１人の第２の参加者のうちの少なくとも１人が少なくとも１つのカップルを構成する、この種のコンピュータ・プログラム・システムを提供する。さらにまたそれは、前記個人プロファイル情報が、さらに、結婚状態の情報、子供の情報、参加者の背景情報、個人的特徴の情報、好きな食べ物の情報、好みの音楽の情報、および少なくとも１つの画像、のうちの少なくとも２つを包含する、この種のコンピュータ・プログラム・システムを提供する。さらにまたそれは、さらに、前記少なくとも１人の第２の参加者の前記少なくとも１人の第１の参加者との連絡を援助するステップを包含する、この種のコンピュータ・プログラム・システムを提供する。さらにまたそれは、前記少なくとも１人の第２の参加者の前記少なくとも１人の第１の参加者との連絡を援助するステップが、前記第２の参加者に対する前記第１の参加者の第１の連絡情報の非開示を援助するステップ、および前記第１の参加者に対する前記第２の参加者の第２の連絡情報の非開示を援助するステップを包含する、この種のコンピュータ・プログラム・システムを提供する。さらにまたそれは、前記少なくとも１人の第２の参加者の前記少なくとも１人の第１の参加者との連絡を援助するステップがディジタル携帯電話上のテキストメッセージングを用いて達成される、この種のコンピュータ・プログラム・システムを提供する。
【００１５】
ここでの好ましい実施態様によれば、本発明は、少なくとも１人の第１の参加者を伴う少なくとも１人の第２の参加者による少なくとも１つの提案合同イベント探しを援助することに関係するインターネット・コンピュータシステムが提供され、当該インターネット・コンピュータシステムは、提案イベント情報をサーチ可能にストアするためのコンピュータ・データベース手段であって、前記提案イベント情報が、少なくとも、少なくとも１つのタイプの提案合同イベント、前記提案合同イベントのための少なくとも１つの提案地理的エリア、および前記少なくとも１つの提案合同イベントのための少なくとも１つの提案時間評価基準を包含する、コンピュータ・データベース手段と、前記少なくとも１つの提案合同イベントについて前記少なくとも１人の第１の参加者のためにデータベース入力を可能にするためのコンピュータインターフェース手段と、前記少なくとも１つの提案合同イベントの提案される整合のための前記少なくとも１人の第２の参加者の第１のサーチ可能な評価基準のために入力を可能にするためのコンピュータインターフェース手段と、前記コンピュータ・データベース手段から前記第１のサーチ可能な評価基準に整合する前記提案イベント情報を検索するためのコンピュータ処理手段と、を包含する。ほかにもそれは、前記少なくとも１つのタイプの提案合同イベントが少なくとも１つのスポーツイベントを包含する、この種のインターネット・コンピュータシステムを提供する。加えてそれは、前記少なくとも１人の第１の参加者および前記少なくとも１人の第２の参加者のうちの少なくとも１人が少なくとも１つのチームを構成する、この種のインターネット・コンピュータシステムを提供する。またそれは、前記少なくとも１人の第１の参加者および前記少なくとも１人の第２の参加者のうちの少なくとも１人が少なくとも１つのカップルを構成する、この種のインターネット・コンピュータシステムを提供する。加えてそれは、さらに、前記少なくとも１人の第１の参加者のために、前記少なくとも１つのタイプの提案合同イベントの少なくとも１つの第１の習熟レベルのデータベース入力を可能にするためのコンピュータインターフェース手段と、前記少なくとも１つのタイプの提案合同イベントの前記少なくとも１つの習熟レベルとの提案される整合のための前記少なくとも１人の第２の参加者の少なくとも１つの第２のサーチ可能な評価基準のために入力を可能にするためのコンピュータインターフェース手段と、前記コンピュータ・データベース手段から前記第２のサーチ可能な評価基準に整合する前記提案イベント情報を検索するためのコンピュータ処理手段と、を包含する、この種のインターネット・コンピュータシステムを提供する。またそれは、さらに、前記少なくとも１人の第１の参加者のために前記コンピュータ・データベースから前記提案イベント情報を検索するためのコンピュータ処理手段を包含する、この種のインターネット・コンピュータシステムを提供する。さらにそれは、さらに、参加者個人プロファイル情報をサーチ可能にストアするためのコンピュータ・データベース手段であって、前記参加者個人プロファイル情報が、少なくとも１つの一意的な識別子、前記少なくとも１つのタイプの前記提案合同イベント、前記少なくとも１つのタイプの提案合同イベントの少なくとも１つの第１の習熟レベルの事物、人口学的情報、および連絡情報、を少なくとも包含するコンピュータ・データベース手段と、前記少なくとも１人の第１の参加者の前記参加者個人プロファイル情報のためのデータベース入力のためのコンピュータインターフェース手段と、前記個人プロファイル情報の提案される整合のための前記少なくとも１人の第２の参加者の少なくとも１つの第３のサーチ可能な評価基準のために入力を可能にするためのコンピュータインターフェース手段と、前記コンピュータ・データベース手段から前記第３のサーチ可能な評価基準に整合する前記第１の個人プロファイル情報を検索するためのコンピュータ処理手段と、を包含する、この種のインターネット・コンピュータシステムを提供する。さらにまたそれは、前記個人プロファイル情報が、さらに、子供の情報、参加者の背景情報、個人的特徴の情報、好きな食べ物の情報、好みの音楽の情報、および少なくとも１つの画像のうちの少なくとも２つを包含する、この種のインターネット・コンピュータシステムを提供する。ほかにもそれは、さらに、少なくとも１つの掲示板投稿をサーチ可能にストアするためのコンピュータ・データベース手段と、前記少なくとも１つの掲示板投稿について前記少なくとも１人の第１の参加者のための入力のためのコンピュータインターフェース手段と、前記少なくとも１つの前記掲示板投稿と前記少なくとも１人の第１の参加者とを関連付けるためのコンピュータ処理手段と、前記個人プロファイル情報との提案される整合のための前記少なくとも１人の第２の参加者の少なくとも１つの第４のサーチ可能な評価基準のために入力を可能にするためのコンピュータインターフェース手段と、前記第４のサーチ可能な評価基準に整合する前記個人プロファイル情報に関連付けされた前記少なくとも１つの掲示板投稿を検索するためのコンピュータ処理手段と、を包含する、この種のインターネット・コンピュータシステムを提供する。インターネット・コンピュータシステムにおいて、前記第４のサーチ可能な評価基準は、少なくとも１つのタイプの提案合同イベント、前記提案合同イベントのための少なくとも１つの提案地理的エリア、および前記少なくとも１つの提案合同イベントのための少なくとも１つの提案時間評価基準を包含する。加えてそれは、さらに、前記少なくとも１人の第２の参加者の前記少なくとも１人の第１の参加者との連絡を援助するためのコンピュータ処理手段を包含する、この種のインターネット・コンピュータシステムを提供する。またそれは、前記少なくとも１人の第２の参加者の前記少なくとも１人の第１の参加者との連絡を援助するための前記コンピュータ処理手段が、前記第２の参加者に対する前記第１の参加者の第１の連絡情報の非開示を援助するためのコンピュータ処理手段、および前記第１の参加者に対する前記第２の参加者の第２の連絡情報の非開示を援助するためのコンピュータ処理手段を包含する、この種のインターネット・コンピュータシステムを提供する。
【００１６】
ここでの別の好ましい実施態様によれば、本発明は、少なくとも１人の第２の参加者による少なくとも１人の第１の参加者の参加者個人プロファイル情報の表示を援助するための少なくとも１つの提案合同イベントを見つけることに関係するインターネット・コンピュータシステム用のコンピュータシステムを提供し、当該コンピュータシステムは、提案イベント情報をサーチ可能にストアすることを援助するべく構造化され、かつアレンジされた少なくとも１つのコンピュータ処理であって、前記提案イベント情報が、少なくとも１つのタイプの提案合同イベント、前記提案合同イベントのための少なくとも１つの提案地理的エリア、および前記少なくとも１つの提案合同イベントのための少なくとも１つの提案時間評価基準、を少なくとも包含する、コンピュータ処理と、前記少なくとも１つの提案合同イベントについて前記少なくとも１人の第１の参加者のために入力を可能にすることを援助するべく構造化され、かつアレンジされた少なくとも１つのコンピュータ処理と、前記参加者個人プロファイル情報をサーチ可能にストアすることを援助するべく構造化され、かつアレンジされた少なくとも１つのコンピュータ処理であって、前記参加者個人プロファイル情報が、少なくとも１つの一意的な識別子、前記少なくとも１つのタイプの前記提案合同イベント、前記少なくとも１つのタイプの提案合同イベントの少なくとも１つの第１の習熟レベルの事物、人口学的情報、および連絡情報、を少なくとも包含する、コンピュータ処理と、前記少なくとも１人の第１の参加者の前記参加者個人プロファイル情報のために入力を可能にすることを援助するべく構造化され、かつアレンジされた少なくとも１つのコンピュータ処理と、前記入力された提案合同イベントと前記入力された参加者個人プロファイル情報とを関連付けることを可能にすることを援助するべく構造化され、かつアレンジされた少なくとも１つのコンピュータ処理と、前記少なくとも１つの提案合同イベントの提案される整合のための前記少なくとも１人の第２の参加者の第１のサーチ可能な評価基準のために入力を可能にすることを援助するべく構造化され、かつアレンジされた少なくとも１つのコンピュータ処理と、前記コンピュータ・データベースから前記第１のサーチ可能な評価基準に整合する前記ストアされた提案イベント情報を検索することを援助するべく構造化され、かつアレンジされた少なくとも１つのコンピュータ処理と、前記検索された提案イベント情報に関連付けされる前記入力された参加者プロファイル情報を表示することを援助するべく構造化され、かつアレンジされた少なくとも１つのコンピュータ処理と、を包含する。さらにまたそれは、前記少なくとも１つのタイプの提案合同イベントが少なくとも１つのスポーツイベントを包含する、この種のコンピュータシステムを提供する。さらにまたそれは、前記少なくとも１人の第１の参加者および前記少なくとも１人の第２の参加者のうちの少なくとも１人が少なくとも１つのチームを構成する、この種のコンピュータシステムを提供する。さらにまたそれは、前記少なくとも１人の第１の参加者および前記少なくとも１人の第２の参加者のうちの少なくとも１人が少なくとも１つのカップルを構成する、この種のコンピュータシステムを提供する。さらにまたそれは、さらに、前記少なくとも１人の第１の参加者のために、前記少なくとも１つのタイプの提案合同イベントの少なくとも１つの第１の習熟レベルの入力を可能にすることを援助するべく構造化され、かつアレンジされた少なくとも１つのコンピュータ処理と、前記少なくとも１つのタイプの提案合同イベントの前記少なくとも１つの習熟レベルとの提案される整合のための前記少なくとも１人の第２の参加者の少なくとも１つの第２のサーチ可能な評価基準のために入力を可能にすることを援助するべく構造化され、かつアレンジされた少なくとも１つのコンピュータ処理と、前記コンピュータ・データベースから前記第２のサーチ可能な評価基準に整合する前記提案イベント情報を検索することを援助するべく構造化され、かつアレンジされた少なくとも１つのコンピュータ処理と、前記検索された提案イベント情報に関連付けされる前記入力された参加者プロファイル情報を表示することを援助するべく構造化され、かつアレンジされた少なくとも１つのコンピュータ処理と、を包含する、この種のコンピュータシステムを提供する。さらにまたそれは、さらに、前記少なくとも１人の第１の参加者のために前記コンピュータ・データベースから前記提案イベント情報を検索することを援助するべく構造化され、かつアレンジされた少なくとも１つのコンピュータ処理を包含する、この種のコンピュータシステムを提供する。さらにまたそれは、さらに、前記個人プロファイル情報の提案される整合のための前記少なくとも１人の第２の参加者の少なくとも１つの第３のサーチ可能な評価基準のために入力を可能にすることを援助するべく構造化され、かつアレンジされた少なくとも１つのコンピュータ処理と、前記コンピュータ・データベースから前記第３のサーチ可能な評価基準に整合する前記個人プロファイル情報を検索することを援助するべく構造化され、かつアレンジされた少なくとも１つのコンピュータ処理と、を包含する、この種のコンピュータシステムを提供する。さらにまたそれは、前記個人プロファイル情報が、さらに、子供の情報、参加者の背景情報、個人的特徴の情報、好きな食べ物の情報、好みの音楽の情報、および少なくとも１つの画像のうちの少なくとも２つを包含する、この種のコンピュータシステムを提供する。さらにまたそれは、さらに、少なくとも１つの掲示板投稿をサーチ可能にストアすることを援助するべく構造化され、かつアレンジされた少なくとも１つのコンピュータ処理と、前記少なくとも１つの掲示板投稿について前記少なくとも１人の第１の参加者のために入力を可能にすることを援助するべく構造化され、かつアレンジされた少なくとも１つのコンピュータ処理と、前記少なくとも１つの前記掲示板投稿と前記少なくとも１人の第１の参加者を関連させることを援助するべく構造化され、かつアレンジされた少なくとも１つのコンピュータ処理と、前記個人プロファイル情報との提案される整合のための前記少なくとも１人の第２の参加者の少なくとも１つの第４のサーチ可能な評価基準のために入力を可能にすることを援助するべく構造化され、かつアレンジされた少なくとも１つのコンピュータ処理と、前記第４のサーチ可能な評価基準に整合する前記個人プロファイル情報に関連付けされた前記少なくとも１つの掲示板投稿を検索することを援助するべく構造化され、かつアレンジされた少なくとも１つのコンピュータ処理と、を包含する、この種のコンピュータシステムを提供する。さらにまたそれは、前記第４のサーチ可能な評価基準が、少なくとも１つのタイプの提案合同イベント、前記提案合同イベントのための少なくとも１つの提案地理的エリア、および前記少なくとも１つの提案合同イベントのための少なくとも１つの提案時間評価基準、を包含する、この種のコンピュータシステムを提供する。さらにまたそれは、さらに、前記少なくとも１人の第２の参加者の前記少なくとも１人の第１の参加者との連絡を援助することを援助するべく構造化され、かつアレンジされた少なくとも１つのコンピュータ処理を包含する、この種のコンピュータシステムを提供する。さらにまたそれは、前記少なくとも１人の第２の参加者の前記少なくとも１人の第１の参加者との連絡を援助することを援助するべく構造化され、かつアレンジされた前記少なくとも１つのコンピュータ処理が、前記第２の参加者に対する前記第１の参加者の第１の連絡情報の非開示を援助することを援助するべく構造化され、かつアレンジされた少なくとも１つのコンピュータ処理と、および前記第１の参加者に対する前記第２の参加者の第２の連絡情報の非開示を援助することを援助するべく構造化され、かつアレンジされた少なくとも１つのコンピュータ処理と、を包含する、この種のコンピュータシステムを提供する。
【００１７】
本明細書の好ましい実施形態によれば、本発明は、少なくとも１つの確認済みスケジューリング済みイベントをもたらす、少なくとも１つのインターネットウェブサイトの登録済みユーザのネットワークの間で少なくとも１つの登録済みユーザの少なくとも１つの未確認未スケジューリング提案イベントの好みの提供に関する方法であって、インターネットウェブサイトの複数の登録済みユーザの個人連絡情報のストレージを提供するステップと、インターネットウェブサイトの少なくとも１人の第１登録済みユーザの少なくとも１つの未確認未スケジューリング提案イベントの好みのストレージを提供するステップと、インターネットウェブサイトの複数の登録済みユーザの少なくとも１つの第１登録済みユーザの選択したセットへの上記少なくとも１つの未確認未スケジューリング提案イベントの好みの通信を提供するステップと、少なくとも１つの登録済みユーザの選択したセットの少なくとも１人の他の会員に、少なくとも１つの第１登録済みユーザの選択したセットの少なくとも１人の会員による少なくとも１つの好ましい未確認未スケジューリング提案イベントへの参加の関心の通信を提供するステップと、少なくとも１つの好ましい未確認未スケジューリング提案イベントへの参加への少なくとも１人の他の会員による関心の承認を提供するステップと、少なくとも１つの今は承認された確認済みスケジューリング済みイベントの自動的スケジューリングおよびストアを提供するステップと、参加を承認する少なくとも１つの他の会員すなわち「承認済み参加者」へ上記今は確認済みのスケジューリング済みイベントの詳細の自動的通信を提供するステップと、を含む方法を提供する。さらに、本発明は、承認済み参加者への上記今は確認済みのスケジューリング済みイベントの詳細の通信の上記ステップが、承認済み参加者のうちの少なくとも１人の利益のために、今は確認済みのスケジューリング済みイベントの詳細を表示するステップを含む、上記方法を提供する。さらに、本発明は、通信する登録済みユーザによる少なくとも１つの好ましい未確認未スケジューリング提案イベントへの参加への関心の承認を提供する上記ステップが、インターネットによって配信される少なくとも１つのＥメールメッセージによって登録済みユーザの間で承認の通知を提供するステップを含む、上記方法を提供する。また、本発明は、通信する登録済みユーザによる少なくとも１つの好ましい未確認未スケジューリング提案イベントへの参加への関心の承認を提供する上記ステップが、少なくとも１つの遠隔通信ネットワーク上で配信される少なくともＳＭＳメッセージによって登録済みユーザの間で承認の通知を提供するステップを含む、上記方法を提供する。さらに、本発明は、承認済み参加者への上記今は確認済みスケジューリング済みイベントの詳細の自動的通信の上記ステップが、インターネットによって配信される少なくとも１つのＥメールメッセージによって上記詳細の通信を提供することを含む、上記方法を提供する。また、本発明は、承認済み参加者への上記今は確認済みスケジューリング済みイベントの詳細の通信の上記ステップが、少なくとも１つの遠隔通信ネットワーク上の少なくともＳＭＳメッセージによって上記詳細の通信を提供するステップを含む、上記方法を提供する。さらに、本発明は、経過した確認済みスケジューリング済みイベントが発生することを意図された日付の後に、上記確認済みスケジューリング済みイベントの表示を提供するステップをさらに含む上記方法であって、少なくとも１つの好ましい未確認未スケジューリング提案イベントに参加できる承認済み参加者の数の制限を提供するステップをさらに含む、方法を提供する。さらに、本発明は、少なくとも１つの登録済みユーザの利益のために、少なくとも１つの好ましい未確認未スケジューリング提案イベントに参加できる承認済み参加者の数の特定の登録済みユーザの提案した制限に関連する残りの承認済み参加者の空きの少なくとも１つの量の表示を提供するステップをさらに含む、上記方法を提供する。さらに、本発明は、少なくとも１つの登録済みユーザの利益のために、確認済み登録済みユーザが今は確認済みスケジューリング済みイベントに関してさらに通信できるようにするために、今は確認済みスケジューリング済みイベントに参加できる少なくとも１つの確認済み参加者の承認済み個人連絡情報の表示を提供するステップをさらに含む、上記方法を提供する。さらに、本発明は、少なくとも１人の第１参加者の連絡情報の別の参加者への非開示の支援を提供するステップと、そのような少なくとも１人の第２参加者の連絡情報の上記第１参加者への非開示の支援を提供するステップと、をさらに含む、上記方法を提供する。また、本発明は、確認済みスケジューリング済みイベントが発生することを意図された日付が経過した後に、上記確認済みスケジューリング済みイベントの参加者からの確認済みスケジューリング済みイベントに関するデータの収集を提供するステップをさらに含む、上記方法を提供する。さらに、本発明は、上記ＳＭＳメッセージングが、少なくとも１つのインターネットウェブサイトを介する結合によって支援される、上記方法を提供する。また、本発明は、上記ＳＭＳメッセージングが、少なくとも１つのインターネットウェブサイトを介する結合によって支援される、上記方法を提供する。さらに、本発明は、少なくとも１つの好ましい未確認未スケジューリング提案イベントへの参加への少なくとも１人の他の会員による関心の承認を提供するステップが、少なくとも１つのクリック可能ハイパーリンクの表示を提供することを含み、このハイパーリンクは、１回クリックされた時に少なくとも１つのインターネットウェブサイトの登録済みユーザに承認済みの関心を通信する、上記方法を提供する。さらに、本発明は、確認済みスケジューリング済みイベントが発生することを意図された日付が経過した後に、上記確認済みスケジューリング済みイベントの参加者からの確認済みスケジューリング済みイベントに関するデータの収集を提供するステップが、確認済みスケジューリング済みイベントの参加者からの、参加者のうちの少なくとも１人の挙動プロファイリングに関する入力の支援を提供するステップを含む、上記方法を提供する。さらに、本発明は、参加者のうちの少なくとも１人のそれぞれの上記挙動プロファイリングに関する統計データのコンパイルを支援するステップをさらに含む、上記方法を提供する。さらに、本発明は、上記統計データの匿名表示を支援するステップをさらに含む、上記方法を提供する。さらに、本発明は、各参加者プロファイルページデータに結合された上記統計データの表示を提供するステップをさらに含む、上記方法を提供する。
【００１８】
本明細書の別の好ましい実施形態によれば、本発明は、少なくとも１つの確認済みスケジューリング済みイベントをもたらす、少なくとも１つのインターネットウェブサイトの登録済みユーザのネットワークの間における少なくとも１人の登録済みユーザの少なくとも１つの未確認未スケジューリング提案イベントの好みの提供に関する方法であって、インターネットウェブサイトの複数の登録済みユーザの個人連絡情報のストレージを提供するステップと、インターネットウェブサイトの少なくとも１人の第１登録済みユーザの少なくとも１つの未確認未スケジューリング提案イベントの好みのストレージを提供するステップと、インターネットウェブサイトの複数の登録済みユーザの少なくとも１つの第１登録済みユーザの選択したセットへの上記少なくとも１つの未確認未スケジューリング提案イベントの好みの通信を提供するステップと、少なくとも１つの登録済みユーザの選択したセットの少なくとも１人の他の会員に、少なくとも１つの第１登録済みユーザの選択したセットの少なくとも１人の会員による少なくとも１つの好ましい未確認未スケジューリング提案イベントへの参加の関心の通信を提供するステップと、少なくとも１つの好ましい未確認未スケジューリング提案イベントへの参加への少なくとも１人の他の会員による関心の承認を提供するステップと、少なくとも１つの今は承認された確認済みスケジューリング済みイベントの自動的スケジューリングおよびストアを提供するステップと、参加を承認する少なくとも１人の他の会員すなわち「承認済み参加者」の上記今は確認済みスケジューリング済みイベントの詳細の自動的通信を提供するステップと、を含み、上記未スケジューリング提案イベントの好みが、スポーツ関連である、方法を提供する。さらに、本発明は、上記未スケジューリング提案イベントの好みが、スポーツチーム関連である、上記方法を提供する。
【００１９】
本明細書の好ましい実施態様によれば、本発明は、少なくとも１つのコンピュータネットワークの少なくとも１つ複数の登録済みユーザに関連する個人プロファイルデータをサーチ可能に格納するコンピュータ個人プロファイルデータベース手段と、少なくとも１つのコンピュータネットワークの少なくとも１つの登録済みユーザに関連する、少なくとも１つの活動タイプの少なくとも１つの提案された複数人活動に関連する活動データをサーチ可能に格納するコンピュータ提案される活動データベース手段とを含み、上記少なくとも１つの提案された複数人活動が、上記少なくとも１つの提案された複数人活動に関連する複数の人の少なくとも１つの最小人数の出席を必要とし、上記少なくとも１つの提案された複数人活動に関連する上記活動データが、少なくとも１つの上記活動タイプと、必要な複数の人の少なくとも１つのプロファイル記述と、少なくとも１つの地理的区域と、少なくとも１つの時間枠とを含み、上記少なくとも１つの複数人の提案された活動に参加するための少なくとも１つの上記登録済みユーザからの少なくとも１つの要求を受信するのを助けるコンピュータ活動参加要求インターフェース手段と、上記少なくとも１つの複数人の提案された活動に参加するための上記少なくとも１つの上記登録済みユーザからの上記少なくとも１つの要求を自動的にサーチ可能に格納するコンピュータ参加要求データベース手段と、上記少なくとも１つの提案された複数人活動を管理するコンピュータ活動マネージャプロセッサ手段とを含み、上記コンピュータ活動マネージャプロセッサ手段が、上記少なくとも１つの複数人の提案された活動に参加するための、上記少なくとも１つの要求に応答する少なくとも１つの応答を管理するコンピュータ活動参加応答マネージャプロセッサ手段と、少なくとも１つのスケジューリングされた活動を形成するために、上記少なくとも１つの複数人の提案された活動への十分な参加を確認する助けるコンピュータ活動参加マネージャプロセッサ手段と、上記少なくとも１つのスケジューリングされた活動に関連する情報を上記少なくとも１つのスケジューリングされた活動に参加するためにスケジューリングされた登録済みユーザに自動的に通信するコンピュータスケジューリング済み活動コミュニケータプロセッサ手段と、を含むことを特徴とするコンピュータシステムを提供する。さらに、本発明は、上記コンピュータ活動参加マネージャプロセッサ手段が、少なくとも１つの上記提案された複数人活動への参加を少なくとも１つのコンピュータネットワークの上記少なくとも１つ複数の登録済みユーザの指定されたユーザに制限するのを助けるコンピュータ活動参加サブネットワークプロセッサ手段を含むことを特徴とする上記コンピュータシステムを提供する。さらに、本発明は、上記コンピュータ活動参加マネージャプロセッサ手段が、少なくとも１つのコンピュータネットワークの上記少なくとも１つ複数の登録済みユーザの個人プロファイルデータに関連する少なくとも１つの上記提案された複数人活動への参加を制限するのを助けるコンピュータ活動参加サブネットワークプロセッサ手段を含むことを特徴とする上記コンピュータシステムを提供する。また、本発明は、少なくとも１つの登録済みユーザサブネットワークを形成するために、少なくとも１つのコンピュータネットワークの少なくとも１つの登録済みユーザを少なくとも１つのコンピュータネットワークの少なくとも１つの他の登録済みユーザに関連付けるのを助けるコンピュータユーザ関連付けインターフェース手段と、上記少なくとも１つの登録済みユーザサブネットワークの格納を助けるコンピュータユーザサブネットワークデータベース手段とをさらに含み、上記コンピュータ活動参加マネージャプロセッサ手段が、少なくとも１つの上記提案された複数人活動への参加を少なくとも１つの指定された少なくとも１つの登録済みユーザサブネットワーク内の人に制限するのを助けるコンピュータ活動参加サブネットワークプロセッサ手段を含むことを特徴とする上記コンピュータシステムを提供する。さらに、本発明は、上記少なくとも１つの提案された複数人活動ヘの参加を望む出席者の人数を設定するコンピュータ出席数設定インターフェース手段をさらに含み、上記コンピュータ活動参加マネージャプロセッサ手段が、上記少なくとも１つのスケジューリングされた活動への参加のためにスケジューリングされた登録済みユーザの人数が上記少なくとも１つの提案された複数人活動への参加が望まれる出席者の人数と等しいときに、追加の登録済みユーザが上記少なくとも１つの提案された複数人活動への参加を確認するのを防ぐコンピュータ活動参加クロージングプロセッサ手段を含むことを特徴とする上記コンピュータシステムを提供する。また、本発明は、参加状況情報を上記少なくとも１つの提案された複数人活動への参加を確認することを防がれた上記登録済みユーザに自動的に通信するコンピュータ参加状況通信プロセッサ手段をさらに含むことを特徴とする上記コンピュータシステムを提供する。さらに、本発明は、上記コンピュータ活動参加マネージャプロセッサ手段が、少なくとも１つの登録済みユーザによってクリックされる時に、上記少なくとも１つの複数人の提案された活動へのその登録済みユーザの参加を確認する少なくとも１つのクリック可能ハイパーリンクを生成するのを助けるコンピュータハイパーリンク生成インターフェース手段を含むことを特徴とする上記コンピュータシステムを提供する。さらに、本発明は、上記少なくとも１つの提案された複数人活動に関連する少なくとも１つの電話送信される信号を受信するのを助けるコンピュータインターフェース手段と、上記少なくとも電話送信される信号を少なくとも１つの登録済みユーザに関連付けるコンピュータ電話送信信号対ユーザプロセッサ手段と、上記少なくとも１つの電話送信される信号を上記少なくとも１つの複数人の提案された活動に参加するための少なくとも１つの上記登録済みユーザからの上記少なくとも１つの要求に応答する上記少なくとも１つの提案された複数人活動への参加の拒否または参加の確認として解釈するコンピュータ電話送信信号解釈プロセッサ手段とをさらに含むことを特徴とする上記コンピュータシステムを提供する。さらに、本発明は、少なくとも１つの複数人の提案された活動に参加するための少なくとも１つの要求を承認するコンピュータ参加承認プロセッサ手段をさらに含むことを特徴とする上記コンピュータシステムを提供する。さらに、本発明は、上記コンピュータ活動マネージャプロセッサ手段が、少なくとも１つの複数人の提案された活動に参加するための少なくとも１つの要求を取り消すコンピュータ活動取消プロセッサ手段をさらに含むことを特徴とする上記コンピュータシステムを提供する。また、本発明は、上記コンピュータ活動マネージャプロセッサ手段が、クロージング条件が満足されるときに参加者要求受入を防ぐために少なくとも１つの複数人の提案された活動をクローズするコンピュータ活動クロージングプロセッサ手段をさらに含むことを特徴とする上記コンピュータシステムを提供する。さらに、本発明は、上記コンピュータ活動マネージャプロセッサ手段が、再オープニング条件が満足されるときに少なくとも１つの複数人の提案された活動での参加要求受入を再オープンするコンピュータ活動再オープニングプロセッサ手段をさらに含むことを特徴とする上記コンピュータシステムを提供する。そして本発明は、上記コンピュータ活動マネージャプロセッサ手段が、上記少なくとも１つの複数人の提案された活動の上記再オープニングを上記少なくとも１つの複数人の提案された活動に関連する複数の人に自動的に通信するためにコンピュータ再オープニングコミュニケータプロセッサ手段をさらに含むことを特徴とする上記コンピュータシステムを提供する。さらに、本発明は、上記クロージング条件が、少なくとも１つの時間的条件および／または少なくとも１つの出席条件を含むことを特徴とする上記コンピュータシステムを提供する。またさらに、本発明は、上記再オープニング条件が、少なくとも１つのスケジューリングされた参加者の取消を含むことを特徴とする上記コンピュータシステムを提供する。
【００２０】
本明細書のもう１つの好ましい実施態様によれば、本発明は、少なくとも１つのコンピュータネットワークの少なくとも１つ複数の登録済みユーザに関連する個人プロファイルデータをサーチ可能に格納するように構造化され、配置された少なくとも１つのコンピュータ個人プロファイルデータベースと、少なくとも１つのコンピュータネットワークの少なくとも１つの登録済みユーザに関連する、少なくとも１つの活動タイプの少なくとも１つの提案された複数人活動に関連する活動データをサーチ可能に格納するように構造化され、配置された少なくとも１つのコンピュータ提案活動データベースと、を含み、上記少なくとも１つの提案された複数人活動が、上記少なくとも１つの提案された複数人活動に関連する複数の人のすべての出席を必要とし、上記少なくとも１つの提案された複数人活動に関連する上記活動データが、少なくとも１つの上記活動タイプと、必要な複数の人の少なくとも１つのプロファイル記述と、少なくとも１つの地理的区域と、少なくとも１つの時間枠とを含み、上記少なくとも１つの複数人の提案された活動に参加するための少なくとも１つの上記登録済みユーザからの少なくとも１つの要求の受信を助けるように構造化され、配置された少なくとも１つのコンピュータ活動参加要求インターフェースと、上記少なくとも１つの複数人の提案された活動に参加するための上記少なくとも１つの登録済みユーザからの上記少なくとも１つの要求を自動的にサーチ可能に格納するように構造化され、配置された少なくとも１つのコンピュータ参加要求データベースと、上記少なくとも１つの複数人の提案された活動に参加するための上記少なくとも１つの要求に応答する少なくとも１つの応答を管理するように構造化され、配置された少なくとも１つのコンピュータ活動参加応答マネージャと、少なくとも１つのスケジューリングされた活動を形成するために上記少なくとも１つの複数人の提案された活動への十分な参加を確認するのを助けるように構造化され、配置された少なくとも１つのコンピュータ活動参加マネージャプロセッサと、上記少なくとも１つのスケジューリングされた活動に関連する情報を上記少なくとも１つのスケジューリングされた活動に参加するためにスケジューリングされた登録済みユーザに自動的に通信するように構造化され、配置された少なくとも１つのコンピュータスケジューリングされた活動コミュニケータプロセッサと、を含むことを特徴とするコンピュータシステムを提供する。さらに、本発明は、上記少なくとも１つのコンピュータ活動参加マネージャプロセッサが、少なくとも１つの上記提案された複数人活動への参加を少なくとも１つのコンピュータネットワークの少なくとも１つ複数の登録済みユーザの指定されたユーザに制限するのを助けるように構造化され、配置された少なくとも１つのコンピュータ活動参加サブネットワークプロセッサを含むことを特徴とする上記コンピュータシステムを提供する。さらに、本発明は、上記少なくとも１つのコンピュータ活動参加マネージャプロセッサが、少なくとも１つのコンピュータネットワークの上記少なくとも１つ複数の登録済みユーザの個人プロファイルデータに関連する少なくとも１つの上記提案された複数人活動への参加を制限するのを助けるように構造化され、配置された少なくとも１つのコンピュータ活動参加サブネットワークプロセッサを含むことを特徴とする上記コンピュータシステムを提供する。また、本発明は、少なくとも１つのコンピュータネットワークの少なくとも１つの登録済みユーザを少なくとも１つのコンピュータネットワークの少なくとも１つの他の登録済みユーザに関連付け、少なくとも１つの登録済みユーザサブネットワークを形成するのを助けるように構造化され、配置された少なくとも１つのコンピュータユーザ関連付けインターフェースと、上記少なくとも１つの登録済みユーザサブネットワークの格納を助けるように構造化され、配置された少なくとも１つのコンピュータユーザサブネットワークデータベースと、をさらに含み、上記コンピュータ活動参加マネージャプロセッサが、少なくとも１つの上記提案された複数人活動への参加を少なくとも１つの指定された少なくとも１つの登録済みユーザサブネットワーク内の人に制限するのを助けるように構造化され、配置された少なくとも１つのコンピュータ活動参加サブネットワークプロセッサを含むことを特徴とする上記コンピュータシステムを提供する。さらに、本発明は、上記少なくとも１つの提案された複数人活動に参加することが望まれる出席者の人数を設定するように構造化され、配置された少なくとも１つのコンピュータ出席数設定インターフェースをさらに含み、上記少なくとも１つのコンピュータ活動参加マネージャプロセッサが、上記少なくとも１つのスケジューリングされた活動に参加するためにスケジューリングされた登録済みユーザの人数が上記少なくとも１つの提案された複数人活動に参加することが望まれる出席者の人数と等しいときに、追加の登録済みユーザが上記少なくとも１つの提案された複数人活動に参加することを確認するのを防ぐように構造化され、配置された少なくとも１つのコンピュータ活動参加クロージングプロセッサを含むことを特徴とする上記コンピュータシステムを提供する。本発明は、参加状況情報を上記少なくとも１つの提案された複数人活動への参加の確認を防がれた上記登録済みユーザに自動的に通信するように構造化され、配置された少なくとも１つのコンピュータ参加状況通信プロセッサをさらに含むことを特徴とする上記コンピュータシステムを提供する。さらに、本発明は、上記少なくとも１つのコンピュータ活動参加マネージャプロセッサが、少なくとも１つの登録済みユーザによってクリックされる時に、上記少なくとも１つの複数人の提案された活動へのその登録済みユーザの参加を確認する少なくとも１つのクリック可能ハイパーリンクを生成するのを助けるように構造化され、配置された少なくとも１つのコンピュータハイパーリンク生成インターフェースを含むことを特徴とする上記コンピュータシステムを提供する。またさらに、本発明は、上記少なくとも１つの提案された複数人活動に関連する少なくとも１つの電話送信される信号を受信するのを助けるように構造化され、配置された少なくとも１つのコンピュータインターフェースと、上記少なくとも１つの電話送信される信号を少なくとも１つの登録済みユーザに関連付けるように構造化され、配置された少なくとも１つのコンピュータ電話送信信号対ユーザプロセッサと、上記少なくとも１つの複数人の提案された活動に参加するための少なくとも１つの上記登録済みユーザからの上記少なくとも１つの要求に応答する上記少なくとも１つの提案された複数人活動への参加の拒否または参加の確認として上記少なくとも１つの電話送信される信号を解釈するように構造化され、配置された少なくとも１つのコンピュータ電話送信信号解釈プロセッサとをさらに含むことを特徴とする上記コンピュータシステムを提供する。さらに、本発明は、少なくとも１つの複数人の提案された活動に参加するための少なくとも１つの要求を承認するように構造化され、配置された少なくとも１つのコンピュータ参加承認プロセッサをさらに含むことを特徴とする上記コンピュータシステムを提供する。さらに、本発明は、上記少なくとも１つのコンピュータ活動マネージャプロセッサが、少なくとも１つの複数人の提案された活動に参加するための少なくとも１つの要求を取り消すように構造化され、配置された少なくとも１つのコンピュータ活動取消プロセッサを含むことを特徴とする上記コンピュータシステムを提供する。さらに、本発明は、上記コンピュータ活動マネージャプロセッサが、クロージング条件が満足されるときに参加者要求受入を防ぐために少なくとも１つの複数人の提案された活動をクローズするように構造化され、配置された少なくとも１つのコンピュータ活動クロージングプロセッサをさらに含むことを特徴とする上記コンピュータシステムを提供する。さらに、本発明は、上記コンピュータ活動マネージャプロセッサが、再オープニング条件が満足されるときに少なくとも１つの複数人の提案された活動での参加要求受入を再オープンするように構造化され、配置された少なくとも１つのコンピュータ活動再オープニングプロセッサをさらに含むことを特徴とする上記コンピュータシステムを提供する。さらに、本発明は、上記コンピュータ活動マネージャプロセッサが、上記少なくとも１つの複数人の提案された活動の上記再オープニングを上記少なくとも１つの複数人の提案された活動に関連する複数の人に自動的に通信するように構造化され、配置された少なくとも１つのコンピュータ再オープニングコミュニケータプロセッサをさらに含むことを特徴とする上記コンピュータシステムを提供する。さらに、本発明は、上記クロージング条件が、少なくとも１つの時間的条件および／または少なくとも１つの出席条件を含むことを特徴とする上記コンピュータシステムを提供する。さらに、本発明は、上記再オープニング条件が、少なくとも１つのスケジューリングされた参加者の取消を含むことを特徴とする上記コンピュータシステムを提供する。
【００２１】
本明細書のもう１つの好ましい実施態様によれば、本発明は、少なくとも１つのソシアルネットワークウェブサイトによって少なくとも１つの他のウェブサイトに、上記少なくとも１つの他のウェブサイトでの表示のために少なくとも１つのソシアルネットワークウェブサイトの少なくとも１つのソシアルネットワークウェブサイト特徴の統合を提供するステップと、上記提供の受入時に、上記少なくとも１つの他のウェブサイトでの表示のために少なくとも１つのソシアルネットワークウェブサイトの少なくとも１つのソシアルネットワークウェブサイト特徴を統合するステップと、を含み、少なくとも１つの他のウェブサイトのユーザが、少なくとも１つの他のウェブサイトにある間に上記少なくとも１つのソシアルネットワークウェブサイト特徴にアクセスすることを許可されることを特徴とする方法を提供する。
【図面の簡単な説明】
【００２２】
【図１】本発明の好ましい実施態様に従った本システムに使用されるネットワーク通信の略図的な全体図である。
【図２】本発明の好ましい実施態様に従った本システムのウェブサイト・サーバとユーザの間の関係の簡略化された機能図的な全体図である。
【図３】図１の好ましい実施態様に従ったウェブサーバと引き合わせウェブサイトおよびその主要機能の間の関係の簡略化された機能図的な全体図である。
【図４】本発明の好ましい実施態様に従った本システムおよび方法に関連付けされた主要な実体およびそれらの関係の要約図である。
【図５】本発明の好ましい実施態様に従った本システムおよび方法において遂行できる主要なステップの要約図である。
【図６】本発明の好ましい実施態様に従った、来訪者に呈示されるウェブサイトのホーム・ページ・スクリーンについての例を示した説明図である。
【図７】本発明の好ましい実施態様に従った、会員のログイン後に表示されるウェルカム・スクリーンの例を示した説明図である。
【図８】本発明の好ましい実施態様に従った、新しい会員の登録に使用される会員登録スクリーンの例を示した説明図である。
【図９】本発明の好ましい実施態様に従った、新しい独身会員によって完成される独身会員プロファイル・スクリーンの例を示した説明図である。
【図１０】本発明の好ましい実施態様に従った、会員によって使用される自分たちの会員プロファイルに写真を追加するスクリーンの例を示した説明図である。
【図１１】本発明の好ましい実施態様に従った、カップルとして入会する新しい会員によって完成されるカップル会員プロファイル・スクリーンの例を示した説明図である。
【図１２】本発明の好ましい実施態様に従った、チームとして入会する新しい会員によって完成されるチーム会員プロファイル・スクリーンの例を示した説明図である。
【図１３】本発明の好ましい実施態様に従った、特定の活動、通常はスポーツ関連の活動のための希望する引き合わせ情報を入力するために会員によって使用される引き合わせ要求スクリーンの例を示した説明図である。
【図１４】本発明の好ましい実施態様に従った、引き合わせの要求時に会員のプロファイルに新しいスポーツ技能が追加されることを気付かせるスクリーンの例を示した説明図である。
【図１５】本発明の好ましい実施態様に従った、会員をスクリーンネームによって見つけるために使用されるクイック・サーチ・スクリーンの例を示した説明図である。
【図１６】本発明の好ましい実施態様に従った、会員が特定の属性を伴う会員を探すことを可能にする会員サーチ・スクリーンの例を示した説明図である。
【図１７】本発明の好ましい実施態様に従った、会員が特定の属性のセットを伴う子供を探すことを可能にするキッズ・サーチ・スクリーンの例を示した説明図である。
【図１８】本発明の好ましい実施態様に従った、会員サーチ結果スクリーンの例を示した説明図である。
【図１９】本発明の好ましい実施態様に従った、完成された会員プロファイルの例を示した説明図である。
【図２０】本発明の好ましい実施態様に従った、会員の好みリスト・スクリーンの例を示した説明図である。
【図２１】本発明の好ましい実施態様に従った、会員の写真スクリーンの例を示した説明図である。
【図２２】本発明の好ましい実施態様に従った、会員が互いにＥメールを交わすことを可能にするＥメール・スクリーンの例を示した説明図である。
【図２３】本発明の好ましい実施態様に従った、会員が互いにメッセージを交わすことを可能にするインスタントメッセージングスクリーンの例を示した説明図である。
【図２４】本発明の好ましい実施態様に従った、所望の引き合わせ情報を入力した会員を探すための引き合わせサーチ・スクリーンの例を示した説明図である。
【図２５】本発明の好ましい実施態様に従った、会員によって入力されたサーチ評価基準に整合する引き合わせ情報を入力した会員についてすべての会員のプロファイル情報を表示するサーチ結果スクリーンの例を示した説明図である。
【図２６】本発明の好ましい実施態様に従った、掲示板に投稿された可能引き合わせ要求を会員が探すことを可能にする掲示板サーチ・スクリーンの例を示した説明図である。
【図２７】本発明の好ましい実施態様に従った、会員のサーチに整合する掲示板投稿の例を示した説明図である。
【図２８】本発明の好ましい実施態様に従った、会員が新しい掲示板投稿を追加することを可能にする掲示板投稿スクリーンの例を示した説明図である。
【図２９】本発明の好ましい実施態様に従った、会員が広告主を探すことを可能にするディレクトリサーチ・スクリーンの例を示した説明図である。
【図３０】本発明の好ましい実施態様に従った、会員のサーチ評価基準のための場所リスティング・スクリーンの例を示した説明図である。
【図３１】本発明の好ましい実施態様に従った、選択された広告主の場所までの地図または案内を獲得するための地図要求スクリーンの例を示した説明図である。
【図３２】本発明の好ましい実施態様に従った、見込みのある広告主によって使用される広告主情報スクリーンの例を示した説明図である。
【図３３】本発明の好ましい実施態様に従った、ウェブサイト上に情報を載せるために広告主によって使用される最初のサインアップ・スクリーンの例を示した説明図である。
【図３４】本発明の好ましい実施態様に従った、セットアップ・プロセスを通じて広告主を案内するための広告主または場所提供者インストラクション・スクリーンの例を示した説明図である。
【図３５】本発明の好ましい実施態様に従った、広告主のよくある質問に対する回答を提供する広告ヘルプ・スクリーンの例を示した説明図である。
【図３６】本発明の好ましい実施態様に従った、ウェブサイトを通じて値引きを提案する小売業者を表示している会員ショッピング機会スクリーンの例を示した説明図である。
【図３７】本発明の好ましい実施態様に従った、ウェブサイトを通じて値引きを提案する特定のカテゴリ内の広告主および小売業者を表示している会員ショッピング機会スクリーンの例を示した説明図である。
【図３８】本発明の好ましい実施態様に従った、会員によって双方がオンラインのときにチャットに使用されるチャット・スクリーンの例を示した説明図である。
【図３９】本発明の好ましい実施態様に従った、会員によって入力されるサーチ評価基準と整合する引き合わせ情報を入力した会員についてすべての会員のプロファイル情報を表示する代替サーチ結果スクリーンの例を示した説明図である。
【図４０】本発明の好ましい実施態様に従った、別の会員に対してテキスト（ＳＭＳ）メッセージング・スクリーンを介して送信することができる会員プロファイルの例を示した説明図である。
【図４１】本発明の好ましい実施態様に従った、会員が互いにテキスト（ＳＭＳ）メッセージを交わすことを可能にするテキスト（ＳＭＳ）メッセージ・スクリーンの例を示した説明図である。
【図４２】本発明の好ましい実施態様に従った、プレイヤーズガイド広告主によって提出される広告の承認または不承認を可能にする管理者のスクリーンの例を示した説明図である。
【図４３】本発明の好ましい実施態様に従った、広告主が以前に提出した広告の編集を行うことを可能にする広告主編集スクリーンの例を示した説明図である。
【図４４】本発明の好ましい実施態様に従った、プレイヤーズネットワークにリンクする会員の能力を示すユーザプロファイルの例を示す図である。
【図４５】本発明の好ましい実施態様に従った、ユーザのプレイヤーズネットワーク・スクリーンの例を示す図である。
【図４６】本発明の好ましい実施態様に従った、プレイヤーズネットワーク・スクリーンの引き合わせ要求通知サービスの例を示す図である。
【図４７】本発明の好ましい実施態様に従った、引き合わせスクリーン上の引き合わせ要求通知サービスの例を示す図である。
【図４８】本発明の好ましい実施態様に従った、メッセージセンタスクリーンの例を示す図である。
【図４９】本発明の好ましい実施態様に従った、ワンクリック引き合わせ参加特徴の例を示す図である。
【図５０】本発明の好ましい実施態様に従った、引き合わせスクリーンの例を示す図である。
【図５１】本発明の好ましい実施態様に従った、確認済み引き合わせ見出しの引き合わせヒストリ特徴の例を示す図である。
【図５２】本発明の好ましい実施態様に従った、本システムの特徴を簡略化された形で示す簡略化された略図的な全体図である。
【図５３】本発明の好ましい実施態様に従った、本システムの他の特徴を示すもう１つの簡略化された略図的な全体図である。
【図５４】本発明の好ましい実施態様に従った、本システムの好ましい応答管理システムを示す流れ図である。
【図５５】本発明の好ましい実施態様に従った、本システムのユーザの間で通信する方法を全体的に示す単純化された絵図的概要を示す図である。
【図５６】本発明の好ましい実施態様に従った、モバイルデバイスでのモバイルネイティブアプリケーションのインストールを示す概略図である。
【図５７】本発明の好ましい実施態様に従った、「プッシュサービス」を伴うスポーツ縁組みシステムの使用を示す概略図である。
【図５８】本発明の好ましい実施態様に従った、モバイルデバイスを示す拡大図である。
【発明を実施するための形態】
【００２３】
＜定義、略語、およびクロスリファレンス＞
以下の用語および略語は基礎知識として説明されており、本明細書を通じて使用される。
【００２４】
ブログ（BLOG）（ウェブ・ログ（Web log）またはウェブログ（Weblog））。ウェブページ上で公開される個人的な思考の経時的ログ、または人々が自分自身の個人的な経験および趣味についての日記エントリを投稿できる共有されたオンライン日誌等のオンライン日記をサポートする任意のシステム。
【００２５】
チャット／チャット・ルーム。任意数のユーザがタイピングによる（および／または音声ベースの）リアルタイムのオンライン会話を持つことを、すべてのユーザが同一のコンピュータにログインすることによって、または今日ではより一般的であるが、ネットワークを通じて、可能にする任意のシステム。特別なソフトウェアを使用してインターネット・ユーザは、リアルタイムでコミュニケーションが可能なチャット・エリアまたは「仮想空間」に入ることができる。
【００２６】
クライアント−サーバ。１つのサイトのプログラムが、別のサイトのプログラムに要求を送信し、応答を待機する分散システムにおけるインタラクションのモデル。要求しているプログラムが「クライアント」と呼ばれ、その要求に応答するプログラムが「サーバ」と呼ばれる。ワールド・ワイド・ウェブ（World Wide Web）に関して言えば、クライアントが、ユーザのコンピュータ上で動作している「ウェブブラウザ」であり、ウェブサイトにおいてウェブブラウザの要求に応答するプログラムは、一般に「ウェブサーバ」と呼ばれる。
【００２７】
データベース。コンピュータシステム上に維持される１つまたは複数の大規模な構造化された持続性のデータのセットであり、組織のための規則を定義することの他に、クエリに応答してデータを読み出し、書き込み、修正することをはじめ、含まれているデータに関係する統計情報を提供するソフトウェア・システムに従って組織化され、かつ構造化される。考察の目的のためにここで使用されるとき、データベースを、単一の統一されたシステムとしてもよいし、あるいは、特定のデータベース・エレメントが異なるシステム上に配置されるが、調和して作用して１つの統一されたデータベースのように見える分散システムとしてもよい。
【００２８】
ドメイン名システム（ＤＮＳ）。（アルファベット識別子である）ドメイン名を（ＴＣＰ／ＩＰネットワーク上のマシンのための数字識別子である）インターネットプロトコル（Internet Protocol「ＩＰ」）アドレスに翻訳するインターネット・サービス。
【００２９】
Ｅメール。パーソナルコンピュータ間等においてコンピュータネットワークを介して電子的にメッセージを送信し、受信するためのシステム。
【００３０】
拡張マークアップ言語（Extensible Markup Language，ＸＭＬ）。ＸＭＬは、ＸＭＬ文書として知られるデータ・オブジェクトのクラスを記述し、かつそれらの文書を処理するコンピュータ・プログラムの振る舞いを部分的に記述する。より詳細に述べれば、ＸＭＬは、汎用マークアップ言語規約（Standard Generalized Markup Language，ＳＧＭＬとしても知られる）の限定された形式である。ＸＭＬ文書は、文字の形式の解析済みまたは未解析のデータまたは単なる文字のいずれかを包含するエンティティとして定義されるストレージ・ユニットから構成される。ＸＭＬは、より柔軟かつ適応性のある情報の形式を提供することによってインターネットの機能を向上させるべく意図され、設計されている。ＸＭＬは、任意の種類の構造化された情報をストアするため、およびそれを、そのようにカプセル化された形式で、他の場合には通信ができない異なるコンピュータシステム間において渡すために使用できる。
【００３１】
ハイパーテキスト・マークアップ言語（Hypertext Markup Language，ＨＴＭＬ）。文書内の情報コンテントに対するプレゼンテーションのアタッチおよび属性のリンクのための標準のコーディング規約およびコードのセット。文書のオーサリング段階の間に、その文書の情報コンテント内にＨＴＭＬコード（「タグ」と呼ばれる）が埋め込まれる。その後に続いてウェブ文書（または「ＨＴＭＬ文書」）がウェブサーバからウェブブラウザに転送されると、当該ウェブブラウザによってそれらのコードが解釈され、その文書の解析および表示に使用される。ウェブブラウザが文書をどのように表示すべきかの指定に加えて、ＨＴＭＬタグは、他のウェブサイトおよび他のウェブ文書へのリンク（一般に「ハイパーリンク」と呼ばれる）の作成に使用することもできる。ＨＴＭＬに関するより詳しい情報は、イアン・Ｓ．グラハム（Ｉａｎ  Ｓ．Ｇｒａｈａｍ）著「ジ・ＨＴＭＬソース・ブック（Ｔｈｅ  ＨＴＭＬ  Ｓｏｕｒｃｅ  Ｂｏｏｋ）」ジョン・ワイリー・アンド・サンズ・インク（Ｊｏｈｎ  Ｗｉｌｅｙ  ａｎｄ  Ｓｏｎｓ，Ｉｎｃ．）１９９５年、（ＩＳＢＮ  ０４７１−１１８９４−４）を参照されたい。
【００３２】
ハイパーテキスト・トランスポート・プロトコル（Hypertext Transport Protocol，ＨＴＴＰ）。ウェブブラウザとウェブサーバの間における情報（ＨＴＭＬ文書およびその種の文書に向けられたクライアント要求等）の交換のために使用される標準のワールド・ワイド・ウェブ・クライアント・サーバ・プロトコル。ＨＴＴＰは、異なるタイプのサーバのアクションを要求するためにクライアントからサーバに送信されることが可能な多くの異なるタイプのメッセージを含む。たとえばフォーマット「ＧＥＴ」を有する「ＧＥＴ」メッセージは、サーバに、指定されたユニフォーム・リソース・ロケータ（Uniform Resource Locator，ＵＲＬ）にある文書またはファイルを返させる。
【００３３】
ＨＴＴＰＳ。ＨＴＴＰオーバーＳＳＬ（Secure Sockets Layer）は、ＨＴＴＰ通信の安全な形式として最も良好に理解できる。詳細に述べれば、ＳＳＬは、ＨＴＴＰトラフィックの認証および暗号化のために使用されるプロトコルである。動作においては、サーバおよびクライアントが、セッションの間に交換されるすべてのデータの暗号化に使用される一意的な暗号鍵の作成に使用される暗号鍵のセットを交換する。
【００３４】
インライン・フレーム（Inline FRAME）。ＨＴＭＬ  ４標準に含まれる、通常のフレームとよく似たコンテントを伴うフローティング・フレーム。インライン・フレームは、情報のフレームをユーザのディスプレイ上に常時、基礎をなすコンテントのスクロール・アップまたはダウンが行われる場合であっても維持するために有用である。
【００３５】
インスタントメッセージング（Instant Messaging）。「ＩＭ」と略される、電話による会話と類似しているが、音声ベースではなくテキスト−ベースの通信を使用し、インターネットを介してリアルタイムで通信するための、他の個人とのプライベートなチャット・ルームといった類をユーザが作成することを可能にする通信サービスのタイプ。通常、インスタントメッセージングは、ユーザのプライベート・リスト上の誰かがオンラインのとき、そのユーザに警告する。その後ユーザは、その特定の個人とのチャット・セッションを開始できる。
【００３６】
インターネット。分散ネットワークを形成する標準プロトコルのセットによって互いにリンクされた相互接続（公衆および／または専用）ネットワークの集合。この用語によって、現在一般に「インターネット」として知られているものを表すことが意図されるが、既存の標準プロトコルに対する変更および追加を含め、将来作られる可能性のあるバリエーションを包含することも意図される。
【００３７】
ＬＡＮ。通常は建物またはオフィス内において、アプリケーションソフトウェア、プリンタ、およびクライアント情報等のリソースおよびファイルのネットワーク、関連する共有をオフィス間セッティングで可能にするコンピュータシステムのローカル・エリア・ネットワーク（Local Area Network）。
【００３８】
ネイティブアプリケーション。参照されるコンピュータ環境内で動作するように設計されたアプリケーション（機械語およびＯＳ）。この用語は、ネイティブアプリケーションと、単一プラットフォームにネイティブではない、Ｊａｖａアプリケーションなどの解釈されるアプリケーションとを対照させるのに使用される。この用語は、ネイティブアプリケーションと、元々は異なるプラットフォーム用に記述されたエミュレートされるアプリケーションとを対照させるのにも使用される場合がある。
【００３９】
ＰＨＰ。動的ウェブページの作成に使用されるサーバ側、クロス−プラットフォーム、ＨＴＭＬ埋め込みスクリプト言語。ＰＨＰはオープン・ソース・ソフトウェア（Open Source Software）である。
【００４０】
プッシュサービス。「プッシュサービス」は、所与のトランザクションに関する要求がパブリッシャまたは中央サーバによって開始される、インターネットベースの通信のスタイルを記述する。プッシュサービスは、情報の送信の要求が受信側またはクライアントによって開始される「プルテクノロジ」と対照される。
【００４１】
ショート・メッセージ・サービス（Short Message Service，ＳＭＳ）。ほとんどの携帯電話（および他のモバイルデバイス、たとえばポケットＰＣ、または場合によってはデスクトップコンピュータさえ含む）で利用できる、携帯電話、他のハンドヘルドデバイス、さらには陸線電話の間における短いメッセージ（テキストメッセージまたはより日常会話的にはＳＭＳ、テキスト（text）、さらにはｔｘｔとしても知られる）の送信を可能にするサービス。メッセージは、ストア−アンド−フォワード・メカニズムを経由してショート・メッセージ・サービス・センタ（Short Message Service Centre，ＳＭＳＣ）に送信され、それが受信者に対するそのメッセージの送信を試みることになる。そのときユーザが到達可能でなければ、ＳＭＳＣがそのメッセージを保存する。その後、ユーザが到達可能になると、ＳＭＳＣが配信プロセスを再試行する。
【００４２】
ＳＱＬ（Structured Query Language）。ＳＱＬは、データの挿入、削除、更新、およびデータを返させるための一般的なクエリといったタスクを実行する目的でリレーショナル・データベース・マネジメント・システム（オラクル（Oracle）、サイベース（Sybase）、マイクロソフトＳＱＬサーバ、アクセス（Access）等）との通信に使用される標準言語である。
【００４３】
シンプル・オブジェクト・アクセス・プロトコル（Simple Object Access Protocol，ＳＯＡＰ）。ＳＯＡＰは、非集中的な分散されたプラットフォーム非依存環境で情報を交換するための軽量ＸＭＬ／ＨＴＴＰ−ベースのプロトコルである。基本的にＳＯＡＰは、３つの部分からなる。第１は、メッセージ内に何が含まれているか、およびそれがどのように処理されるべきかを記述するためのフレームワークを定義するエンベロープである。第２は、アプリケーション定義のデータ型のインスタンスを表現するためのエンコーディング規則のセットである。第３は、リモートのプロシージャ呼び出しおよび応答を表すための正規化された規約である。
【００４４】
伝送制御プロトコル／インターネットプロトコル（Transmission Control Protocol/Internet Protocol，ＴＣＰ／ＩＰ）。２つのコンピュータがインターネットを介してどのようにデータを交換するかを指定する標準インターネットプロトコル（またはプロトコルのセット）。ＴＣＰ／ＩＰは、パケット化、パケット・アドレシング、およびハンドシェーキングおよびエラー訂正といった問題を取り扱う。ＴＣＰ／ＩＰについてのより詳しい情報は、コマーおよびスティーブンス（Ｃｏｍｅｒ、Ｓｔｅｖｅｎｓ）著「インターネットワーキング・ウィズＴＣＰ／ＩＰ（Ｉｎｔｅｒｎｅｔｗｏｒｋｉｎｇ  ｗｉｔｈ  ＴＣＰ／ＩＰ）」の第Ｉ、ＩＩ、およびＩＩＩ巻、プレンティス・ホール・インク（Ｐｒｅｎｔｉｃｅ  Ｈａｌｌ，Ｉｎｃ．）、ＩＳＢＮ  ０−１３−４６８５０５−９  （ｖｏｌ．Ｉ）、０−１３−１２５５２７−４  （ｖｏｌ．ＩＩ）、および０−１３−４７４２２２−２  （ｖｏｌ．ＩＩＩ）を参照されたい。
【００４５】
ユニフォーム・リソース・ロケータ（Uniform Resource Locator，ＵＲＬ）。インターネット上のファイルまたはその他のリソースの場所を完全に指定する一意的なアドレス。ＵＲＬの一般的な形式は、プロトコル：／／ｍａｃｈｉｎｅ  ａｄｄｒｅｓｓ：ｐｏｒｔ／ｐａｔｈ／ｆｉｌｅｎａｍｅである。ポート指定はオプションであり、ユーザによって入力されないときには、ウェブブラウザが、プロトコルとして指定されているどのようなサービスについても標準のポートをデフォルト設定する。たとえば、ＨＴＴＰがプロトコルとして指定されている場合には、ウェブブラウザがＨＴＴＰのデフォルトのポートを使用することになる。この例のマシン・アドレスは、ファイルが置かれているコンピュータまたはデバイスについてのドメイン名である。
【００４６】
ＷＡＮ。インターネット等のワイド・エリア・ネットワーク（Wide Area Network）。
【００４７】
ワールド・ワイド・ウェブ（「ウェブ」）。ここでは、（１）インターネットを介してアクセス可能な、相互にリンクされた、ユーザが見ることができるハイパーテキスト文書（一般に「ウェブ文書」、「ウェブページ」、「電子ページ」、または「ホーム・ページ」と呼ばれる）の分散された集合、および（２）標準のインターネットプロトコルを使用してその種の文書に対するユーザ・アクセスを提供するクライアントおよびサーバのソフトウェア・コンポーネントの両方を参照するために使用される。現在のところ、アプリケーションにウェブ文書のロケートおよび獲得を可能にするための主要な標準プロトコルは、ハイパーテキスト・トランスファ・プロトコル（ＨＴＴＰ）であり、電子ページは、ハイパーテキスト・マークアップ言語（ＨＴＭＬ）を使用してエンコードされている。しかしながら、用語「ワールド・ワイド・ウェブ」および「ウェブ」には、ハイパーテキスト・マークアップ言語（ＨＴＭＬ）およびハイパーテキスト・トランスファ・プロトコル（ＨＴＴＰ）の代わりに、またはそれらに追加して使用される可能性のある将来的のマークアップ言語およびトランスファ・プロトコルを包含することが意図されている。
【００４８】
図１に、本発明の好ましい実施態様に従った本システムに使用されるネットワーク通信の略図的な全体図を示す。好ましい実施態様は、好ましくはインターネット１０７によってユーザ１１８、１２０、１２２、および１２４に接続される、引き合わせコンピュータシステム１０１を含む。
【００４９】
引き合わせコンピュータシステム１０１は、好ましくはコンピュータシステム１０８を含み、コンピュータシステム１０８は、入出力デバイス、プロセッサ、ストレージ、およびメモリを含む。コンピュータシステム１０８は、好ましくは、ディスプレイスクリーンまたはモニタ１０４、キーボード１１６、プリンタ１１４、およびマウス１０６を含む。コンピュータシステム１０８は、さらに、好ましくはデータベース１０２（少なくとも、本明細書で、少なくとも１つのコンピュータネットワークの少なくとも１つ複数の登録済みユーザに関連する個人プロファイルデータをサーチ可能に格納するコンピュータ個人プロファイルデータベース手段と、少なくとも１つのコンピュータネットワークの少なくとも１つの登録済みユーザに関連する、少なくとも１つの活動タイプの少なくとも１つの提案された複数人活動に関連する活動データをサーチ可能に格納するコンピュータ提案された活動データベース手段と、また、少なくとも１つのコンピュータネットワークの少なくとも１つ複数の登録済みユーザに関連する個人プロファイルデータをサーチ可能に格納するように構造化され、配置された少なくとも１つのコンピュータ個人プロファイルデータベースと、少なくとも１つのコンピュータネットワークの少なくとも１つの登録済みユーザに関連する、少なくとも１つの活動タイプの少なくとも１つの提案された複数人活動に関連する活動データをサーチ可能に格納するように構造化され、配置された少なくとも１つのコンピュータ提案された活動データベースとを実現する）を含む。コンピュータシステム１０８は、好ましくは、本発明の好ましい実施態様を含むソフトウェアを格納し、実行するストレージおよびメモリをも含む。コンピュータシステム１０８は、好ましくは、好ましいプロトコルとしてハイパーテキスト転送プロトコル（「ｈｔｔｐ」）を使用して好ましい通信媒体として働くインターネット１０７に接続される。インターネット１０７は、インターネット１０７は、公衆と私有との両方のネットワークおよびコンピュータのグローバルネットワークを含む。インターネット１０７は、本発明のいくつかの好ましい実施態様におけるユーザ１１８、１２０、１２２、および１２４による好ましい接続方法である。
【００５０】
本明細書の教示を読む時に、当業者は、ここで、適切な状況の下で、ネットワークトラフィック問題、容量問題などの問題を考慮して、複数のプロセッサ、複数のデータベース、分散システムその他などの縁組みコンピュータシステムの他のハードウェア構成が十分である場合があることを理解するであろう。
【００５１】
本明細書でさらに説明するように、ユーザは、好ましくはさまざまな形で引き合わせコンピュータシステム１０１と通信する。いくつかの場合に、ユーザは、パーソナルコンピュータにインストールされたウェブブラウザを介して引き合わせコンピュータシステム１０１と通信する（ユーザ１１８）。この例では、ユーザ１１８は、Ｍｉｃｒｏｓｏｆｔ  ａｎｄ  Ｉｎｔｅｒｎｅｔ  ＥｘｐｌｏｒｅｒまたはＭｏｚｉｌｌａ  Ｆｉｒｅｆｏｘなどのインターネットウェブブラウザを用いて引き合わせウェブサイト３００にアクセスする。他の例では、ユーザは、好ましくは、スマートフォンなどのモバイルデバイス上のウェブブラウザを介して引き合わせコンピュータシステム１０１と通信する（ユーザ１２０）。ユーザ１２０は、好ましくは、モバイルデバイスにインストールされたインターネットウェブブラウザを介して引き合わせウェブサイト３００にアクセスする。さらに他の例では、ユーザは、好ましくは、ＳＭＳテキストメッセージングを介してまたは携帯電話を使用して［および、好ましくは本明細書でさらに述べるように、引き合わせに「参加する」要求に応答して］引き合わせコンピュータシステム１０１と通信する（ユーザ１２２）。ＳＭＳテキストメッセージングの例では、メッセージは、好ましくは、ＳＭＳゲートウェイ（米国アリゾナ州スコッツデールのＣＥＬＬＴＲＵＳＴ（登録商標）Ｃｏｒｐｏｒａｔｉｏｎ社など）の助けを借りて処理される。そしてユーザは、好ましくは、引き合わせコンピュータシステム１０１と相互作用するのにアプリケーションソフトウェア（たとえば、本明細書でさらに述べるネイティブアプリケーション）を有するモバイルデバイス（ＡＰＰＬＥ  ＩＰＨＯＮＥモバイルデバイスなど）を使用して、引き合わせコンピュータシステム１０１と通信する（ユーザ１２４）。
【００５２】
好ましくは、引き合わせコンピュータシステム１０１のユーザは、上で説明したコンポーネントを使用して、引き合わせコンピュータシステム１０１の助けを借りて確立されたソシアルネットワークと通信する。好ましくは、上で説明した通信のすべての方法が、この「ピアツーネットワーク」通信の複数の達成方法を提供するために引き合わせコンピュータシステム１０１のユーザにとって使用可能である。
【００５３】
本明細書の教示を読む時に、当業者は、適切な状況の下で、その時に使用可能なテクノロジおよびその時に使用可能な通信デバイスなどの問題を考慮して、ニューラルネットリンキング、他の無線ハンドヘルドデバイス、無線、ネットワーク接続された識別デバイスその他などの引き合わせコンピュータシステムと通信するための他の通信機器が、十分である場合があることを理解するであろう。
【００５４】
図２は、本発明の好ましい実施態様に従った本システムの引き合わせコンピュータシステム１０１とユーザの間の関係の簡略化された機能図的な全体図を示す。好ましくは、少なくとも１人の登録済みユーザ２０２がインターネット・エクスプローラ等のウェブブラウザを使用し、インターネット１０７の使用を通じて引き合わせコンピュータシステム１０１に接続する。接続されると、登録済みユーザ２０２は、ログインし、利用可能な機能の使用を開始する。同様に、少なくとも１人の未登録ユーザ２０３は、インターネット・エクスプローラ等のウェブブラウザを使用し、インターネット１０７の使用を通じて引き合わせコンピュータシステム１０１に接続する。接続されると、未登録ユーザ２０３は、登録して会員になることが好適に奨励される。好ましくは、未登録ユーザ２０３が登録する必要はないが、登録するまで、未登録ユーザは、登録済みユーザ２０２に利用可能なすべての機能を使用することができない。同様にウェブサイト３０１上における広告を希望している広告主２０５が、インターネット・エクスプローラ等のウェブブラウザを好適に使用し、インターネット１０７の使用を通じて引き合わせコンピュータシステム１０１に接続し、自分たちの広告および広告キャンペーンをセットアップし、維持する。最後に、ウェブサイトマネージャ２０１もまた、インターネット・エクスプローラ等のウェブブラウザを好適に使用し、インターネット１０７の使用を通じて引き合わせコンピュータシステム１０１に接続し、ウェブサイト３０１の運用および維持を行う。
【００５５】
図３は、図１の好ましい実施態様に従った引き合わせコンピュータシステム１０１と引き合わせウェブサイト３００およびその主要機能の間の関係の簡略化された機能図的な全体図を示す。ウェブサイト３００の実質的にすべての機能コンポーネントおよび引き合わせデータベース３２０が引き合わせコンピュータシステム１０１上に好適に常駐している。機能コンポーネントのユーザ登録およびログイン３０１は、登録済みユーザ２０２のためのログイン機能、未登録ユーザ２０３のための登録プロセスを好適に包含する（図６、図７、および図８参照）。このような機能コンポーネントは、好適には、図示するように、ユーザ登録およびログイン３０１、ユーザプロファイル３０２、広告主セットアップ３０３、引き合わせ要求３０４、引き合わせサーチ３０５、会員サーチ３０６、ディレクトリサーチ３０７、ショッピング３０８、オンラインフォーラム３０９、掲示板サーチ３１０、Ｅメール／ＩＭ３１１、アフィリエイト３１２、ユーザアカウント情報３１３、およびパートナーのアカウント情報３１４を備える。
【００５６】
機能コンポーネントのユーザプロファイル３０２は、登録済みユーザが自分たちのプロファイル情報を作ること、または更新することを可能にする。好ましくは、未登録ユーザは、登録し、そして、個人として、カップルとして、チームとして、あるいは親として自分の子供の代わりに、プロファイル情報を完成することができる。（図９、図１０、図１１、および図１２参照）（少なくともここは、前記少なくとも１人の第１の参加者および前記少なくとも１人の第２の参加者のうちの少なくとも１人は少なくとも１つのチームを構成する、を実現しており、かつ少なくともここは、前記少なくとも１人の第１の参加者および前記少なくとも１人の第２の参加者のうちの少なくとも１人は少なくとも１つのカップルを構成する、を実現している）。好ましくは登録済みユーザが、自分のプロファイル情報の更新にもユーザプロファイル３０２を使用する。この明細書の教示を読めば、当業者はここで、適切な状況の下に、ユーザの好み、競争の必要条件等といった問題を考慮し、サーチ可能な実体（entity）等の値が入力され、ストアされて、登録済みユーザと関連付けできることを理解するだろう。サーチ可能な実体は、雇用者、会社、スポーツ・クラブ、ホテル、フィットネス・センタ、または他の組織等であってよい。
【００５７】
広告主セットアップ３０３は、新しい広告主アカウントの設定、既存の広告主アカウントの更新、および開催場所のディレクトリ（プレイヤーズガイド）の一部として引き合わせウェブサイト３００上において表示されることになる広告情報の作成および修正に好適に使用される。好ましくは広告主セットアップ３０３が、ヘルプ・インストラクション、よくある質問のリスト、および広告プランの費用および、ビジネス実体のディレクトリ内における好ましい配置を含めた利益の説明も提供する。好ましくは広告主２０５が、自分のビジネスについての特定の情報、それの場所、および何らかの特別な提案を提供する（図３２、図３３、図３４、および図３５参照）。好ましくは広告主２０５が、広告主独自のディレクトリ・リスティングを作成でき、その後、クレジット・カードまたはその他の形式のインターネット−ベースの支払い、たとえばペイパル（Ｐａｙ−Ｐａｌ）を使用した必要な支払いを行うことによってチェックアウトする。好ましくは支払いが行われた後、提出された広告はウェブサイト管理者によって承認のために検討される（図４２参照）。好ましくは、広告が承認されると、ウェブサイト管理者は、広告が広告主２０５によって要求されたとおりにディレクトリ内に掲げられることを許可する。好ましくは広告主２０５が、承認済みのディレクトリ・リスティング（広告）を再検討し、ディレクトリ・リスティングのいくつかまたは全部の変更または削除を行うことができる（図４３参照）（少なくともここは、前記支払いを受け取るステップの後、前記少なくとも１つのウェブサイト広告を承認するステップを実現しており、かつ少なくともここは、前記承認した前記少なくとも１つのウェブサイト広告を表示するステップを実現している）。
【００５８】
引き合わせ要求３０４は、登録済みユーザによって、スポーツまたは社交イベントのために特定の場所および時間において別の登録済みユーザ２０２と出会う提案を作り出し、ストアするために好適に使用される（少なくともここは、提案イベント情報をサーチ可能にストアするための、前記提案イベント情報が、少なくとも、少なくとも１つのタイプの提案合同イベント、前記提案合同イベントのための少なくとも１つの提案地理的エリア、および前記少なくとも１つの提案合同イベントのための少なくとも１つの提案時間評価基準、を包含するコンピュータ・データベース手段を実現しており、かつ少なくともここは、前記少なくとも１つの提案合同イベントについて前記少なくとも１人の第１の参加者のためにデータベース入力を可能にするためのコンピュータインターフェース手段を実現しており、かつ少なくともここは、前記少なくとも１つのタイプの提案合同イベントは、少なくとも１つのスポーツイベントを包含する、ことを実現している）。図１３に示されているとおり、好ましくは登録済みユーザ２０２によってなされた以前の引き合わせ要求が、引き合わせ要求ダイアログ１３０２の下の引き合わせ要求スケジュール１３０１内にリストされる。好ましくは、登録済みユーザが、自分のプロファイル内にないスポーツ／活動について引き合わせ要求ダイアログ１３０２を完成するとき、図１４内に例示されているとおり、スポーツ／活動追加注意１４０１が呈示される（少なくともここは、前記少なくとも１人の第１の参加者のために前記コンピュータ・データベースから前記提案イベント情報を検索するためのコンピュータ処理手段を実現している）。好ましくは登録済みユーザ２０２が、引き合わせ要求スケジュール１３０１内に示される任意の引き合わせ要求を取り除くか、あるいは削除できる。
【００５９】
好ましくは機能コンポーネントである引き合わせサーチ３０５が、スポーツ／イベント、時間枠、および場所をはじめ、選択された個人的な、年齢、性別、および結婚状態を含めた評価基準を含む引き合わせ評価基準を入力する能力を登録済みユーザに提供する。引き合わせ評価基準を入力した後、登録済みユーザは、図２４に示されているとおり、そのような評価基準に整合する引き合わせ要求を入力したすべての登録済みユーザについて引き合わせデータベース３２０をサーチすることができる（少なくともここは、前記少なくとも１つの提案合同イベントの提案される整合のための前記少なくとも１つの第２の参加者の第１のサーチ可能な評価基準のために入力を可能にするためのコンピュータインターフェース手段を実現しており、かつ少なくともここは、前記コンピュータ・データベース手段から前記第１のサーチ可能な評価基準に整合する前記提案イベント情報を検索するためのコンピュータ処理手段を実現している）。ここで用いる場合、時間枠は、特定の日にちおよび時刻、日にちの範囲、時刻の範囲、または、１週間や１ヶ月等のうちの１以上の特定の日を言うことができる。図２５は、入力された評価基準に適合する引き合わせ要求の例を提供している。この明細書の教示を読めば、当業者はここで、適切な状況の下に、サーチ評価基準の部分的な整合の必要性等といった問題を考慮して、たとえば部分的な、または概略の整合等のためのヒューリスティックな選択方法の使用等の他の選択の取り決めを充分とし得ること理解するであろう。この明細書の教示を読めば、当業者はここで、適切な状況の下に、ユーザの好み、競争の必要条件等といった問題を考慮し、雇用者、会社、ホテル、スポーツ・クラブ、フィットネス・センタ、または他の組織等の実体の値をサーチ可能に登録済みユーザと関連付けできること、およびサーチ評価基準として使用できること理解するであろう。好ましくはサーチ結果が、図２５のトップに示されているとおり、希望された習熟レベルによって絞り込まれる。好ましくは、その後、登録済みユーザが、サーチ評価基準に整合している引き合わせ要求を行った各登録済みユーザのプロファイル（図１９参照）およびオプションの写真（図２１参照）を見ることができる。Ｅメール（図２２参照）、インスタントメッセージング（「ＩＭ」）（図２３参照）、ディジタル携帯電話ベースのテキストメッセージング（「ＳＭＳメッセージング」）（図４１参照）、または「ネイティブアプリケーション」をインストール済みのモバイルデバイスを介する通信（図５７参照）を使用して、登録済みユーザの間の会話を開始することができ、この会話において、登録済みユーザは、スポーツまたは社交イベントのために直接会うことに同意することができる。
【００６０】
好ましくは、会員サーチ３０６が、図１６に示されているとおり、登録済みユーザ２０２が会員評価基準を使用して引き合わせデータベース３２０をサーチすることを可能にする。好ましくは、図示されるように、独身者、カップル、またはチームについてサーチを行うことができる。サーチ基準に整合した会員は、図１８に示されているとおり、閲覧のためにリストされる。この明細書の教示を読めば、当業者はここで、適切な状況の下に、サーチ評価基準の部分的な整合の必要性等といった問題を考慮して、たとえば部分的な、または概略の整合等のためのヒューリスティックな選択方法の使用等の他の選択の取り決めを充分とし得ること理解するであろう。好ましくは、プロファイル（図１９参照）および写真（図２１参照）を登録済みユーザが閲覧することが可能である。登録済みユーザの間の会話を、その後、Ｅメール（図２２参照）、インスタントメッセージング（ＩＭ）（図２３参照）、ディジタル携帯電話ベースのテキスト（ＳＭＳ）メッセージング（図４１参照）、または「ネイティブアプリケーション」をインストール済みのモバイルデバイスを介する通信（図５７参照）を使用して開始することができる。好ましくは登録済みユーザが、サーチ評価基準に整合する子供がいる独身者またはカップルのリストを返すことになる、子供についてのサーチ（図１７参照）を行うこともできる。好ましくは登録済みユーザが、図１５に示されているとおりスクリーンネームだけを使用して会員についてのサーチも行うことができる。
【００６１】
本発明の代替の好ましい実施態様によれば、入力した引き合わせ情報がサーチ評価基準に整合する会員についてすべての会員の画像を表示する代替サーチ結果（図３９参照）を登録済みユーザ２０２に呈示できる。好ましくは、登録済みユーザ２０２がカーソルを各画像の上に移動すると、その会員に関係するプロファイル情報が表示されることになる。好ましくは、登録済みユーザ２０２が「能力レベル」バーをスライドすると、各会員の記述された能力等に応じていくつかの画像が溶暗または溶明する。これらの特徴はすべて、登録済みユーザが経験するサーチの速度および効率に影響することになる。
【００６２】
ディレクトリサーチ３０７は、登録済みユーザ２０２が、希望するスポーツまたは社交イベントを行うことが可能な場所を識別し、選択することを好適に可能にする。図２９に示されているとおり、登録済みユーザ２０２は、ビジネス名によってサーチすること、またはあるカテゴリ内のビジネス実体のリストを要求することができる。図３０は、「ゴルフ」カテゴリ内におけるサーチの結果の例を提供する。好ましくは登録済みユーザ２０２が、その後ビジネス実体についてさらに詳細を見ること、または図３１に示されているとおり、地図またはそのビジネス実体への運転の道順を要求することができる。
【００６３】
機能コンポーネントのショッピング３０８は、図３６および図３７に示されているとおり、登録済みユーザ２０２がオンライン小売業者を識別し、選択することを好適に可能にする。図３７に示されているとおり、好ましくは登録済みユーザ２０２が、希望するオンライン小売業者に対するリンクを選択し、しばしば値引き価格で購入を行うことができる。好ましくは、値引き価格が、会員の恩典として登録済みユーザだけに利用できる。
【００６４】
機能コンポーネントのオンラインフォーラム３０９は、登録済みユーザに利用可能なオンライン・チャット・システム、１つまたは複数のブログ、およびオンラインフォーラム／掲示板を好適に構成する。図２２は、好ましいＥメール・メッセージ・スクリーンの例を示している。図２３は、好ましいインスタント・メッセージ・スクリーンの例を示す。図２８は、掲示板への新しいメッセージの投稿に使用される好ましいスクリーンの例を提供する。図３８は、好ましいチャット・スクリーンの例を図解している。
【００６５】
機能コンポーネントの掲示板サーチ３１０は、図２６に示されているとおり、登録済みユーザが、サーチ指定評価基準に適合する掲示板に投稿されたメッセージをサーチすることを好適に可能にする。好ましくはサーチ・プロセスが、引き合わせデータベース３２０のプロファイル部分のサーチおよび掲示板メッセージのテキスト整合サーチを組み合わせる。この明細書の教示を読めば、当業者はここで、適切な状況の下に、サーチ評価基準の部分的な整合の必要性等といった問題を考慮して、たとえば部分的な、または概略の整合等のためのヒューリスティックな選択方法の使用等の他の選択の取り決めを充分とし得ること理解するであろう。好ましくは、サーチ評価基準に整合するすべての掲示板メッセージが図２７に示されているとおりに表示される。
【００６６】
機能コンポーネントのＥメール／ＩＭ  ３１１は、登録済みユーザ間におけるＥメールおよびインスタント・メッセージのサポートに必要な機能を好適に提供する。加えて好ましい機能には、登録済みユーザによる、実際のＥメール・アドレスまたはインスタント・メッセージのハンドル・ネームではなくスクリーンネームの使用が含まれる。
【００６７】
機能コンポーネントのアフィリエイト３１２は、アフィリエイト・ウェブサイトから差し向けられ、その後登録済みユーザになる来訪者の追跡および計上を好ましく提供する。好ましくはアフィリエイトとなっているウェブサイトを運用するビジネス実体が、未登録ユーザによって使用されることが可能な引き合わせウェブサイト３００に対するリンクを含めることに合意している。好ましくは、アフィリエイト３０９が、登録済みユーザになった未登録ユーザを差し向けた結果として各ビジネス実体に帰する報酬を計算する。
【００６８】
機能コンポーネントのユーザアカウント情報３１３は、会費の収集および追跡を含めて会員のデータベースを管理するために必要なすべての管理機能を好ましく包含する。
【００６９】
機能コンポーネントのパートナーのアカウント情報３１４は、アフィリエイト、広告、およびショッピングのパートナーのデータベースを管理するために必要なすべての管理機能を好ましく包含する。好ましくはこれらの機能が、ウェブサイトマネージャ２０１に支払われるべき料金の収集および追跡、および新しい会員の紹介のためにアフィリエイト・パートナーに支払われるべき料金の支払いおよび追跡を好適に含む。
【００７０】
図４は、本発明の好ましい実施態様に従った、本システムおよび方法に関連付けされた主要な実体およびそれらの関係を要約した略図を示す。好ましくは、ウェブサイトマネージャ２０１が、ウェブサイト・マネージ・ステップ４１０において引き合わせウェブサイト３００を設定し、管理する。
【００７１】
好ましくは、広告主関係設定ステップ４１２において、ウェブサイトマネージャ２０１が、スポーツおよび社交イベントのための開催場所のディレクトリ（プレイヤーズガイド）内にリストされる機会を提案する。好ましくは広告主２０５が、広告主セットアップ３０３を使用して、提案されたプランの１つを選択し、ディレクトリ・エントリを完成し、支払い方法をセットアップする。好ましくは各広告主２０５が、広告主２０５に値引きされた広告料金およびその他の恩典を受ける資格が好適に与えられるアフィリエイト４０４になる機会も有する。広告主２０５は、ゴルフ・コース、テニス・クラブ、健康クラブ、マーシャルアーツ・スタジオ、ペイントボール施設等のスポーツ開催場所、またはスポーツイベントのための開催場所を提供するその他の場所を好適に包含する。加えて広告主２０５は、映画館、レストラン、キャンプ場、およびホテル等の社交開催場所を好適に包含する。そのほかに広告主２０５は、スポーツ、運動、および社交活動をサポートするサービスおよび製品を提供するビジネスを好適に包含する。
【００７２】
好ましくはウェブサイトマネージャ２０１が、広告主２０５またはホテル、レストラン、およびクラブを含む開催場所と選択的に接触し、テニス・トーナメント、ブリッジ・トーナメント、および類似の競技等のスポーツおよび社交イベントを提供し、運営する。続いて、好ましくはウェブサイトマネージャ２０１が、計画したトーナメントを、引き合わせデータベース３２０内の選択された会員、たとえば計画されたスポーツまたは社交イベントに興味を示した会員、に向けられるＥメールを介して促進する。好ましくは、ウェブサイトマネージャ２０１が、計画されたイベントのための予約および参加料の支払いを受け入れる。
【００７３】
好ましくは小売業者関係設定ステップ４１４において、ウェブサイトマネージャ２０１が小売業者４０５に、登録済みユーザ２０２が小売業者４０５から製品およびサービスを購入することを可能にするウェブサイト・リンクを提供する。また小売業者４０５は、登録済みユーザ２０２に、自社の製品またはサービスのいくつかまたはすべての値引きを好適に提案する。この意図は、要約すると、小売業者４０５でのショッピングにおける興味の増加を利用することであり、来訪者が登録済みユーザになる動機を提供することである。
【００７４】
好ましくは、アフィリエイト関係設定ステップ４１６においてウェブサイトマネージャ２０１が、アフィリエイト４０４のウェブサイトから引き合わせウェブサイト３００に来て登録済みユーザになった各来訪者について各アフィリエイト４０４に手数料を提供する。好ましくは各アフィリエイト４０４が、自分のウェブサイト上にリンクを配置して引き合わせウェブサイト３００を促進することに合意する。前述したとおり、アフィリエイト４０４は、広告主２０５となって開催場所のディレクトリ内にエントリを配置するための費用の割引を受け取ることができる。アフィリエイト４０４は、広告主２０５となり得る事業者と同じ事業者を好適に包含するが、それに加えてプロおよびアマチュアのスポーツイベントの両方に充てられたウェブサイトを好適に包含する。加えてアフィリエイト４０４は、栄養および機能向上製品に焦点が当てられたウェブサイトを好適に包含する。
【００７５】
好ましくは旅行関係設定ステップ４３１においてウェブサイトマネージャ２０１が好適に手配を行って、冒険旅行およびツアーオペレータ４３０によって提案される国内および海外の製品およびサービスを促進し、宣伝する。好ましくはウェブサイトマネージャ２０１が、続いて、宣伝した製品およびサービスを利用する会員に関する紹介料または手数料、および、オプションとして引き合わせウェブサイト３００上に紹介した広告に関連付けされた広告料を受け取る。
【００７６】
好ましくはＴＶ関係設定ステップ４３６においてウェブサイトマネージャ２０１が、ＴＶプロデューサ４３５とともに手配を行って、国内および国際試合のために引き合わせデータベース３２０内の会員から選択された競争者を利用することに向けられた少なくとも１つの「現実」のテレビジョン番組を促進し、宣伝する。好ましくは続いてその実際のテレビジョン番組が、会員（独身者、カップル、およびチーム）だけが引き合わせデータベース３２０内の会員から選択されることを促進する。好ましくはウェブサイトマネージャ２０１が、続いて会員の登録の増加、したがって引き合わせデータベース３２０内の実質的な会員数の増加を受け取り、それもまた引き合わせウェブサイト３００内の、およびそれを通じて提案される他のサービスおよび製品の需要を増加する。
【００７７】
好ましくはウェブサイトマネージャ２０１が、引き合わせデータベース３２０内にストアされている登録済みユーザ２０２を、あらゆる種類のスポーツ／活動におけるトーナメントを宣伝し、組織するためのソースとして利用する。広告主２０５（テニス・クラブ、ゴルフ・クラブ等）は、全世界を通じ、地元地域内において、好適に主催および運営を行う。好適には、ウェブサイトマネージャ２０１によって賞品が供給される。好ましくは、第１ラウンドのトーナメントの勝利者が、その後、第２ラウンドのトーナメントで試合する資格を有するというように最終的な決勝戦またはイベントまで続く。好ましくはＴＶプロデューサ４３５が、フォックス・スポーツ（ＦＯＸ  Ｓｐｏｒｔｓ）のようにウェブサイトマネージャ２０１のビジネス・パートナーとして、トーナメントのラウンドの間に撮影隊を種々の現場に派遣し、タレント番組のアメリカン・アイドル（Ａｍｅｒｉｃａｎ  Ｉｄｏｌ）がオーディションの過程で行っているように、インタビューを行い、参加者や試合等の場面を撮影する。その後、好適には、最終的な決勝戦が、ＴＶプロデューサ４３５によって放映される実際のテレビジョン番組の核心的内容を含む。恩典は、ウェブサイトマネージャ２０１が、トーナメントの開催をビジネスとする広告主２０５（アスレチック・クラブ施設等）を全国規模で使用して、広告主２０５に収益および新しい会員を募集しもたらすことが可能なことである（好ましくはウェブサイトマネージャ２０１がすべてのトーナメントの参加者を登録し、オンラインで料金を収集する）。またこれらの広告主２０５（アスレチック・クラブ）は、ＴＶプロデューサ４３５の撮影隊が広告主２０５を尋ね、トーナメントの場面を収集することによって露出を提供できる可能性があることから、ウェブサイトマネージャ２０１のトーナメントの開催のために実際に競争することになる。年間を通じて継続的に運営されるトーナメントは、好適には、最終的なテレビジョン番組のための真の予選および資格付与プロセスである。そのリアリティ・ショウが宣伝されるとき、トーナメントの参加者が登録済みユーザ２０２でなければならないことから、また多くの人々が実際のテレビジョン番組に出たいと欲しており、その種の機会のためにウェブサイトマネージャ２０１の地域的なトーナメントに最も登録しがちであることから、それらが新しい会員をウェブサイトマネージャ２０１に引き込むことになる。
【００７８】
好ましくは、サプライヤ関係設定ステップ４５０においてウェブサイトマネージャ２０１が、ウェブサイトマネージャ２０１による小売りのために製品を提供する少なくとも１つの製品サプライヤ４５１を手配する。好ましくは、引き合わせウェブサイト３００は、提案された製品を登録済みユーザ２０２が購入し、支払いを行うために必要な電子商取引（「ｅＣｏｍｍｅｒｃｅ」としても知られる）機能を提供する。好ましくは提案される製品が、概して健康およびフィットネスに関連付けされた栄養製品を包含する。この明細書の教示を読めば、当業者はここで、適切な状況の下に、市場の変化および顧客の需要の変化といった問題を考慮して、他のタイプの製品を販売のために提案できることを理解するであろう。たとえば、スポーツ器具、ウエア等の製品であることを理解するであろう。
【００７９】
登録済みユーザ２０２は、引き合わせウェブサイト３００へのログインを好適に完了して引き合わせウェブサイト使用ステップ４１１を開始する。好ましくは登録済みユーザ２０２が、引き合わせ要求３０４、引き合わせサーチ３０５、会員サーチ３０６、オンラインフォーラム３０９、掲示板サーチ３１０、およびＥメール／ＩＭ  ３１１を含む、引き合わせウェブサイト３００を通じて利用可能なすべての機能に対するアクセスの見返りとして定期的な料金の支払いに合意する。
【００８０】
活動場所探しステップ４１３において登録済みユーザ２０２は、広告主サーチ３０７を好適に利用して少なくとも１つの活動場所を探す。
【００８１】
商品およびサービス購入ステップ４１５において登録済みユーザ２０２は、ショッピング３０８を好適に利用して希望する製品およびサービスを購入する小売業者を探す。
【００８２】
好ましくは未登録ユーザ２０３が、ユーザ・アクセスおよび登録ステップ４２０によって図解されるとおり、引き合わせウェブサイト３００を直接訪問し、ユーザ登録およびログイン３０１を完了し、かつ定期的な料金の支払いに合意することによって会員になることができる。
【００８３】
好ましくはアフィリエイト・ウェブサイト訪問ステップ４２１において、未登録ユーザ２０３が、引き合わせウェブサイト３００についての情報および引き合わせウェブサイト３００に対するリンクを提供するアフィリエイト４０４のウェブサイトを訪問する。好ましくは、そのリンクの選択が登録およびログイン３０１を未登録ユーザ２０３に呈示し、詳しくは前述したが、ユーザ・アクセスおよび登録ステップ４２０を開始する。
【００８４】
図５は、本発明の好ましい実施態様に従った、本システムおよび方法において遂行できる主要なステップを要約した略図である。好適には、各来訪者は、引き合わせウェブサイト３００の機能を利用するためにプロファイル作成ステップ６０１において登録およびプロファイル作成を行わなければならない。好ましくは新しい会員が、独身、カップル、またはチームのための登録であるか否かを示す登録フォーム（図８）を、フィールド「ユー・アー（Ｙｏｕ  Ａｒｅ：）」を埋めることによって完成すると、続いてそれがユーザを適切なプロファイル・フォーム（それぞれ、独身、カップル、チームのための、図９、図１１、または図１２）に導き、そこでユーザが、人口学的なデータ（年齢、性別、結婚状態等）、連絡情報（Ｅメール・アドレス等）、およびユーザの好むスポーツ／活動娯楽および関連する習熟レベルを含む少なくとも必須のフィールドを完成する（少なくともここは、前記少なくとも１人の第１の参加者のために、前記少なくとも１つのタイプの提案合同イベントの少なくとも１つの第１の習熟レベルのデータベース入力を可能にするためのコンピュータインターフェース手段を実現しており、少なくともここは、参加者個人プロファイル情報をサーチ可能にストアするための、前記参加者個人プロファイル情報が、少なくとも、少なくとも１つの一意的な識別子、前記少なくとも１つのタイプの前記提案合同イベント、前記少なくとも１つのタイプの提案合同イベントの少なくとも１つの第１の習熟レベルの事物、人口学的情報、連絡情報を包含するコンピュータ・データベース手段を実現しており、かつ少なくともここは、前記少なくとも１人の第１の参加者の前記参加者個人プロファイル情報のためのデータベース入力のためのコンピュータインターフェース手段を実現しており、少なくともここは、前記個人プロファイル情報が、さらに、子供の情報、参加者の背景情報、個人的特徴の情報、好きな食べ物の情報、好みの音楽の情報、および少なくとも１つの画像のうちの少なくとも２つを包含することを実現している）。好ましくは各登録済みユーザ２０２が、１を超える数のスポーツ／活動娯楽を有することができる。好ましくは登録済みユーザ２０２が、その後、会員エリア（図１５、図１６、図１７、および図２４）に入り、会員および競技のサーチを開始する。好ましくは登録済みユーザ２０２が引き合わせウェブサイト３００を最初にログアウトするとき、当該登録済みユーザは、加入Ｅメールを受信してそのようなＥメールで提供されるリンクをクリックすることによって会員としての地位をアクティベートするまで再びログインできない。登録済みユーザ２０２が初期化Ｅメールを受信する前にログインを試みると、サイトが別のアクティベーションＥメールを送出あるいは配信するボタンを自動的に提供する。そして、登録済みユーザ２０２は、そのＥメールを探してＥメールで提供されるリンクをクリックすることによって自分の会員としての地位をアクティベートするように指示される。登録済みユーザ２０２が自分の会員としての地位をアクティベートすれば、登録済みユーザ２０２は、ログインし、すべてのサーチボックスを介して、性別、年齢、実施するスポーツ、およ���能力のレベルによって細分された成人会員、引き合わせ要求、スクリーンネームによる会員、および子供のいる成人のサーチを開始することができる（図１５、図１６、図１７、および図２４）。好ましくは登録済みユーザが、有料会員になるまで他の会員との接触または引き合わせ要求を行うことができない（図１３）。好ましくは、登録済みユーザ２０２は、支払いを必要とせずに、他の会員に連絡し、かつ／または引き合わせ要求を行うことができる。
【００８５】
図示されているとおり、好ましくは第１の会員が引き合わせ情報を入力するステップ６０２において、登録済みユーザ２０２が、好ましくは有料会員として（代替案では、好ましくは、支払いは不要である）、特定の都市で特定の日に特定のスポーツ／活動において、特定の性別、結婚状態（カップルまたはチーム）、および特定の習熟レベルを有する１人または複数の他者との競技を行う公開された要求（提案）（代替案では、好ましくは、本明細書で開示されるようにユーザのソシアルネットワーク内の会員への要求）である少なくとも１つの引き合わせ要求を行う（図１３および図１４）。図示されているとおり、登録済みユーザ２０２は、希望する曜日チェックボックス１３０３を選択することによって曜日についての優先度を示すことができる。好ましくは曜日チェックボックス１３０３の使用が、曜日によるサーチを可能にする。好ましくは、スポーツ／活動引き合わせ要求（提案）が、任意の時間および場所ベースのイベント、たとえばゴルフのラウンドのプレイ、つり、スポーツイベントの観賞、映画を見に行くこと、または食事を含む。
【００８６】
少なくとも１つの引き合わせ要求が引き合わせデータベース３２０に投函されると、第２の会員が引き合わせデータベースをサーチするステップ６０３内に示されているとおり、好ましくは別の登録済みユーザ２０２が自分の評価基準に整合する引き合わせをサーチすることができる。好ましくは、その登録済みユーザ２０２が、引き合わせサーチ・スクリーン（図２４）を使用して引き合わせデータベース３２０のクエリを行う。好ましくは、そのサーチ評価基準を満たす引き合わせ要求に関連付けされたすべての会員プロファイルがサーチ結果スクリーン（図２５）内に示される（少なくともここは、前記コンピュータ・データベース手段から前記第２のサーチ可能な評価基準に整合する前記提案イベント情報を検索するためのコンピュータ処理手段を実現している）。示されているとおり、登録済みユーザ２０２は、その後、習熟レベル・ドロップダウン２５０１から習熟レベルを選択することによって、表示された引き合わせ要求をふるい分けることができる（少なくともここは、前記少なくとも１つのタイプの提案合同イベントの前記少なくとも１つの習熟レベルとの提案される整合のための前記少なくとも１人の第２の参加者の少なくとも１つの第２のサーチ可能な評価基準のために入力を可能にするためのコンピュータインターフェース手段を実現している）。
【００８７】
登録済みユーザ２０２が、整合する引き合わせ要求を伴う会員のリストされたプロファイルが望ましいと決定すると、第２の会員が第１の会員と接触するステップ６０４において、好ましくは登録済みユーザ２０２が、会員プロファイル・スクリーン（図１９）上で会員のプロファイルの詳細を調べる（要求する）。選択された会員がまだ望ましい場合には、登録済みユーザ２０２が（有料会員として）、会員プロファイル・スクリーン上の適切なリンクを選択することによってインスタントメッセージング（図２３）、Ｅメール（図２２）、ディジタル携帯電話ベースのテキストメッセージング（ＳＭＳメッセージング）（図４０および図４１参照）、チャット・ルーム・システム（図３８）、または掲示板システム（図２８）を用いて相手の会員と接触できる（少なくともここは、前記少なくとも１人の第２の参加者の前記少なくとも１人の第１の参加者との連絡を援助するためのコンピュータ処理手段を実現している）。好ましくは、あらゆる場合において、会員間の通信は、自分たちの実際のＥメール・アドレスまたは携帯電話番号ではなく「スクリーンネーム」を使用して行われ、プライバシーを保護し、安全性を確保する（少なくともここは、前記第２の参加者に対する前記第１の参加者の第１の連絡情報の非開示を援助するためのコンピュータ処理手段を実現しており、少なくともここは、前記第１の参加者に対する前記第２の参加者の第２の連絡情報の非開示を援助するためのコンピュータ処理手段を実現しており、かつ少なくともここは、前記少なくとも１人の第２の参加者の前記少なくとも１人の第１の参加者との連絡を援助するステップがディジタル携帯電話上のテキストメッセージングを用いて達成される、を実現している）。
【００８８】
引き合わせウェブサイト３００が提供するビジネス上の利点は、登録済みユーザ２０２が即座に（好ましくは１クリックで）、登録済みユーザ２０２が探している主要な対象、すなわち「人」を探せることである。統計は、引き合わせウェブサイト３００上において登録済みユーザ２０２が探し物を早く見つけることができるほど、引き合わせウェブサイト３００がより成功しやすいことを示している。
【００８９】
好ましくは現在の引き合わせウェブサイト３００が、できるだけ最少量のコンピューティング・リソースを使用して迅速に登録済みユーザ２０２を互いに結びつけ、かつ引き合わせを行うプロセスを開始する１より多くの方法を提供する。これにより、登録済みユーザ２０２は、その先の互いの通信を行うことを選んだのであれば、自分たちのコンピュータ・リソースを使用してそれを行うことができる。
【００９０】
両方の登録済みユーザ２０２が競技のために会うことに合意した後は、その試合のための場所が決定されなければならない。場所を見つけなければならない場合に登録済みユーザ２０２は、イベント場所のサーチ・ステップ６０５において、開催場所のディレクトリ（プレイヤーズガイド）を好適にサーチして利用可能な種々の場所についての情報を調べる。図２９に示されているとおり、登録済みユーザ２０２は、ビジネスの名前またはカテゴリによってサーチすること、またはそれらの表示からカテゴリを選択することができる。結果としてもたらされる開催場所のリストは、サーチ評価基準に適合するディレクトリのエントリのリスティング内に示される（図３０）。
【００９１】
説明および連絡情報の獲得ステップ６０６において、好ましくはディレクトリ・エントリのうちの１つを選択することが、開催場所についての追加の情報、たとえば費用、予約要件、および運営時間等を呈示する。加えて登録済みユーザ２０２は、登録済みユーザ２０２が図３１に示されているとおりの地図フォームを完成することを可能にする地図リンクを選択することによって地図または運転の道順の獲得を選択することができる。
【００９２】
開催場所を選択した後、登録済みユーザ２０２は、合意した日および時刻に競技を行うために必要な手配を、イベントの促進に広告主を使用するステップ６０７において完成することになる。
【００９３】
競技のためにユーザが会うステップ６０８においては、個人、カップル、またはチームが、場合により会って、計画された活動を履行する。
【００９４】
再度図５を参照するが、第２の会員が会員データベースをサーチするステップ６０９において登録済みユーザ２０２は、会員サーチ・スクリーン、すなわちクイック・サーチ（図１５）、会員サーチ（図１６）、または子供サーチ（図１７）のうちの１つを使用することによって社交的な出会いの目的のために別の登録済みユーザ２０２をサーチできる。好ましくは登録済みユーザ２０２が、独身、カップル、またはチームを含む、提供されているサーチ・フィールドの任意の組み合わせによってサーチできる（少なくともここは、前記個人プロファイル情報の提案される整合のための前記少なくとも１人の第２の参加者の少なくとも１つの第３のサーチ可能な評価基準のために入力を可能にするためのコンピュータインターフェース手段を具体化している）。サーチ評価基準に整合するすべての会員が、会員サーチ結果スクリーン（図１８）上に好適に表示される（代替会員サーチ結果スクリーン（図３９参照）も表示されることがある）（少なくともここは、前記コンピュータ・データベース手段から前記第３のサーチ可能な評価基準に整合する前記第１の個人プロファイル情報を検索するためのコンピュータ処理手段を具体化している）。
【００９５】
登録済みユーザ２０２が、リストされた会員は望ましいと決定すると、第２の会員が第１の会員と接触するステップ６１０において、好ましくは登録済みユーザ２０２が、会員プロファイル・スクリーン（図１９）上で選択された会員のプロファイルを調べる。選択された会員がまだ望ましい場合には、登録済みユーザ２０２が（有料会員として）、会員プロファイル・スクリーン上の適切なリンクを選択することによってインスタントメッセージング（図２３）、Ｅメール（図２２）、テキストメッセージング（ＳＭＳメッセージング）（図４０および図４１参照）、チャット・ルーム・システム（図３８）、または掲示板システム（図２８）を経由して相手の会員と接触できる。
【００９６】
両方の登録済みユーザ２０２が社交的に会うことに合意した後は、場所が決定されなければならない。場所を見つけなければならない場合に登録済みユーザ２０２は、イベント場所のサーチ・ステップ６０５において、開催場所のディレクトリ（プレイヤーズガイド）を好適にサーチして利用可能な種々の場所についての情報を調べる。図２９に示されているとおり、登録済みユーザ２０２は、ビジネスの名前またはカテゴリによってサーチすること、またはそれらの表示についてカテゴリを選択することができる。結果としてもたらされる開催場所のリストは、サーチ評価基準に適合するディレクトリのエントリのリスティング内に示される（図３０）。
【００９７】
説明および連絡情報の獲得ステップ６０６において、好ましくはディレクトリ・エントリのうちの１つを選択することが、開催場所についての追加の情報、たとえば費用、予約要件、および運営時間等を呈示する。加えて登録済みユーザ２０２は、登録済みユーザ２０２が図３１に示されているとおりの地図フォームを完成することを可能にする地図リンクを選択することによって地図または運転の道順の獲得を選択することができる。
【００９８】
開催場所を選択した後、登録済みユーザ２０２は、合意した日および時刻に社交的に会うために必要な手配を、イベントの促進に広告主を使用するステップ６０７において完成することになる。
【００９９】
場所の選択および手配に続いて、会員が会うステップ６１１に示されているとおり、個人、カップル、またはチームが場合に応じて会う。
【０１００】
再度図５を参照するが、第１の会員が掲示板のエントリに投稿するステップ６１２に示されているとおり、登録済みユーザ２０２は、掲示板にメッセージを投稿することができる。好ましくは、登録済みユーザ２０２が掲示板（図２８）への投稿を行うことを決定すると、そのユーザのメッセージがリンクによってその登録済みユーザの個人的なプロファイルと自動的に関連付けされ、その結果、掲示板のメッセージの読者が、リンクをクリックしてそのメッセージを投稿した登録済みユーザ２０２のプロファイルを読むことができる（少なくともここは、少なくとも１つの掲示板投稿をサーチ可能にストアするためのコンピュータ・データベース手段を実現しており、少なくともここは、前記少なくとも１つの掲示板投稿について前記少なくとも１人の第１の参加者のための入力のためのコンピュータインターフェース手段を実現しており、かつ少なくともここは、前記少なくとも１つの前記掲示板投稿と前記少なくとも１人の第１の参加者を関連させるためのコンピュータ処理手段を実現している）。好ましくは、掲示板のメッセージを、スポーツ／活動の競技のセットアップの援助、または単なるアナウンスに使用することができる。
【０１０１】
第２の会員が掲示板をサーチするステップ６１３において、登録済みユーザ２０２は、図２６に示されるとおり、サーチ評価基準を好適に使用して掲示板をサーチすることができる（少なくともここは、前記第４のサーチ可能な評価基準は、少なくとも１つのタイプの提案合同イベント、前記提案合同イベントのための少なくとも１つの提案地理的エリア、および前記少なくとも１つの提案合同イベントのための少なくとも１つの提案時間評価基準を包含する、を実現している）。好ましくは、入力されたサーチ評価基準が、会員プロファイルおよび掲示板メッセージ両方を通じた組み合わせのサーチに使用されて要求を完成することになる（少なくともここは、前記個人プロファイル情報との提案される整合のための前記少なくとも１人の第２の参加者の少なくとも１つの第４のサーチ可能な評価基準のために入力を可能にするためのコンピュータインターフェース手段を実現している）。図２７に示されているとおり、サーチ結果は、サーチ評価基準に整合するすべてのメッセージのリストを好適に表示する（少なくともここは、前記第４のサーチ可能な評価基準に整合する前記個人プロファイル情報に関連付けされた前記少なくとも１つの掲示板投稿を検索するためのコンピュータ処理手段を実現している）。登録済みユーザ２０２は、プロファイル・ボタンおよび／または写真ボタンを選択することによって、メッセージを投稿した登録済みユーザ２０２のプロファイルを見ることができる。加えて登録済みユーザ２０２は、Ｅメール・ボタンを選択することによってその個人に接触できる。
【０１０２】
図５を参照すると、小売業者へのリンクを選択するステップ６１４において、登録済みユーザ２０２は、製品またはサービスの購入のためにオンライン小売業者をサーチできる。サーチのための好ましい方法は図３６および図３７に示されている。好ましくは登録済みユーザ２０２が、会員が製品およびサービスを購入するステップ６１５に示されているとおり、希望する小売業者４０５に対するリンクを選択し、小売業者４０５のウェブサイトを通じて購入を行う。
【０１０３】
図４４に、本発明の好ましい実施態様に従った、プレイヤーズネットワークにリンクする会員の能力を示すユーザプロファイルスクリーンの例を示す。より具体的には、図示されているように、プレイヤーズネットワークは、好ましくは引き合わせコンピュータシステム１０１に関連する少なくとも１つのデータベースに格納された、各ユーザのソシアルネットワークである。好ましくは、このユーザプロファイルスクリーンを使用して、第１の登録済みユーザ（「招待する人」）は、第１の登録済みユーザの「友人」になるように他の登録済みユーザ（「招待された人」）に請うことができる。好ましくは、図４５に示されているように、招待された人は、招待された人の外部Ｅメールならびに引き合わせウェブサイト３００内部Ｅメールを介して、または引き合わせコンピュータシステム１０１に関連する他の通信方法（ＳＭＳメッセージング、ネイティブアプリケーション通知など）を介して、招待について通知される。この招待は、招待された人を第１の登録済みユーザのプレイヤーズネットワークページに導き、このページで、招待された人は、第１の登録済みユーザのプロファイルを見ることができる。また、このページから、招待された人は、図示されているように、招待する人のプレイヤーズネットワークに参加する招待を「受け入れる」か「拒否する」かのいずれかを行うことができる。このシステムを使用して、ユーザは、メッセージングのために他のユーザのソシアルネットワークの会員になることができる（ユーザは、他者を除外しながら彼らのソシアルネットワーク内の会員にメッセージを送ることができる）。
【０１０４】
プレイヤーズネットワークの一部になった後に、第１の登録済みユーザの「友人」は、第１の登録済みユーザ２０２のプロファイル・スクリーンで「コメント」を投稿することができる。第１の登録済みユーザ（本明細書では「会員」とも称する）が、そのユーザプロファイルが公衆によってアクセスされることを望まない場合に、これらの状況では、第１の登録済みユーザは、このページを「プライベート」と指定することによって、このページへの一般公衆のアクセスを阻止することができる。「プライベート」と指定された後に、登録済みユーザの「友人」だけが、一般公衆が一般にアクセス可能ではないパーソナルページにアクセスできるようになる。図４４に示されているように、「クイックコントロール（Ｑｕｉｃｋ  Ｃｏｎｔｒｏｌｓ）」の下のリンクは、第１の登録済みユーザが、リンク「プレイヤーズネットワークに追加（Ａｄｄ  ｔｏ  Ｐｌａｙｅｒｓ  Ｎｅｔｗｏｒｋ）」をクリックすることによって、第１の登録済みユーザのプレイヤーズネットワークに会員を招待することを可能にする。
【０１０５】
図４５は、本発明の好ましい実施態様に従った、ユーザのプレイヤーズネットワーク・スクリーンの例を示す。プレイヤーズネットワーク・スクリーンは、登録済みユーザの「現在のネットワーク（Ｃｕｒｒｅｎｔ  Ｎｅｔｗｏｒｋ）」、「保留中の要求（Ｍｙ  Ｐｅｎｄｉｎｇ  Ｒｅｑｕｅｓｔｓ）」、および「プレイヤーズネットワーク招待（Ｐｌａｙｅｒｓ  Ｎｅｔｗｏｒｋ  Ｉｎｖｉｔｅｓ）」を表示する。見出し「現在のネットワーク」は、登録済みユーザの「友人」をリストする。見出し「保留中の要求」は、登録済みユーザのプレイヤーズネットワークに参加することを要求したユーザをリストする。見出し「プレイヤーズネットワーク招待」は、彼らのプレイヤーズネットワークに参加するように登録済みユーザに請うたユーザをリストする。このスクリーンから、登録済みユーザは、図示されているように、招待する会員のプロファイルを簡単に見、あるいは、シングルクリックを用いて招待を受け入れるか拒否することができる。（ここで、上述の配置は、少なくとも、少なくとも１つのコンピュータネットワークの少なくとも１つの登録済みユーザを少なくとも１つのコンピュータネットワークの少なくとも１つの他の登録済みユーザに関連付け、少なくとも１つの登録済みユーザサブネットワークを形成するのを助けるためのコンピュータユーザ関連付けインターフェース手段と、上記少なくとも１つの登録済みユーザサブネットワークの格納を助けるためのコンピュータユーザサブネットワークデータベース手段とを実現し、上記コンピュータ活動参加マネージャプロセッサ手段が、少なくとも１つの上記提案された複数人活動への参加を少なくとも１つの指定された少なくとも１つの登録済みユーザサブネットワーク内の人に制限するのを助けるためのコンピュータ活動参加サブネットワークプロセッサ手段を含み、少なくとも１つのコンピュータネットワークの少なくとも１つの登録済みユーザを少なくとも１つのコンピュータネットワークの少なくとも１つの他の登録済みユーザに関連付け、少なくとも１つの登録済みユーザサブネットワークを形成するのを助けるように構造化され、配置された少なくとも１つのコンピュータユーザ関連付けインターフェースと、上記少なくとも１つの登録済みユーザサブネットワークの格納を助けるように構造化され、配置された少なくとも１つのコンピュータユーザサブネットワークデータベースとを実現し、上記コンピュータ活動参加マネージャプロセッサが、少なくとも１つの上記提案された複数人活動への参加を少なくとも１つの指定された少なくとも１つの登録済みユーザサブネットワーク内の人に制限するのを助けるように構造化され、配置された少なくとも１つのコンピュータ活動参加サブネットワークプロセッサを含む）。
【０１０６】
図４６は、本発明の好ましい実施態様に従った、プレイヤーズネットワーク・スクリーンの引き合わせ要求通知サービスの例を示す。プレイヤーズネットワーク・スクリーンの引き合わせ要求通知サービスは、登録済みユーザが、登録済みユーザのプレイヤーズネットワークの選択された会員によって投稿されるＥメールまたはＳＭＳメッセージングを介して登録済みユーザの引き合わせ要求の詳細のすべてを受信することを可能にする。図４６に示されているように、登録済みユーザは、選択されたユーザが引き合わせ要求を投稿する時に、ＥメールまたはＳＭＳメッセージを受信するために、登録済みユーザのスクリーンネームの近くのチェックボックスを選択するだけでよい。この特徴は、２人の会員のスケジュールが許容するときに、それらの会員が出会う可能性を高める。
【０１０７】
図４７は、本発明の好ましい実施態様に従った、引き合わせスクリーン上の引き合わせ要求通知サービスの例を示す。引き合わせ要求通知サービスは、好ましくは登録済みユーザが、その登録済みユーザのプレイヤーズネットワーク内の会員だけではなく、選択された登録済みユーザ評価基準と一致する任意の他の会員から、すべての引き合わせ要求の詳細を受信することを可能にする。引き合わせ要求は、好ましくはＥメールまたはＳＭＳメッセージングを介して会員に送信される。選択できる評価基準は、好ましくはスポーツ、最低レベル、最高レベル、開始日、開始時刻、終了日、終了時刻、場所、国、都市、州、引き合わせタイプ（シングルプレイおよび／またはグループプレイ）、婚姻関係の有無、職業、特殊事情（障害）、およびプレイできる曜日を含む。評価基準が選択された後に、登録済みユーザは、好ましくは登録済みユーザのスケジュール、パーソナリティなどに矛盾しない引き合わせ要求を受信することができるようになる。この特徴は、登録済みユーザが、引き合わせを探すのにより短い時間を費やし、引き合わせをセットアップするのにより長い時間を費やすことを可能にする。
【０１０８】
図４８は、本発明の好ましい実施態様に従った、メッセージセンタスクリーンの例を示す。メッセージセンタスクリーンは、好ましくは、会員が、図示のように引き合わせコンピュータシステム１０１を介して匿名でＳＭＳテキストメッセージを送信することを可能にする。匿名メッセージング特徴は、好ましくはセキュリティ特徴であり、好ましくは、電話番号（ユーザが当初は秘密に保たれることを望む場合がある）などの個人情報を交換せずに登録済みユーザに連絡することを可能にする。匿名メッセージングは、好ましくは、さらに、インターネット対応電話機とともに機能し、その結果、会員は、野外のどこかにいる間にメッセージセンタスクリーンに接続し、ＳＭＳメッセージを送信することができるようになる。たとえば、会員は、「私はコートにいます。まだ途中ですか？」と述べるメッセージを別のユーザに送信することができる。
【０１０９】
図４９は、本発明の好ましい実施態様に従った、引き合わせコンピュータシステム１０１の「ワンクリック引き合わせ参加」特徴の例を示す。ワンクリック引き合わせ参加特徴は、好ましくは、会員（「要求された人」）が、リンクを１回クリックすることによって、別の会員（「要求する人」）によって要求された引き合わせまたはイベントに「参加する」ことを可能にする。リンクがクリックされた後に、好ましくは内部と外部との両方のＥメールおよび／またはＳＭＳメッセージが、引き合わせを要求する人に配信される。Ｅメールおよび／またはＳＭＳメッセージは、好ましくは要求する人により要求された引き合わせに参加することを誰かが求めたことを要求する人に通知する。さらに、「参加（Ｊｏｉｎ）」リンクがクリックされた後に、参加される引き合わせの引き合わせ詳細が、見ること、思い出させること、および計画することのたやすさを高めるために、好ましくは要求された人の「保留中の参加引き合わせ（Ｐｅｎｄｉｎｇ  Ｊｏｉｎｅｄ  Ｍａｔｃｈｅｓ）」列（図５０に図示）に表示される。「参加」ハイパーリンクをクリックした後に、要求する人は、好ましくは引き合わせスクリーン（図４７に図示）に戻るように導かれ、このスクリーンで、要求する人は、好ましくは参加した人を「受け入れる」か「拒否する」ことができる。要求する人の「受け入れ」または「拒否」特徴は、好ましくは要求する人が、誰が引き合わせに参加しているかを監視することを可能にし、その結果、引き合わせが、参加された引き合わせをプレイするつもりのないユーザによってうめられなくなる。好ましくは、要求する人は、スポーツ、最低レベル、最高レベル、開始日、開始時刻、終了日、終了時刻、場所、国、都市、州、引き合わせタイプ（シングルプレイおよび／またはグループプレイ、使用可能な個所の個数）、婚姻関係の有無、職業、特殊事情（障害）、およびプレイできる曜日という情報のうちの一部またはすべてを指定する能力を有する。要求する人は、好ましくは引き合わせ要求にメモを付加することもできる。
【０１１０】
図５０は、本発明の好ましい実施態様に従った、引き合わせスクリーンの例を示す。図示されているように、引き合わせスクリーンは、好ましくは、次の情報、スケジューリングされた引き合わせ／活動（「確認済み引き合わせ（Ｍｙ  Ｃｏｎｆｉｒｍｅｄ  Ｍａｔｃｈｅｓ）」）、スケジューリングされつつある引き合わせ／活動（たとえば、プレイヤを待っているか参加する要求の承認を待っている引き合わせ）（「保留中の参加引き合わせ」）、引き合わせ／活動ヒストリ（「プレイした引き合わせ（Ｍａｔｃｈｅｓ  Ｉ’ｖｅ  Ｐｌａｙｅｄ）」）、および要求された引き合わせ／活動（「引き合わせ要求（Ｍｙ  Ｍａｔｃｈ  Ｒｅｑｕｅｓｔｓ）」）を表示する。
【０１１１】
「確認済み引き合わせ」の見出しは、好ましくは、プレイされるのを待っている確認済み引き合わせの詳細をリストする。スポーツ、時刻、場所、および他の会員もしくは引き合わせ出席者のユーザ名が、好ましくは図示のように表示される。好ましくは、各引き合わせの前の所定の時間期間（好ましくは１日前）に、引き合わせを思い出させるＥメールおよび／またはＳＭＳメッセージが、好ましくは自動的に各引き合わせ参加者に配信される。そのような引き合わせを思い出させるものは、スケジューリングされた引き合わせについてユーザに思い出させることによって、引き合わせへの出席を助ける。
【０１１２】
「保留中の参加引き合わせ」の見出しは、好ましくは、ある会員が「参加」したすべての引き合わせをリストするが、引き合わせは、まだ「参加−承認」を待って保留中であり、かつ／または引き合わせに必要なプレイヤの数には、まだ達していない。保留中の参加引き合わせがもはや保留中ではなくなった後に、これらの引き合わせの詳細は、好ましくは、「確認済み引き合わせ」の見出しの下に表示される。
【０１１３】
「プレイした引き合わせ」見出しは、好ましくは、ユーザが、引き合わせプレイのヒストリ（履歴）および過去の引き合わせの詳細を見ることを可能にする。
【０１１４】
図４９に関して説明したように、「ワンクリック引き合わせ参加」の特徴は、好ましくは、引き合わせを要求する人が、１クリックで引き合わせ参加要求を「受け入れる」か「拒否する」ことを可能にし、この１クリックは、好ましくは、引き合わせに参加する人の引き合わせ参加が引き合わせを要求する人によって受け入れられまたは拒否されたことを引き合わせに参加する人に通知する、引き合わせに参加する人への内部および外部のＥメールおよび／またはＳＭＳを自動的に生成する。参加が受け入れられ、参加者の全員が参加し、受け入れられた場合には、引き合わせの詳細が、好ましくは、参加者ユーザの全員の「確認済み引き合わせ」列の下に表示される。
【０１１５】
図５１は、本発明の好ましい実施態様に従った、確認済み引き合わせ見出しの引き合わせヒストリ特徴の例を示す。「プレイした引き合わせ（Ｍｙ  Ｐｌａｙｅｄ  Ｍａｔｃｈｅｓ）」の見出しは、好ましくは、次のようにデータを投入される。好ましくは、各確認済み引き合わせ時間期間の後のある時間期間（好ましくは１日後）に、一連のフォローアップの質問が、好ましくは「確認済み引き合わせ（Ｍｙ  Ｃｏｎｆｉｒｍｅｄ  Ｍａｔｃｈｅｓ）」見出し内の引き合わせ詳細の下に表示される。フォローアップの質問は、好ましくは図示のように、引き合わせがプレイされたかどうかを尋ねる（“Ｄｉｄ  Ｙｏｕ  Ｐｌａｙ  Ｙｏｕｒ  Ｍａｔｃｈ？”）。引き合わせがプレイされず、「いいえ（Ｎｏ）」チェックボックスが選択される場合には、すべてのさらなる質問は、回答を必要とせず、好ましくはスクリーンから除去される。「はい（Ｙｅｓ）」が選択される場合には、さらなる質問が、好ましくは登録済みユーザによる入力のために提供される。システムは、好ましくは図示のように、引き合わせの勝者について、またはスコアが保存されたかどうかを尋ねる（“Ｉｆ  ｙｅｓ，Ｗｈｏ  Ｗｏｎ？”，“１ｓｔ  ｓｃｒｅｅｎ  ｎａｍｅ”，“２ｎｄ  ｓｃｒｅｅｎ  ｎａｍｅ”，“Ｄｉｄｎ’ｔ  Ｋｅｅｐ  Ｓｃｏｒｅ”）。一部のスポーツイベントまたは社交イベントでは、スコアが保存されない場合がある。システムは、好ましくはさらに、図示のように、少なくとも、時間を守ること（“Ｐｕｎｃｔｕａｌｉｔｙ”）、スポーツマンシップ（“Ｓｐｏｒｔｓｍａｎｓｈｉｐ”）、プロファイルで述べられたレベルでプレイする（“Ｐｌａｙｓ  ａｔ  ｓｔａｔｅｄ  ｌｅｖｅｌ  ｉｎ  ｐｒｏｆｉｌｅ”）、および全体的なマナー（“Ｏｖｅｒａｌｌ  ｍａｎｎｅｒｓ”）という好ましい領域で相手をレーティングするように登録済みユーザに求める。図５１に示されているように、１〜５のスケールが、好ましくは相手をレーティングするのに使用される。
【０１１６】
すべての質問に回答した時に、質問表および引き合わせの詳細が、好ましくは「確認済み引き合わせ」列から除去される。収集されたデータは、その後、好ましくは各会員引き合わせページの「プレイ・ヒストリ（Ｐｌａｙ  Ｈｉｓｔｏｒｙ）」（各登録済みユーザが誰といつどのスポーツをプレイしたかなど）および「確認済み勝利（Ｃｏｎｆｉｒｍｅｄ  Ｗｉｎｓ）」（引き合わせ参加者の両方が競技スポーツの同一勝者を報告するときに表示される）に表示される。
【０１１７】
各登録済みユーザは、その登録済みユーザの確認済み勝利の統計を他のユーザのビューから隠すオプションを有する。好ましくは、各プレイヤは、上で説明した時間を守ること、スポーツマンシップなどに関するレーティングを隠すことができない。この選択は、すべての登録済みユーザが、お互いの全体的な時間を守ること、スポーツマンシップ、述べられたレベルの正確さ、マナーレーティングなどをチェックすることを可能にする。この特徴は、不正を働くユーザまたは自分のプレイ能力に関して正確ではないユーザが将来の引き合わせプレイ要求を得なくなり、ウェブサイトが信頼できるものになるので、有用である。さらに、ユーザがレーティングされることを知れば、ユーザは、行儀よく振る舞う可能性がある。
【０１１８】
図５２は、本発明の好ましい実施態様に従った、本システムの特徴を簡略化された形で示す簡略化された略図的な全体図を示す。
【０１１９】
前に述べたように、登録済みユーザ２０２は、好ましくは、図示のように、システム機能へのアクセスを得るために登録する（その代わりに、好ましくは、ユーザ２０２は、引き合わせウェブサイト３００にアクセスするために料金を支払うことができる）。
【０１２０】
引き合わせコンピュータシステム１０１にアクセスする時に、登録済みユーザ２０２は、好ましくは、少なくとも１つのコンピュータインターフェースを介して個人連絡情報５２０２を引き合わせコンピュータシステム１０１に入力し、この個人連絡情報５２０２は、関連するデータベースに格納される。登録済みユーザ２０２は、好ましくは、関連するデータベースでのストレージのために、少なくとも１つのコンピュータインターフェース（好ましくは、引き合わせウェブサイト３００で入手可能なフォーム［図４７参照］）を介して、未確認未スケジューリング提案引き合わせに関する提案引き合わせの好み５２０４（カレンダ、コンパス、および時計配置５４０３として図示）をも入力する。
【０１２１】
図４７で指示され、図示されているように、好ましいイベントの好みのデータフィールドの非常に好ましい組み合わせは、図示されているように、好ましい活動（スポーツなど）、好ましい開始日、好ましい開始時刻、好ましい終了日、好ましい終了時刻、好ましい場所、好ましい引き合わせタイプ（シングルまたはグループタイプのイベント）を含む。ユーザが、そのユーザが引き合わせについて潜在的に求めに応じられる日付範囲を指定できることに留意されたい。好ましくは、ユーザは、提案された引き合わせに参加することが望まれる参加者の人数を指定することができる。好ましくは、ユーザは、所望の参加者の最大人数を入力する（図５０、プレイヤ総数（ｔｏｔａｌ  ｐｌａｙｅｒｓ）フィールド参照）。好ましくは、ユーザは、所望の参加者の習熟レベル（好ましくは、範囲［図５０、最低レベル（ｍｉｎｉｍｕｍ  ｌｅｖｅｌ）フィールドおよび最高レベル（ｍａｘｉｍｕｍ  ｌｅｖｅｌ）フィールド参照］）を指定することもできる。
【０１２２】
また、好ましくは、他のデータフィールドを使用して、特定の登録済みユーザが関連付けのために選択する可能性がある登録済みユーザのグループを絞り込むことができる。図４７では、性別、年齢範囲、婚姻関係の有無、職業（１つ以上）、特殊事情もしくは障害、および登録済みユーザが提案イベントに参加できるか参加を望む曜日というデータフィールドが、好ましい。好ましくは、ノート（ｎｏｔｅ）フィールドを、ユーザが見込みのある引き合わせ参加者に通信することを望む可能性があるすべての他の情報のために表示することもできる。
【０１２３】
また、図５２に示されているように、登録済みユーザ２０２は、その間で引き合わせコンピュータシステム１０１を使用して提案イベントの好みを共有すべき登録済みユーザのセット（集合）を選択することができる。例示のために、図５２に、潜在的参加者グループの２つのセットを示す。セットＡは、ユーザＡ１、ユーザＡ２、ユーザＢ１、およびユーザＢ２を含む。セットＢは、ユーザＢ１およびユーザＢ２を含む。引き合わせコンピュータシステム１０１は、好ましくは、登録済みユーザに、ユーザの選択されたセットすなわち、引き合わせコンピュータシステム１０１の登録済みユーザのセット全体または登録済みユーザのセット全体の選択されたサブセットのいずれかを招待し、１つ以上の他の登録済みユーザに関連付ける能力を与える（すなわち、プレイヤーズネットワーク、図４５および図４６参照）。（ここで、上述の配置は、少なくとも、（ａ）少なくとも１つの上記提案された複数人活動への参加を少なくとも１つのコンピュータネットワークの上記少なくとも１つ複数の登録済みユーザの指定されたユーザに制限するのを助けるコンピュータ活動参加サブネットワークプロセッサ手段と、（ｂ）少なくとも１つのコンピュータネットワークの上記少なくとも１つ複数の登録済みユーザの個人プロファイルデータに関連する少なくとも１つの上記提案された複数人活動への参加を制限するのを助けるコンピュータ活動参加サブネットワークプロセッサ手段と、（ｃ）少なくとも１つの上記提案された複数人活動への参加を少なくとも１つのコンピュータネットワークの少なくとも１つ複数の登録済みユーザの指定されたユーザに制限するのを助けるように構造化され、配置された少なくとも１つのコンピュータ活動参加サブネットワークプロセッサと、（ｄ）少なくとも１つのコンピュータネットワークの上記少なくとも１つ複数の登録済みユーザの個人プロファイルデータに関連する少なくとも１つの上記提案された複数人活動への参加を制限するのを助けるように構造化され、配置された少なくとも１つのコンピュータ活動参加サブネットワークプロセッサとを実現する）。
【０１２４】
図４５および図４６に示されているように、登録済みユーザは、引き合わせコンピュータシステム１０１を使用して、好ましくは、ある会員の、登録済みユーザの好ましいセットに参加するための、招待とも呼ばれる要求を他の登録済みユーザにメッセージングすることによって通信する。招待されたユーザは、次に、招待を承認するか拒否することができる。
【０１２５】
図４５を参照すると、引き合わせウェブサイト３００のスクリーンが、招待する登録済みユーザの個人プロファイルへのハイパーリンクを表示して図示されている。図４５に示されたスクリーンは、クリックされ従われる時にプレイヤーズネットワークに参加するために招待された人／登録済みユーザに招待を受け入れるか拒否する能力を与えるハイパーリンクをも示す。引き合わせウェブサイト３００は、ユーザが、登録済みユーザの、プレイヤーズネットワーク内に含めるために選択された登録済み会員すなわち会員の選択されたセットを見ることをも可能にする。
【０１２６】
プレイヤーズネットワークに入った後に、プレイヤーズネットワークの会員は、未スケジューリング未確認提案引き合わせ５４０３にアクセスでき、この未スケジューリング未確認提案引き合わせ５４０３は、引き合わせ要求と呼ばれる場合もある（たとえば、図４７参照）。
【０１２７】
引き合わせコンピュータシステム１０１は、さらに、登録済みユーザ２０２が特定の選択されたセットの登録済みユーザによって提出された引き合わせ要求について通知を受ける能力を提供する。そのような通知は、通信ツール５４０６（図５３参照）、好ましくは、引き合わせウェブサイト３００、Ｅメール、携帯電話を使用するＳＭＳ／テキストメッセージング、インスタントメッセージング、および／またはネイティブアプリケーションを有するモバイルデバイスを用いて提供することができる。
【０１２８】
プレイヤーズネットワークへの少なくとも１つの登録済みユーザ２０２による（または、引き合わせコンピュータシステム１０１のユーザのセット全体への）提案引き合わせの好みの提出時に、これらの提案引き合わせの好みが、確認済みスケジューリング済み引き合わせを形成するために別の登録済みユーザによって承認される場合がある。引き合わせコンピュータシステム１０１は、好ましくは、図５２および図５３に示されているように、登録済みユーザ２０２が互いに通信する能力を提供する（通信のそのようなステップは、通信クラウド５３０３として図示されている）。さらに、承認済み参加者５３１２および承認済み参加者５３１４が、そのような承認イベントを示すために図５３に示されている。
【０１２９】
図５３は、本発明の好ましい実施態様に従った、本システムの他の特徴を示すもう１つの簡略化された略図的な全体図を示す。より具体的には、図５３は、引き合わせコンピュータシステム１０１を使用してプレイヤーズネットワークの登録済みユーザの間で提案イベントを確認し、スケジューリングする承認プロセス（そのような承認のステップは、承認ステップ５３０６として図示されている）をさらに示す。
【０１３０】
好ましくは、未スケジューリング未確認提案引き合わせが、プレイヤーズネットワークに表示された後に、登録済みユーザ２０２は、呈示された未スケジューリング未確認提案引き合わせへの参加を承認しまたは拒否するオプションを呈示される（そのような未スケジューリング未確認の提案引き合わせは、通常、引き合わせウェブサイト３００またはＳＭＳメッセージングによって登録済みユーザに表示される［図４７参照］）。
【０１３１】
図５３に示されているように、登録済みユーザは、好ましくは、引き合わせコンピュータシステム１０１を使用して、好ましくは引き合わせウェブサイト３００をも介して通信する（さまざまな通信テクノロジを用いて）。提案引き合わせの呈示および承認の提供の目標は、少なくとも２人の登録済みユーザが、提案引き合わせへの参加を承認し、確認することである。引き合わせウェブサイト３００は、好ましくは、提案引き合わせの確認プロセスならびにスケジューリングの態様を自動化し、したがって、提案引き合わせは、特定の日付、時刻、および場所で発生することができる。
【０１３２】
図４８は、引き合わせウェブサイト３００の内部Ｅメールメッセージングを使用して引き合わせウェブサイト３００内で通信する、登録済みユーザの能力を示す。内部Ｅメールメッセージングシステムは、登録済みユーザに、複数の引き合わせ要求を読み取り、その引き合わせ要求への参加を承認するか拒否する能力を与える。
【０１３３】
図４９を参照すると、引き合わせウェブサイト３００は、好ましくは、登録済みユーザに、引き合わせ可用性を登録済みユーザの選択されたセットに表示する能力を与える。また、登録済みユーザが特定の引き合わせに参加できる参加者の最大人数を入力できるデータフィールドの結果が示されている（引き合わせウェブサイト３００は、好ましくは、引き合わせを満たすために残されている残りの参加者の空きの数を表示する）。
【０１３４】
動作においては、好ましくは、登録済みユーザ２０２は、表示されたテキスト「この引き合わせにすぐに参加する（ｊｏｉｎ  ｔｈｉｓ  ｍａｔｃｈ  ｎｏｗ）」とともに図４９に図示され、実施される承認ハイパーリンクをクリックして、引き合わせについて参加者が確認されることを、招待する人に通信する。クリックの際に、引き合わせコンピュータシステム１０１は、そのデータベースの必要な更新を自動的に実行し、承認された確認を招待する登録済みユーザに通信する。さらに、引き合わせが、スケジューリングされ、好ましくは、参加する会員の個人プロファイルページに表示される（たとえば、図５０の「確認済み引き合わせ」参照）。確認済みイベントの表示は、参加する会員の個人的な時間スケジューリング目的の利益のためである。上記配置は、少なくとも１つの登録済みユーザによってクリックされる時に、上記少なくとも１つの複数人の提案された活動へのその登録済みユーザの参加を確認する少なくとも１つのクリック可能ハイパーリンクを生成するのを助けるコンピュータハイパーリンク生成インターフェース手段と、少なくとも１つの登録済みユーザによってクリックされる時に、上記少なくとも１つの複数人の提案された活動へのその登録済みユーザの参加を確認する少なくとも１つのクリック可能ハイパーリンクを生成するのを助けるように構造化され、配置された少なくとも１つのコンピュータハイパーリンク生成インターフェースとを実現する。
【０１３５】
上の説明は、引き合わせシステムのピアツーネットワーク通信モデルの利益を示す。好ましくは、引き合わせシステムは、上で説明したように応答管理システムをも組み込み、この応答管理システムは、承認済み参加者がスケジューリングされた引き合わせへの参加を取り消す能力をさらに含む。これは、たとえば、承認済み参加者が、土壇場の緊急事態を有するか、彼らのスケジュールの「予約を取りすぎた」場合に発生する可能性がある。このシナリオでは、引き合わせコンピュータシステム１０１は、図５４に示されているように応答を管理する（ここで、少なくとも、少なくとも１つの複数人の提案された活動に参加するための少なくとも１つの要求を取り消すコンピュータ活動取消プロセッサ手段と、少なくとも１つの複数人の提案された活動に参加するための少なくとも１つの要求を取り消すように構造化され、配置された少なくとも１つのコンピュータ活動取消プロセッサとを実現する）。さらに、引き合わせコンピュータシステム１０１は、好ましくは、引き合わせコンピュータシステム１０１が取消イベントを検出した後に、提案引き合わせの可用性の再通信を開始する。
【０１３６】
図５４は、本発明の好ましい実施態様に従った、本システムの好ましい応答管理システムの流れ図を示す。より具体的には、図５４は、引き合わせコンピュータシステム１０１の応答管理システム５４０３を示す流れ図を示す。
【０１３７】
好ましくは、引き合わせコンピュータシステム１０１のユーザ、たとえばユーザ１１８は、引き合わせコンピュータシステム１０１に通信して結合された少なくとも１つのコンピュータインターフェースを使用して、提案引き合わせを入力する（好ましいステップ５４１０）。この例では、ユーザ１１８は、インターネットブラウザを有するパーソナルコンピュータを使用して、引き合わせウェブサイト３００にアクセスし、引き合わせウェブサイト３００にログインし、適切なフォームにデータを入力する（たとえば、図４７に示されたフォーム参照）。本明細書で示されるように、ユーザは、ウェブ対応モバイルコンピューティングデバイス、携帯電話、および／または引き合わせコンピュータシステム１０１と通信するネイティブアプリケーションを有するモバイルコンピューティングデバイスを使用して提案引き合わせを定義することもできる。
【０１３８】
好ましくは、入力情報は、引き合わせコンピュータシステム１０１に送信される。入力データの受信時に、引き合わせコンピュータシステム１０１に関連するデータベースが、適切に更新される。好ましくは、ユーザ１１８は、提案引き合わせに参加すべき所望の参加者の最大人数を定義する（図５０［プレイヤ総数フィールド、「あなた自身を含む最大人数を選択してください」参照］）。たとえば、テニスの「ダブルス」ゲームは、４人という所望の参加人数を有することができる。テニスの「総当たり戦」ゲームは、より多数の所望の参加人数（たとえば、８人の所望の参加者）を有することができる。どの点でも、引き合わせコンピュータシステム１０１のユーザは、好ましくは、彼ら自身以外の参加者の所望の人数（好ましくは１から無制限までの範囲）を定義する。さらに、活動は、少なくとも、活動を効果的に実行するために最小人数の参加者を必要とする（１人が、１人の人とテニスのダブルスゲームをプレイすることはできない）ので、この特徴は、少なくとも、上記少なくとも１つの提案された複数人活動が、上記少なくとも１つの提案された複数人活動または引き合わせに関連する複数の人の少なくとも１つの最小人数の出席を必要とするように実現される。（上の説明は、少なくとも、上記少なくとも１つの提案された複数人活動ヘの参加を望む出席者の人数を設定するコンピュータ出席数設定インターフェース手段と、上記少なくとも１つの提案された複数人活動に参加することが望まれる出席者の人数を設定するように構造化され、配置された少なくとも１つのコンピュータ出席数設定インターフェースとを実現する）。
【０１３９】
ユーザ入力の人数および他の入力情報（コンピュータインターフェースに入力される）は、好ましくは、引き合わせコンピュータシステム１０１に提出され、関連データベースが、好ましくは更新される（少なくとも、上記少なくとも１つの複数人の提案された活動に参加するための少なくとも１つの上記登録済みユーザからの少なくとも１つの要求を受信するのを助けるコンピュータ活動参加要求インターフェース手段と、上記少なくとも１つの複数人の提案された活動に参加するための少なくとも１つの上記登録済みユーザからの少なくとも１つの要求の受信を助けるように構造化され、配置された少なくとも１つのコンピュータ活動参加要求インターフェースとを実現する）。そのようなデータベース（好ましくはデータベース１０２）は、少なくとも、ここで、上記少なくとも１つの複数人の提案された活動に参加するための上記少なくとも１つの上記登録済みユーザからの上記少なくとも１つの要求を自動的にサーチ可能に格納するコンピュータ参加要求データベース手段と、上記少なくとも１つの複数人の提案された活動に参加するための上記少なくとも１つの登録済みユーザからの上記少なくとも１つの要求を自動的にサーチ可能に格納するように構造化され、配置された少なくとも１つのコンピュータ参加要求データベースと、を実現する。
【０１４０】
さらに、ユーザ１１８は、ユーザ１１８がともに参加することを望む、見込みのある参加者のクラスを定義することもできる（いずれかのクラスが望まれる場合に）。たとえば、ユーザは、そのユーザのプレイヤーズネットワークの会員、ある性別の会員などと対話することを望むのみである場合がある。全地球測位情報が引き合わせコンピュータシステム１０１から使用可能である場合には、登録済みユーザ１１８は、好ましくは、特定の時刻に特定の地理領域内にいる見込みのある参加者を選択することができる。好ましくは、ユーザは、「ネイティブアプリケーション」をモバイルコンピューティングデバイス（後述する）にインストールした他のユーザを識別することができる。登録済みユーザは、好ましくは、ネイティブアプリケーションをインストールした見込みのある参加者のクラスを選択することができる。さらに、ネイティブアプリケーションおよび全地球測位テクノロジを有するモバイルデバイスは、さらに、ユーザがある地理的区域内のこれらの見込みのある参加者の位置を正確に示すことができる（全地球位置データを使用して距離を介して）という点で有用である可能性がある。
【０１４１】
ユーザ１１８が、引き合わせコンピュータシステム１０１に（ネットワーククラウド５４１２、好ましくはインターネットを介して）提案引き合わせ情報を提出した後に、引き合わせコンピュータシステム１０１に関連するデータベースが、好ましくは更新される。この時に、好ましくは、引き合わせコンピュータシステム１０１は、提案引き合わせの通知を処理し、提案引き合わせの適切なユーザ（ユーザ１１８のネットワークすなわち、ユーザプレイヤーズネットワークまたは選択されたユーザ）に送信して、参加の関心を懇請する（ステップ５４１４）。ユーザ１１８のネットワーク内のユーザは、好ましくは、提案引き合わせについてユーザに通知する、Ｅメール通知、ＳＭＳメッセージ通知、または他の電子通信（好ましくは、引き合わせウェブサイト３００への投稿ならびに外部Ｅメール通知）を受信する。好ましくは、ユーザは、そのユーザが好む通信の方法を選択することができる。
【０１４２】
この点で、提案引き合わせは、「オープン」と考えられる。ユーザ１１８のネットワーク内のユーザは、今や、引き合わせコンピュータシステム１０１との電子通信を介して提案引き合わせに参加することを選択することができる。
【０１４３】
引き合わせコンピュータシステム１０１は、提案引き合わせに関する「参加」要求を受信し（好ましいステップ５４１６）、このシステムは、提案引き合わせがまだオープンであるか否かを判定する（好ましいステップ５４１８）。縁組みコンピュータシステム１０１の「オープン」条件は、好ましくは、最大人数の参加者が提案引き合わせに参加済みである（および、好ましくは、ユーザ１１８によって承認済みである）かどうか（出席者数条件）、および／または提案引き合わせに関してユーザ１１８によって入力された時間が経過済みであるかどうか（時間的条件）である。さらに、引き合わせコンピュータシステム１０１は、本明細書で説明するように、取消が検出される時に、引き合わせ（活動とも称する）がオープンであると考える。
【０１４４】
「参加」要求は、好ましくは、引き合わせコンピュータシステム１０１に通信して結合された少なくとも１つのコンピュータインターフェースを介して送信される。本明細書で示されるように、「参加する」ユーザは、引き合わせウェブサイト３００を訪れ、適切なハイパーリンクをクリックすること（これは、引き合わせコンピュータシステム１０１に関連するデータベースを更新する）、ＳＭＳ提案引き合わせ通知に応答することによってＳＭＳメッセージを送信すること（これも、ＳＭＳゲートウェイによって、引き合わせコンピュータシステム１０１およびそれに関連するデータベースによって使用可能な形で処理された後に、引き合わせコンピュータシステム１０１に関連するデータベースを更新する）、またはモバイルデバイスネイティブアプリケーションを介して参加の関心を示すことによって、提案引き合わせに参加することができる。
【０１４５】
引き合わせコンピュータシステム１０１が、提案引き合わせがクローズドであると判定する場合には、引き合わせコンピュータシステム１０１は、ユーザが提案引き合わせに「参加する」ことを許可しない（好ましいステップ５４２０）。好ましくは、引き合わせコンピュータシステム１０１は、提案引き合わせへの参加を試みたユーザに、その引き合わせがクローズドであることを通知する（好ましいステップ５４２２）。これは、拒否されたユーザに対してユーザ１１８が「悪い知らせ」を配信する必要がないという点で有利である。
【０１４６】
引き合わせコンピュータシステム１０１が、提案引き合わせがオープンであると判定する場合には、引き合わせコンピュータシステム１０１は、そのユーザが提案引き合わせ名簿に「参加する」ことを許可する（好ましいステップ５４２４）。
【０１４７】
好ましくは、ユーザ１１８は、図示されているように、見込みのあるユーザが提案引き合わせへの参加を要求した後に、見込みのある参加者を受け入れるか拒否するオプションを有する（好ましいステップ５４２６）（図４７、参加要求の受入／拒否をも参照されたい）。そのような配置は、少なくとも１つの複数人の提案された活動に参加するための少なくとも１つの要求を承認するコンピュータ参加承認プロセッサ手段と、少なくとも１つの複数人の提案された活動に参加するための少なくとも１つの要求を承認するように構造化され、配置された少なくとも１つのコンピュータ参加承認プロセッサとを実現する。登録済みユーザが、見込みのある参加者を受け入れる場合には、引き合わせコンピュータシステム１０１は、その見込みのある参加者が提案引き合わせに参加することを許可する（好ましいステップ５４２４）。そうではない場合には、引き合わせコンピュータシステム１０１は、そのユーザが提案引き合わせ名簿に「参加する」ことを許可しない（好ましいステップ５４２０）。上の配置は、ここで、上記少なくとも１つのスケジューリングされた活動への参加のためにスケジューリングされた登録済みユーザの人数が上記少なくとも１つの提案された複数人活動への参加が望まれる出席者の人数と等しいときに、追加の登録済みユーザが上記少なくとも１つの提案された複数人活動への参加を確認するのを防ぐコンピュータ活動参加クロージングプロセッサ手段と、上記少なくとも１つのスケジューリングされた活動に参加するためにスケジューリングされた登録済みユーザの人数が上記少なくとも１つの提案された複数人活動に参加することが要求される出席者の人数と等しいときに、追加の登録済みユーザが上記少なくとも１つの提案された複数人活動に参加することを確認するのを防ぐように構造化され、配置された少なくとも１つのコンピュータ活動参加クロージングプロセッサとを実現する。
【０１４８】
イベントがクローズドであり、ユーザが拒否される場合には、好ましくは、引き合わせコンピュータシステム１０１は、提案引き合わせへの参加を試みたユーザに、引き合わせがクローズドであることを通知する（好ましいステップ５４２２）。そのような通知は、好ましくは、下で説明するように、内部または外部のＥメール、ＳＭＳテキストメッセージ、または引き合わせネイティブアプリケーションを有するモバイルデバイスに配信されるメッセージである。この配置は、参加状況情報を上記少なくとも１つの提案された複数人活動への参加を確認することを防がれた上記登録済みユーザに自動的に通信するコンピュータ参加状況通信プロセッサ手段と、参加状況情報を上記少なくとも１つの提案された複数人活動への参加の確認を防がれた上記登録済みユーザに自動的に通信するように構造化され、配置された少なくとも１つのコンピュータ参加状況通信プロセッサとを実現する。これは、拒否されたユーザに対して、ユーザ１１８が「悪い知らせ」を配信する必要がないという点で有利である。
【０１４９】
提案引き合わせが、引き合わせコンピュータシステム１０１（少なくとも、ここで、クロージング条件が満足されるときに参加者要求受入を防ぐために少なくとも１つの複数人の提案された活動をクローズするコンピュータ活動クロージングプロセッサ手段と、クロージング条件が満足されるときに参加者要求受入を防ぐために少なくとも１つの複数人の提案された活動をクローズするように構造化され、配置された少なくとも１つのコンピュータ活動クロージングプロセッサとを実現する）によってクローズドであると考えられた後に、将来の参加者は、現在の参加者が提案引き合わせ時間の満了の前に提案引き合わせへのその参加者の参加を取り消す場合に限って、提案引き合わせ名簿に追加され得る。好ましくは、ユーザは、引き合わせコンピュータシステム１０１とインターフェースすることによって提案引き合わせの時間の満了の前に（時間的条件）、提案引き合わせへの参加を取り消すことができる。
【０１５０】
引き合わせコンピュータシステム１０１が、取消要求を受信する時に（好ましいステップ５４２８）、提案引き合わせは、今や、「オープンである」と考えられる（少なくとも、ここで、再オープニング条件が満足されるときに少なくとも１つの複数人の提案された活動での参加要求受入を再オープンするコンピュータ活動再オープニングプロセッサ手段と、再オープニング条件が満足されるときに少なくとも１つの複数人の提案された活動での参加要求受入を再オープンするように構造化され、配置された少なくとも１つのコンピュータ活動再オープニングプロセッサとを実現する）。好ましくは、引き合わせコンピュータシステム１０１は、提案引き合わせにおける今や使用可能なオープニング（空き）について見込みのある参加者に通知する（好ましいステップ５４１４）（少なくとも、ここで、上記少なくとも１つの複数人の提案された活動の上記再オープニングを上記少なくとも１つの複数人の提案された活動に関連する複数の人に自動的に通信するために再オープニングコミュニケータプロセッサ手段と、上記少なくとも１つの複数人の提案された活動の上記再オープニングを上記少なくとも１つの複数人の提案された活動に関連する複数の人に自動的に通信するように構造化され、配置された少なくとも１つのコンピュータ再オープニングコミュニケータプロセッサとを実現する）。これは、提案するユーザが、引き合わせが現在は参加についてオープンであることをすべての見込みのある参加者に説明する必要がないという点で有利である。再オープンされた後に、引き合わせコンピュータシステム１０１は、引き合わせコンピュータシステム１０１が提案引き合わせが「クローズド」であるともう一度判定するまで、ユーザが提案引き合わせに「参加する」ことを許可する。このシステムが、１対１通信では可能ではなかった非常に効率的な形でユーザがユーザのピアネットワークと通信することを可能にすることに留意されたい。
【０１５１】
応答管理システム５４０３は、少なくとも、ここで、上記少なくとも１つの提案された複数人活動を管理するコンピュータ活動マネージャプロセッサ手段を実現し、上記コンピュータ活動マネージャプロセッサ手段は、上記少なくとも１つの複数人の提案された活動に参加するための、上記少なくとも１つの要求に応答する少なくとも１つの応答を管理するコンピュータ活動参加応答マネージャプロセッサ手段と、少なくとも１つのスケジューリングされた活動を形成するために、上記少なくとも１つの複数人の提案された活動への十分な参加を確認することを助けるコンピュータ活動参加マネージャプロセッサ手段と、上記少なくとも１つのスケジューリングされた活動に関連する情報を上記少なくとも１つのスケジューリングされた活動に参加するためにスケジューリングされた登録済みユーザに自動的に通信するコンピュータスケジューリング済み活動コミュニケータプロセッサ手段と上記少なくとも１つの複数人の提案された活動に参加するための上記少なくとも１つの要求に応答する少なくとも１つの応答を管理するように構造化され、配置された少なくとも１つのコンピュータ活動参加応答マネージャと、少なくとも１つのスケジューリングされた活動を形成するために上記少なくとも１つの複数人の提案された活動への十分な参加を確認するのを助けるように構造化され、配置された少なくとも１つのコンピュータ活動参加マネージャプロセッサと、上記少なくとも１つのスケジューリングされた活動に関連する情報を上記少なくとも１つのスケジューリングされた活動に参加するためにスケジューリングされた登録済みユーザに自動的に通信するように構造化され、配置された少なくとも１つのコンピュータスケジューリングされた活動コミュニケータプロセッサとを含む。
【０１５２】
短く図５３に戻ると、好ましくは、引き合わせに参加するユーザは、会って、引き合わせに参加する。登録済みユーザの最初の提案イベントに基づくスケジューリングされ確認された時刻、日付、および場所で、出会い、イベント、たとえばテニスの競技に参加する（ステップのこの配置を、イベントへの参加５３０９と称する）。
【０１５３】
確認済みスケジューリング済み引き合わせの日付からある時間の期間が経過した後に、登録済みユーザが引き合わせウェブサイト３００を訪問する時に、引き合わせウェブサイト３００は、登録済みユーザに、引き合わせデータベース３２０にストアされるフォーム（図５１参照）に過ぎたばかりの引き合わせに関するデータを入力する能力を与える。動作においては、フォームが、データ入力のために登録済みユーザに提出されて（図５１参照）、過ぎたばかりの引き合わせに関するデータ（データ５３２０）を収集する。データ５３２０は、スコア、引き合わせの詳細、参加する会員の挙動特性などとすることができる。登録済みユーザは、好ましくは、要求されたデータをこのフォームに入力する。要求されたデータは、好ましくは、スコア、提案引き合わせがスケジュール通りに進んだか否かの覚書、および引き合わせに出席した少なくとも１つの他の登録済みユーザの挙動の適切性をレーティングするための他の挙動関連の質問または選択を含む。収集されたデータは、その後、引き合わせウェブサイト３００に提出され、ヒストリの目的でストアされる。特定の登録済みユーザに関するレポートを、登録済みユーザおよびウェブサイトマネージャの利益のために引き合わせウェブサイト３００によって生成し、表示することができる。
【０１５４】
やはり図５５に示されているように、さまざまな通信メディアが、登録済みユーザが引き合わせウェブサイト３００を使用して通信するために使用可能である。好ましくは、引き合わせウェブサイト３００の登録済みユーザ２０２は、引き合わせウェブサイト３００によって提供されるＥメールメッセージングまたは引き合わせウェブサイト３００を介して通信的に結合される、テキストメッセージングとも称するショート・メッセージング・サービス（ＳＭＳ）メッセージングを使用することができる（図５５参照）。
【０１５５】
図５５に、本発明の好ましい実施態様に従った、引き合わせコンピュータシステム１０１の登録済みユーザの間で通信する方法を全体的に示す単純化された絵図的概要を示す。図５５に示されているように、引き合わせコンピュータシステム１０１は、別の登録済みユーザ引き合わせコンピュータシステム１０１に引き合わせ要求を送信する能力を登録済みユーザに与え、ここで、引き合わせ要求は、図示のように、好ましくはＳＭＳメッセージング（通常は、別の登録済みユーザによって使用される互換携帯電話または他のデバイスに配信される）によって別の登録済みユーザに配信される。
【０１５６】
動作中に、登録済みユーザ１２２Ａは、好ましくは、引き合わせウェブサイト３００のＳＭＳメッセージング特徴にアクセスする（好ましくは、パーソナルコンピュータを用いて）。図４６に、登録済みユーザがＥメールまたはＳＭＳメッセージングによって引き合わせ要求の送信を可能にすることができるチェックボックス選択を示す。引き合わせウェブサイト３００の携帯電話／ＳＭＳメッセージング特徴を使用するために、登録済みユーザは、その登録済みユーザの携帯電話番号を提供しなければならない。インターネットプロトコル（ＩＰ）ハードウェアおよびソフトウェア（サービス提供者、モデム、遠隔通信ルータ、ＳＭＳメッセージングサーバ、ＳＭＳゲートウェイ、および関連ソフトウェアなどを含むことができる）ならびに電話会社によって提供されるサービスが、引き合わせコンピュータシステム１０１に関連する少なくとも１つのデータベースとの携帯電話通信を可能にするためにセットアップされる。
【０１５７】
提案引き合わせの好みまたは引き合わせの要求を行う時に、ＳＭＳメッセージを、引き合わせコンピュータシステム１０１を使用してインターネットによって送信することができる。このＳＭＳメッセージは、好ましくは、インストールされたＩＰ遠隔通信システムまたはＳＭＳゲートウェイ５５０５（通信塔として象徴的に図示）を用いて配信され、その結果、このＳＭＳメッセージは、特定の登録済みユーザすなわちユーザ１２２Ｂに配信されるようになる。好ましくは、登録済みユーザ１２２ＢすなわちＳＭＳメッセージの受信者は、特定の単語をタイプすることと、応答ＳＭＳメッセージを送信することとによってテキストメッセージの送信者（ＳＭＳメッセージングシステム）に応答することによって、提案引き合わせへの参加を承認するか拒否することができる（好ましいステップ５５２０）。例示として、引き合わせ要求に参加することを望む登録済みユーザは、好ましくは、単語「ＪＯＩＮ（参加）」を用いてＳＭＳメッセージ送信者に応答することができる。
【０１５８】
好ましくは、引き合わせウェブサイト開発者は、ＩＰおよび遠隔通信／電話サービス提供者と打ち合わせて、特定のＳＭＳメッセージ応答に、引き合わせコンピュータシステム１０１および引き合わせウェブサイト３００上のある種のデータをアクティブ化させるか更新させ、あるいは応答メッセージを第１送信者に中継させる（好ましいステップ５５２３）。
【０１５９】
好ましくは、そのような「ＪＯＩＮ（参加）」メッセージは、その後、遠隔通信システムおよび引き合わせコンピュータシステム１０１を介して配信される。好ましくは、引き合わせコンピュータシステム１０１に関連するデータベース。
【０１６０】
引き合わせウェブサイト３００は、さらに、提案引き合わせ場所への途上にある登録済みユーザの間の通信を提供することができる。さらに、ユーザは、この通信を匿名の形で実行することができる。動作中に、引き合わせウェブサイト３００を使用する（デスクトップコンピュータ、ラップトップコンピュータ、またはインターネット対応携帯電話を介して）登録済みユーザ１２２Ａは、ＳＭＳメッセージが状況更新（提案引き合わせ場所への距離など）を要求する別の特定の登録済みユーザに送信されることを要求することができる。このＳＭＳメッセージは、好ましくは、引き合わせコンピュータシステム１０１に結合されたＩＰ遠隔通信システムを介して配信される。通信が、引き合わせコンピュータシステム１０１によって行われるので、携帯電話番号などの個人連絡情報を他の登録済みユーザに開示する必要はない。この形で、登録済みユーザは、登録済みユーザが個人情報を開示することに不安がないと感じる時まで、匿名で互いに通信することができる。
【０１６１】
ここで、上の配置は、上記少なくとも１つの提案された複数人活動に関連する少なくとも１つの電話送信される信号を受信するのを助けるコンピュータインターフェース手段と、上記少なくとも電話送信される信号を少なくとも１つの登録済みユーザに関連付けるコンピュータ電話送信信号対ユーザプロセッサ手段と、上記少なくとも１つの複数人の提案された活動に参加するための少なくとも１つの上記登録済みユーザからの上記少なくとも１つの要求に応答する、上記少なくとも１つの提案された複数人活動への参加の拒否または参加の確認として上記少なくとも１つの電話送信される信号を解釈するコンピュータ電話送信信号解釈プロセッサ手段と上記少なくとも１つの提案された複数人活動に関連する少なくとも１つの電話送信される信号を受信するのを助けるように構造化され、配置された少なくとも１つのコンピュータインターフェースと、上記少なくとも電話送信される信号を少なくとも１つの登録済みユーザに関連付けるように構造化され、配置された少なくとも１つのコンピュータ電話送信信号対ユーザプロセッサと、上記少なくとも１つの複数人の提案された活動に参加するための少なくとも１つの上記登録済みユーザからの上記少なくとも１つの要求に応答する上記少なくとも１つの提案された複数人活動への参加の拒否または参加の確認として上記少なくとも１つの電話送信される信号を解釈するように構造化され、配置された少なくとも１つのコンピュータ電話送信された信号インタープリタプロセッサとを実現する。
【０１６２】
［引き合わせネイティブアプリケーション］
図５６〜図５８は、モバイルデバイスにインストールされたネイティブアプリケーションでの本明細書で開示される引き合わせシステムの特徴の使用に関する。
【０１６３】
図５６は、本発明の好ましい実施態様に従った、モバイルデバイスでのモバイルネイティブアプリケーションのインストールを示す概略図である。
【０１６４】
好ましくは、携帯電話などのモバイルデバイス上で引き合わせコンピュータシステム１０１と相互作用することを望むユーザは、ユーザの所望のモバイルデバイス（モバイルデバイス９０１０）に少なくとも１つのネイティブアプリケーション９００５をインストールする。モバイルデバイス９０１０は、最も好ましくは、米国カリフォルニア州カパティーノに会社住所を有するＡｐｐｌｅ，Ｉｎｃ．，社が販売するｉＰｈｏｎｅである。本明細書の開示を読む時に、当業者は、今や、適切な状況の下で、モバイルデバイス供給業者と、使用可能なモバイルデバイスネットワークと、ＢｌａｃｋＢｅｒｒｙ、スマートフォン、ｉＰｏｄ、プレイステーションポータブルデバイス、ＬＧブランドのモバイルデバイスその他などの他のモバイルデバイスとなどの問題を考慮することが十分である可能性があることを理解するであろう。
【０１６５】
好ましくは、モバイルネイティブアプリケーション９００５のダウンロードは、Ａｐｐｌｅ  Ｉｎｃ．，社によって管理されるｉＴｕｎｅｓなどのコンピュータアプリケーションを介して、またはモバイルデバイスネットワーク（Ｖｅｒｉｚｏｎ社のＧｅｔ  Ｉｔ  Ｎｏｗサービスまたはインターネットなど）を介してモバイルデバイス自体を介して、開始され得る。図５６では、「ネットワーク」は、クラウドとして図示されている。どちらの場合でも、モバイルネイティブアプリケーション９００５は、インストールのためにモバイルデバイス９０１０に配信される。アプリケーションがダウンロードされ、モバイルデバイス９０１０にインストールされた後に、モバイルネイティブアプリケーション９００５の機能は、ユーザから使用可能であり、その結果、ユーザは、引き合わせコンピュータシステム１０１およびユーザネットワークと通信できるようになる。
【０１６６】
モバイルネイティブアプリケーション９００５がモバイルデバイス９０１０にインストールされた状態で、モバイルデバイス９０１０は、図示のようにサービス対応モバイルデバイス９０１２になる。好ましくは、モバイルネイティブアプリケーション９００５は、図示のようにモバイルデバイス９０１０に常駐する。モバイルデバイス９０１０は、好ましくは、ネイティブアプリケーション９０１０の機能を実行するために、入力、出力、メモリ、およびプロセッサ手段を含む。モバイルデバイス９０１０は、好ましくは、ネットワークインターフェーステクノロジ（好ましくは、無線ネットワークインターフェーステクノロジ）を含む。モバイルデバイス９０１０は、好ましくは全地球測位（ＧＰＳ）テクノロジをも含む。
【０１６７】
図５７は、本発明の好ましい実施態様に従った、「プッシュサービス」を伴うスポーツ引き合わせシステムの使用を示す概略図を示す。本明細書で説明される引き合わせシステムは、好ましくは、図示のように好ましくは「プッシュサービス」９０００を利用するサービス対応モバイルデバイス９０１２をも含む。プッシュサービス９０００は、好ましくは、サービス対応モバイルデバイス９０１２とデータベースサーバ９０１５との間の永続バックグラウンド接続を確立するシステムを含む。
【０１６８】
好ましい実施態様では、ユーザは、好ましくは、モバイルデバイス９０１０、インターネットブラウザを有するコンピュータ（たとえば、図２参照）、および／またはＳＭＳテキストメッセージング（図５５参照）を介してデータベースサーバ９０１５にアクセスすることができる。この好ましい配置では、スポーツ引き合わせシステムのユーザは、事実上どこにいる間でもこのシステムの特徴および機能にアクセスすることができる。
【０１６９】
その代わりに、それほど好ましくはないが、データベースサーバ９０１５を、データベースサーバ９０１５が衛星および／またはセル電話セルラ塔送信を介してユーザのモバイルデバイスから受信するＳＭＳおよび／またはプッシュサービスコマンドに従って探される少なくとも１つの引き合わせバックエンドデータベースを格納するオフライン（インターネット接続されていない）コンピュータとすることができる。
【０１７０】
データベースサーバ９０１５は、好ましくは、受信データを収集し、これをＳＭＳまたはプッシュサービス９０００を介してユーザのモバイルデバイスに送信もする。
【０１７１】
図５７に示されているように、サービス対応モバイルデバイス９０１２は、やはりサービス対応モバイルデバイス９０１２を有するスポーツ引き合わせネットワーク内の他者に要求を行うことができる。この要求は、好ましくは、データベースサーバ９０１５に通信されて、サービス対応モバイルデバイス９０１２を有する他のユーザを、これらのモバイルデバイスに要求をプッシュするために見つける。その後、この要求は、プッシュサービス９０００に送信される。最後に、この要求は、要求、たとえば引き合わせに関してユーザに通知するために、サービス対応モバイルデバイス９０１２に「プッシュ」される。プッシュサービス９０００を使用することによって、スポーツ引き合わせネットワークユーザは、パーソナルコンピュータなしで互いに通信することができる。
【０１７２】
図５８に、本発明の好ましい実施態様に従った、モバイルデバイスの拡大図を示す。
【０１７３】
上記に加えて、モバイルネイティブアプリケーション９００５は、モバイルデバイス９０１０にインストールされた時に、ユーザが、引き合わせコンピュータシステム１０１および引き合わせウェブサイト３００にアクセスし、これらを介して使用可能な機能（ｈｔｔｐ：／／ｗｗｗ．ｓｐｏｒｔｓｍａｔｃｈｍａｋｅｒ．ｃｏｍで使用可能）を実行することを可能にする。好ましくは、ユーザインターフェースがサービス対応モバイルデバイス９０１２に表示され、その結果、ユーザが、適切な機能を実行できるようになる。一部の機能は、好ましくは、引き合わせ要求を作成する、プロファイルを管理する、会員を探す、チームを探す、引き合わせを探し、参加する、チームを管理する、プレイヤーズネットワークにアクセスする（すべて図５７に図示のように）を含む。他の機能は、好ましくは、引き合わせの拒否、引き合わせの取消、引き合わせの削除、および他の管理機能を含む。
【０１７４】
本明細書の教示を読む時に、当業者は、適切な状況の下で、引き合わせコンピュータシステム、引き合わせウェブサイトなどで使用可能な特徴ならびに過去の引き合わせのヒストリカルレポートの提供、全地球測位テクノロジを使用する地図上の他のユーザの表示、その他などの他の特徴などの問題を考慮することが、十分であることを理解するであろう。
【０１７５】
［引き合わせサービスの拡張］
好ましくは、引き合わせシステムおよび引き合わせシステムの特徴を、それ自体の商品またはサービスを提供する他のウェブサイトによる使用のために提供することができる。引き合わせ特徴を他者に提供することの好ましい実施態様では、好ましくは、スポーツ引き合わせシステムの所有者と他のウェブサイトとの間で打ち合わせが行われ、ここで、報酬（好ましくは料金）と引き替えに、引き合わせシステムの所有者は、社交媒体マーケティング統合を含むマーケティングパッケージを他のウェブサイトに提供する。
【０１７６】
このマーケティングパッケージは、このマーケティングパッケージが、他のウェブサイトに、顧客を彼らのウェブサイトおよび彼らの現実世界の施設に駆り立てるために引き合わせシステム特徴を提供するという点で、ディジタル広告（「バナー広告」としても知られる）とは異なる。より具体的には、このマーケティングパッケージは、別のウェブサイトのウェブサイトへの引き合わせシステム特徴の統合を提供する。
【０１７７】
上の段落の実例を示すために、引き合わせウェブサイトの所有者は、好ましくは、関心を持つ当事者に、関心を持つ当事者のウェブサイト内で（上述の）引き合わせ特徴を使用する能力を提供する。申し出が、関心を持つ当事者によって受け入れられる時に、関心を持つ当事者および引き合わせシステムの所有者は、連携して、引き合わせシステム所有者によって提供されるマーケティングパッケージを実現する。
【０１７８】
好ましくは、このマーケティングパッケージは、次のうちのいくつかを含む。
（１）引き合わせウェブサイト３００で表示される関心を持つ当事者の商品およびサービスを広告する電子バナー広告。
（２）引き合わせウェブサイト３００のプレイヤーズガイドでのリスティング。
（３）好ましくは「プラグイン」モジュールによって引き合わせシステム特徴を組み込むことによる、関心を持つ当事者ウェブサイト内に引き合わせシステム特徴を統合するための承認。たとえば、航空会社またはジムは、関心を持つ当事者航空会社またはジムのウェブサイト上にスポーツ引き合わせシステム特徴を有するはずである。好ましくは、関心を持つ当事者ウェブサイトのナビゲーションおよび識別の情報（好ましくは、ウェブサイトヘッダ）が、好ましくは、引き合わせウェブサイトの組み込まれた特徴に加えて閲覧可能であり、使用可能である。好ましくは、引き合わせウェブサイトは、関心を持つ当事者ウェブサイトの「フレーム」内に表示される。その代わりに好ましくは、引き合わせウェブサイトが、好ましくは、ウィジェットを使用して関心を持つ当事者ウェブサイトに表示される（ウィジェットは、基本的に、別々のＨＴＭＬベースのウェブページ内にインストールされ、実行され得るポータブルコードである）。その代わりに好ましくは、引き合わせウェブサイトは、好ましくは、「インクルード」と称するプログラミングコードを使用して関心を持つ当事者ウェブサイトに表示される。
この好ましい配置では、引き合わせウェブサイト部分内で提出される情報（たとえば、プロファイル作成、引き合わせ作成、引き合わせ要求など）は、引き合わせコンピュータシステム１０１とインターフェースする。
（４）すべての紹介（すなわち、関心を持つ当事者ウェブサイトから引き合わせコンピュータシステム１０１に登録するユーザまたは関心を持つ当事者ウェブサイトから引き合わせウェブサイト３００へのハイパーリンクに従った後に引き合わせコンピュータシステム１０１に登録するユーザ）の自動化された追跡。
（５）紹介ユーザが引き合わせウェブサイト３００のＵＲＬでログインする場合の関心を持つ当事者ウェブサイトに戻る関心を持つ当事者紹介（上の（４）で説明したように引き合わせコンピュータシステム１０１に登録済み）の自動化されたリダイレクト。言い換えると、紹介は、引き合わせシステム特徴にアクセスするために、引き合わせウェブサイト３００のＵＲＬから関心を持つ当事者ウェブサイトのＵＲＬにリダイレクトされる。
（６）追加の収入のためにサードパーティウェブサイトで引き合わせシステム「プラグイン」特徴の上にホストされるバナー広告を販売する能力。好ましくは、関心を持つ当事者ウェブサイトが関心を持つ当事者ウェブサイト上のバナー広告をホストするので、引き合わせシステムとの収入共有はない。
（７）関心を持つ当事者のウェブサイトのプレイヤーズネットワークへの関心を持つ当事者ウェブサイト紹介の自動化された包含。好ましくは、関心を持つ当事者の引き合わせシステムプロファイルが確立される。紹介は、関心を持つ当事者のウェブサイトのプロファイルのプレイヤーズネットワークに自動的に追加される。これは、関心を持つ当事者のウェブサイトが好ましくはその紹介を閲覧できるという点で有利である。さらに、関心を持つ当事者のウェブサイトは、好ましくは、その紹介を、引き合わせシステム特徴を使用して「引き合わせ」または「活動」を編成し、要求することを含めて、引き合わせシステム特徴を介して通信することができる。
（８）関心を持つ当事者ウェブサイト、引き合わせウェブサイトプロファイルセットアップ、および販売促進目的で上記特徴を最も良く使用する方法に関する相談に関する技術的サポート。
【０１７９】
上で説明した配置は、少なくとも、少なくとも１つのソシアルネットワークウェブサイトによって少なくとも１つの他のウェブサイトに、上記少なくとも１つの他のウェブサイトでの表示のために少なくとも１つのソシアルネットワークウェブサイトの少なくとも１つのソシアルネットワークウェブサイト特徴の統合を提供するステップと、上記提供の受入時に、上記少なくとも１つの他のウェブサイトでの表示のために少なくとも１つのソシアルネットワークウェブサイトの少なくとも１つのソシアルネットワークウェブサイト特徴を統合するステップとを含み、少なくとも１つの他のウェブサイトのユーザは、少なくとも１つの他のウェブサイトにある間に上記少なくとも１つのソシアルネットワークウェブサイト特徴にアクセスすることを許可されることを特徴とする方法を実現する。
【０１８０】
出願人は出願人にとっての本発明の好ましい実施態様を述べたが、本発明の最も広い範囲が多様な形状、サイズ、および材料といった変更を含むことが理解されるであろう。その種の範囲は、上記の明細書とともに読まれる特許請求の範囲によってのみ限定される。
【０１８１】
さらに、出願人の発明の他の多くの利点は、上記の明細書および特許請求の範囲から当業者には明らかとなろう。
【図１】
2012500426.tif 000003
【図２】
2012500426.tif 000004
【図３】
2012500426.tif 000005
【図４】
2012500426.tif 000006
【図５】
2012500426.tif 000007
【図６】
2012500426.tif 000008
【図７】
2012500426.tif 000009
【図８】
2012500426.tif 000010
【図９−１】
2012500426.tif 000011
【図９−２】
2012500426.tif 000012
【図１０】
2012500426.tif 000013
【図１１−１】
2012500426.tif 000014
【図１１−２】
2012500426.tif 000015
【図１１−３】
2012500426.tif 000016
【図１２−１】
2012500426.tif 000017
【図１２−２】
2012500426.tif 000018
【図１３】
2012500426.tif 000019
【図１４】
2012500426.tif 000020
【図１５】
2012500426.tif 000021
【図１６】
2012500426.tif 000022
【図１７】
2012500426.tif 000023
【図１８】
2012500426.tif 000024
【図１９】
2012500426.tif 000025
【図２０】
2012500426.tif 000026
【図２１】
2012500426.tif 000027
【図２２】
2012500426.tif 000028
【図２３】
2012500426.tif 000029
【図２４】
2012500426.tif 000030
【図２５】
2012500426.tif 000031
【図２６】
2012500426.tif 000032
【図２７】
2012500426.tif 000033
【図２８】
2012500426.tif 000034
【図２９】
2012500426.tif 000035
【図３０】
2012500426.tif 000036
【図３１】
2012500426.tif 000037
【図３２】
2012500426.tif 000038
【図３３】
2012500426.tif 000039
【図３４】
2012500426.tif 000040
【図３５】
2012500426.tif 000041
【図３６−１】
2012500426.tif 000042
【図３６−２】
2012500426.tif 000043
【図３７−１】
2012500426.tif 000044
【図３７−２】
2012500426.tif 000045
【図３８】
2012500426.tif 000046
【図３９】
2012500426.tif 000047
【図４０】
2012500426.tif 000048
【図４１】
2012500426.tif 000049
【図４２】
2012500426.tif 000050
【図４３】
2012500426.tif 000051
【図４４】
2012500426.tif 000052
【図４５】
2012500426.tif 000053
【図４６】
2012500426.tif 000054
【図４７】
2012500426.tif 000055
【図４８】
2012500426.tif 000056
【図４９】
2012500426.tif 000057
【図５０】
2012500426.tif 000058
【図５１】
2012500426.tif 000059
【図５２】
2012500426.tif 000060
【図５３】
2012500426.tif 000061
【図５４】
2012500426.tif 000062
【図５５】
2012500426.tif 000063
【図５６】
2012500426.tif 000064
【図５７】
2012500426.tif 000065
【図５８】
2012500426.tif 000066
【国際調査報告】
2012500426.tif 000067
2012500426.tif 000068